(57)【要約】【課題】在室者（101）の眠気防止と快適な室内環境の実現とを両立する。【解決手段】空調システム（１）において、目標温度を所定の基準温度よりも低い第１目標温度に下げる第１動作と、目標温度を基準温度よりも高い第２目標温度に上げる第２動作とを順に繰り返し行う集中力維持モードを実行する。第２動作では、目標温度を第１目標温度から第２目標温度にまで段階的に上げる。第１動作において目標温度を第１目標温度に下げるまでの時間を、第２動作において目標温度を第２目標温度に上げるまでの時間よりも短くする。【選択図】図４
2020176797.tif 000002
【特許請求の範囲】
【請求項１】
室内空気の温度を調節する温度調節部（37）と、
室内空気の温度を検出する内気温度検出部（45）と、
前記内気温度検出部（45）によって検出される温度が目標温度に近づくように前記温度調節部（37）を制御する制御部（11）と、を備える空調システムであって、
前記制御部（11）は、前記目標温度を所定の基準温度よりも低い第１目標温度に下げる第１動作と、前記目標温度を前記基準温度よりも高い第２目標温度に上げる第２動作とを順に少なくとも１回ずつ行う第１モードを実行し、
前記第２動作では、前記目標温度を前記第１目標温度から前記第２目標温度にまで段階的に上げ、
前記第１動作において前記目標温度を前記第１目標温度に下げるまでの時間が、前記第２動作において前記目標温度を前記第２目標温度に上げるまでの時間よりも短い
ことを特徴とする空調システム。
【請求項２】
請求項１に記載された空調システムにおいて、
前記温度調節部（37）は、冷媒回路（17）に接続される室内熱交換器（37）によって構成され、
前記制御部（11）は、
前記室内熱交換器（37）が蒸発器として機能する冷房運転時に前記第１モードを実行し、
前記内気温度検出部（45）によって検出される温度が前記目標温度よりも所定の温度以上低くなったときに、前記室内熱交換器（37）を停止させる
ことを特徴とする空調システム。
【請求項３】
請求項１に記載された空調システムにおいて、
前記温度調節部（37）は、冷媒回路（17）に接続される室内熱交換器（37）によって構成され、
前記制御部（11）は、
前記室内熱交換器（37）が放熱部として機能する暖房運転時に前記第１モードを実行し、
前記内気温度検出部（45）によって検出される温度が前記目標温度よりも所定の温度以上高くなったときに、前記室内熱交換器（37）を停止させる
ことを特徴とする空調システム。
【請求項４】
請求項１〜３のいずれか１項に記載された空調システムにおいて、
前記制御部（11）は、在室者（101）が快適と感じる室内空気の快適温度を推定し、
前記基準温度は、前記制御部（11）によって推定される前記快適温度である
ことを特徴とする空調システム。
【請求項５】
請求項４に記載された空調システムにおいて、
前記制御部（11）は、室内の温度、室内の湿度、室内の照度、外気の温度および外気の湿度の少なくとも１つを含む環境情報に関するパラメータと、在室者（101）の温冷感に関するパラメータとに基づいて生成された学習モデルにより、前記快適温度を推定する
ことを特徴とする空調システム。
【請求項６】
請求項４に記載された空調システムにおいて、
外気温度を検出する外気温度検出部（53）と、
前記快適温度と外気温度との関係を示す関係情報を記憶した記憶部（59）と、を備え、
前記制御部（11）は、前記記憶部（59）に記憶された前記関係情報を用い、前記外気温度検出部（53）により検出される外気温度に基づいて前記快適温度を推定する
ことを特徴とする空調システム。
【請求項７】
請求項４〜６のいずれか１項に記載された空調システムにおいて、
在室者（101）の個体差に関する情報が入力される入力部（9）を備え、
前記制御部（11）は、前記入力部（9）に入力された情報に基づいて前記基準温度を補正する
ことを特徴とする空調システム。
【請求項８】
請求項１〜７のいずれか１項に記載された空調システムにおいて、
前記温度調節部（37）を有する室内ユニット（5）を備え、
前記内気温度検出部（45）は、前記室内ユニット（5）とは別部品に設けられている
ことを特徴とする空調システム。
【請求項９】
請求項１〜８のいずれか１項に記載された空調システムにおいて、
前記基準温度をＴａ、前記目標温度をＴｓとしたとき、
前記第１動作を行っている一期間の前記基準温度と前記目標温度との温度差（Ｔａ−Ｔｓ）の積算値と、前記第２動作を行っている一期間の前記目標温度と前記基準温度との温度差（Ｔｓ−Ｔａ）の積算値とが等しい
ことを特徴とする空調システム。
【請求項１０】
請求項１〜９のいずれか１項に記載された空調システムにおいて、
室内空気を換気する換気装置（7）と、
室内の二酸化炭素濃度を検出する二酸化炭素濃度検出部（49）と、を備え、
前記制御部（11）は、前記二酸化炭素濃度検出部（49）により検出される二酸化炭素濃度が所定値以上になったときに、前記換気装置（7）を運転する
ことを特徴とする空調システム。
【発明の詳細な説明】
【技術分野】
【０００１】
本開示は、空調システムに関するものである。
【背景技術】
【０００２】
従来から、空調システムにおいて、在室者の体感温度や温熱快適性に基づき、温度、湿度および風速などを制御することにより、室内環境の快適性を向上させる技術が提案されている（例えば、特許文献１参照）。在室者の体感温度を示す指標としてはＳＥＴ（Standard new Effective Temperature）が、在室者の温熱快適性を示す指標としてはＰＭＶ（Predicted Mean Vote）がそれぞれ知られている。
【先行技術文献】
【特許文献】
【０００３】
【特許文献１】特開２００９−１３３４９９号公報
【発明の概要】
【発明が解決しようとする課題】
【０００４】
空調システムによって実現される在室者が快適と感じる環境の中には、人が眠気を感じる環境条件が存在する。このため、オフィスや自習室などの作業環境においては、在室者が一定温度の快適な環境に滞在し続けると、集中力が低下して作業効率を悪化させるおそれがある。
【０００５】
本開示の目的は、在室者が眠気を感じるのを防止することと、快適な室内環境を実現することとを両立することにある。
【課題を解決するための手段】
【０００６】
本開示の第１の態様は、室内空気の温度を調節する温度調節部（37）と、室内空気の温度を検出する内気温度検出部（45）と、内気温度検出部（45）によって検出される温度が目標温度に近づくように温度調節部（37）を制御する制御部（11）とを備える空調システム（1）を対象とする。
【０００７】
制御部（11）は、目標温度を所定の基準温度よりも低い第１目標温度に下げる第１動作と、目標温度を基準温度よりも高い第２目標温度に上げる第２動作とを順に少なくとも１回ずつ行う第１モードを実行する。第２動作では、目標温度を第１目標温度から第２目標温度にまで段階的に上げる。第１動作において目標温度を第１目標温度に下げるまでの時間は、第２動作において目標温度を第２目標温度に上げるまでの時間よりも短い。
【０００８】
この第１の態様では、第１動作において目標温度を相対的に短い時間で第１目標温度に下げる。そのことで、室内空気の温度が速やかに下げられて基準温度よりも低くなるから、室内温度を在室者（101）が涼しさを感じる温度にして、在室者（101）に冷涼な刺激を与えられる。これにより、在室者（101）が眠気を感じるのを防止することができる。
【０００９】
また、この第１の態様では、第２動作において目標温度を相対的に長い時間をかけて段階的に第２目標温度に上げる。そのことで、室内空気の温度が緩やかに上げられて基準温度よりも高くなるので、温度変化によって在室者（101）にかかる負担を軽減しながら、第１動作を行っている期間と第２動作を行っている期間との総期間における室内空気の平均温度を在室者（101）が快適な温度とすることができる。これにより、在室者（101）にとって快適な室内環境を実現することができる。
【００１０】
本開示の第２の態様は、第１の態様の空調システム（1）において、温度調節部（37）が、冷媒回路（17）に接続される室内熱交換器（37）によって構成されている、空調システム（1）である。制御部（11）は、室内熱交換器（37）が蒸発器として機能する冷房運転時に第１モードを実行する。そして、制御部（11）は、内気温度検出部（45）によって検出される温度が目標温度よりも所定の温度以上低くなったときに、室内熱交換器（37）を停止させる。
【００１１】
この第２の態様では、冷房運転時において、内気温度検出部（45）により検出される温度が目標温度よりも所定の温度以上低くなったときに、室内熱交換器（37）を停止する。そのため、冷房運転時において、目標温度が内気温度検出部（45）によって検出される温度よりも所定の温度以上高く設定された場合、室内熱交換器（37）が停止されるが室内ファン（39）は運転する状態になり得る。そうなると、室内熱交換器（37）に付着した水分が送風によって室内に放たれるため、室内空気の湿度が上がり、在室者（101）に不快感を与えてしまう。
【００１２】
これに対し、この第２の態様においても、第２動作では、目標温度を第１目標温度から第２目標温度にまで段階的に上げるので、冷房運転時において、内気温度検出部（45）により検出される温度が目標温度よりも所定温度以上低くなり難くし、室内熱交換器（37）が停止されるのを抑制できる。これにより、室内空気の湿度が上がることに起因して在室者（101）に不快感を与えないようにできる。
【００１３】
本開示の第３の態様は、第１の態様の空調システム（1）において、温度調節部（37）が、冷媒回路（17）に接続される室内熱交換器（37）によって構成されている、空調システム（1）である。制御部（11）は、室内熱交換器（37）が放熱部として機能する暖房運転時に第１モードを実行する。そして、制御部（11）は、内気温度検出部（45）によって検出される温度が目標温度よりも所定の温度以上高くなったときに、室内熱交換器（37）を停止させる。
【００１４】
この第３の態様では、暖房運転時において、内気温度検出部（45）により検出される温度が目標温度よりも所定の温度以上高くなったときに、室内熱交換器（37）を停止する。第１動作では、目標温度を相対的に短い時間で第１目標温度に下げるから、第１目標温度が内気温度検出部（45）によって検出される温度よりも所定の温度以上低く設定され易い。このことは、第１動作を開始した後に間もなく室内熱交換器（37）を停止し、室内空気の温度を速やかに下げるのに寄与する。
【００１５】
本開示の第４の態様は、第１〜第３の態様のいずれか１つの空調システム（1）において、制御部（11）が、在室者（101）が快適と感じる室内空気の快適温度を推定する、空調システム（1）である。ここで、基準温度は、制御部（11）によって推定される快適温度である。
【００１６】
この第４の態様では、基準温度として制御部（11）により推定される快適温度を用いる。これによれば、第１動作を行っている期間と第２動作を行っている期間との総期間における室内空気の平均温度を在室者（101）が快適な温度とし易い。したがって、第１モードでの室内空気の温度制御により、在室者（101）にとって快適な室内環境を実現するのに好適である。
【００１７】
本開示の第５の態様は、第４の態様の空調システム（1）において、制御部（11）が、室内空気の温度、室内空気の湿度、室内の照度、外気の温度および外気の湿度の少なくとも１つを含む環境情報に関するパラメータと、在室者（101）の温冷感に関するパラメータとに基づいて生成された学習モデルにより、快適温度を推定する、空調システム（1）である。
【００１８】
この第５の態様では、基準温度に用いる快適温度を、環境情報と在室者（101）の温冷感とを関連付けた学習モデルによって推定する。それにより、在室者（101）が快適と感じる室内空気の温度を、快適温度として精度良く推定し、基準温度にすることができる。このことは、第１モードでの室内空気の温度制御により、在室者（101）にとって快適な室内環境を実現するのに有利である。
【００１９】
本開示の第６の態様は、第４の態様の空調システム（1）において、外気温度を検出する外気温度検出部（53）と、快適温度と外気温度との関係を示す関係情報を記憶した記憶部（59）とを備える、空調システム（1）である。制御部（11）は、記憶部（59）に記憶された関係情報を用い、外気温度検出部（53）により検出される外気温度に基づいて快適温度を推定する。
【００２０】
この第６の態様では、基準温度に用いる快適温度を、快適温度と外気温度との関係を示す関係情報を用いて、外気温度検出部（53）により検出される外気温度から推定する。それにより、一般的な快適温度を、在室者（101）が快適と感じる室内空気の温度として推定し、基準温度にすることができる。このことは、第１モードでの室内空気の温度制御により、在室者（101）にとって快適な室内環境を実現するのに有利である。
【００２１】
本開示の第７の態様は、第４〜第６の態様のいずれか１つの空調システム（1）において、在室者（101）の個体差に関する情報が入力される入力部（9）を備える、空調システム（1）である。制御部（11）は、入力部（9）に入力された情報に基づいて基準温度を補正する。
【００２２】
この第７の態様では、制御部（11）が在室者（101）の個体差に関する情報に基づいて基準温度を補正する。それにより、在室者（101）の個体差に関する情報が基準温度に反映されるので、在室者（101）が快適と感じる室内空気の温度を、精度良く基準温度として用いることができる。このことは、第１モードでの室内空気の温度制御により、在室者（101）にとって快適な室内環境を実現するのに有利である。
【００２３】
本開示の第８の態様は、第１〜第７の態様のいずれか１つの空調システム（1）において、温度調節部（37）を有する室内ユニット（5）を備える、空調システム（1）である。内気温度検出部（45）は、室内ユニット（5）とは別部品に設けられている。
【００２４】
この第８の態様では、内気温度検出部（45）が室内ユニット（5）とは別部品に設けられている。内気温度検出部（45）が設けられた別部品は、在室者（101）の近くに配置することが可能である。よって、在室者（101）の付近での室内空気の温度を内気温度検出部（45）により検出することができる。このことは、第１モードでの室内空気の温度制御により、在室者（101）にとって快適な室内環境を実現するのに好適である。
【００２５】
本開示の第９の態様は、第１〜第８の態様のいずれか１つの空調システム（1）において、基準温度をＴａ、目標温度をＴｓとしたとき、第１動作を行っている一期間の基準温度と目標温度との温度差（Ｔａ−Ｔｓ）の積算値と、第２動作を行っている一期間の目標温度と基準温度との温度差（Ｔｓ−Ｔａ）の積算値とが等しい、空調システム（1）である。
【００２６】
この第９の態様では、第１動作の目標温度および実行時間と第２動作の目標温度および実行時間が、第１動作を行っている一期間と第２動作を行っている一期間との総期間における室内空気の平均温度が基準温度となるように決定される。このことは、第１モードでの室内空気の温度制御により、在室者（101）にとって快適な室内環境を実現するのに好適である。
【００２７】
本開示の第１０の態様は、第１〜第９の態様のいずれか１つの空調システム（1）において、室内空気を換気する換気装置（7）と、室内の二酸化炭素濃度を検出する二酸化炭素濃度検出部（49）とを備える、空調システム（1）である。制御部（11）は、二酸化炭素濃度検出部（49）により検出される二酸化炭素濃度が所定値以上になったときに、換気装置（7）を運転する。
【００２８】
この第１０の態様では、二酸化炭素濃度検出部（49）により検出される室内の二酸化炭素濃度が所定値以上になったときに、換気装置（7）を運転する。室内の二酸化炭素濃度が高いと、倦怠感や疲労度が増したり、眠気を招いたりする。換気装置（7）を運転すれば、室内空気が入れ替えられて室内の二酸化炭素濃度が下がるので、在室者（101）にとって快適な室内環境を実現するのに好適である。
【図面の簡単な説明】
【００２９】
【図１】図１は、実施形態の空調システムを概略的に示す模式図である。
【図２】図２は、実施形態の空調システムを構成する冷媒回路を示す図である。
【図３】図３は、実施形態の空調システムの構成を示すブロック図である。
【図４】図４は、実施形態の空調システムで用いられる関係情報（熱的快適性の適応モデル）のイメージ図である。
【図５】図５は、実施形態の空調システムにおける冷房運転時の集中力維持モードのフローチャートである。
【図６】図６は、実施形態の空調システムにおける暖房運転時の集中力維持モードのフローチャートである。
【図７】図７は、実施形態の空調システムにおける集中力維持モードでの換気制御のフローチャートである。
【発明を実施するための形態】
【００３０】
《実施形態１》
実施形態１について説明する。
【００３１】
この実施形態１の空調システム（1）は、在室者（101）の作業に対する集中力を維持するのに寄与するシステムであって、オフィスや自習室などの在室者（101）が作業を行う室内を対象とした空調を行うのに使用される。
【００３２】
−空調システムの構成−
図１に示すように、空調システム（1）は、室外に設置される室外ユニット（3）と、室内に設置される室内ユニット（5）および換気装置（7）と、リモートコントローラ（9）と、各種のセンサ類（45,47,49,51,53,55）と、当該空調システム（1）の動作を総合的に制御する制御部（11）とを備える。
【００３３】
〈室外ユニット、室内ユニット〉
室外ユニット（3）と室内ユニット（5）とは、連絡配管（13,15）により接続されて、図２に示す冷媒回路（17）を構成している。冷媒回路（17）では、充填された冷媒が循環することにより、蒸気圧縮式の冷凍サイクルが行われる。冷媒には、例えばＲ３２冷媒が用いられる。冷媒回路（17）は、室外回路（19）と、室内回路（21）とを含む。
【００３４】
室外ユニット（3）は、例えば、建物の屋上や建物脇の地面上、ベランダなどの屋外に設置される。室外ユニット（3）は、圧縮機（23）と、四方切換弁（25）と、室外熱交換器（27）と、膨張弁（29）と、室外ファン（31）とを有する。圧縮機（23）、四方切換弁（25）、室外熱交換器（27）および膨張弁（29）は、この順に冷媒配管（33）で接続されて室外回路（19）を構成している。
【００３５】
圧縮機（23）は、吸入した冷媒を圧縮し、圧縮した冷媒を吐出する。圧縮機（23）は、例えば容量が可変なインバータ式に構成される。圧縮機（23）は、例えば回転式圧縮機である。室外ファン（31）は、室外熱交換器（27）の近傍に設置される。室外ファン（31）は、室外ファンモータ（35）によって駆動される。室外ファン（31）は、例えばプロペラファンによって構成される。室外ファン（31）は、外気を搬送し、室外熱交換器（27）に通過させる。
【００３６】
室外熱交換器（27）は、室外ファン（31）によって搬送される外気と内部に流れる冷媒とを熱交換させる。室外熱交換器（27）は、例えばフィンアンドチューブ式熱交換器によって構成される。膨張弁（29）は、開度が可変な制御弁である。膨張弁（29）は、内部に流れる冷媒を減圧する。膨張弁（29）は、例えば電子膨張弁により構成される。
【００３７】
四方切換弁（25）は、冷媒回路（17）における冷媒の流路を第１状態（図２の実線で示す状態）と第２状態（図２の破線で示す状態）とに切り替える。第１状態の四方切換弁（25）は、圧縮機（23）の吐出部と室外熱交換器（27）とを連通させ、圧縮機（23）の吸入部と室内熱交換器（37）とを連通させる。第２状態の四方切換弁（25）は、圧縮機（23）の吐出部と室内熱交換器（37）とを連通させ、圧縮機（23）の吸入部と室外熱交換器（27）とを連通させる。
【００３８】
室内ユニット（5）は、例えば、室内の壁面や天井に取り付けられる。図１に示す室内ユニット（5）は、壁面に取り付けられる壁掛け式のユニットである。室内ユニット（5）は、室内熱交換器（37）と、室内ファン（39）とを有する。室内熱交換器（37）は、室内回路（21）を構成している。室内ファン（39）は、室内熱交換器（37）の近傍に設置される。室内ファン（39）は、室内ファンモータ（41）によって駆動される。
【００３９】
室内ファン（39）は、例えばクロスフローファンによって構成される。室内ファン（39）は、室内空気を搬送し、室内熱交換器（37）に通過させる。室内熱交換器（37）は、室内ファン（39）によって搬送される室内空気と内部を流れる冷媒とを熱交換させる。室内熱交換器（37）は、例えばフィンアンドチューブ式熱交換器によって構成される。ここで、室内熱交換器（37）は、室内空気の温度を調節する温度調節部の一例である。
【００４０】
冷媒回路（17）において、四方切換弁（25）が第１状態のときには、室外熱交換器（27）が凝縮器として機能し、室内熱交換器（37）が放熱器（蒸発器）として機能する冷凍サイクル（冷媒が図２の実線矢印の方向に流れる冷凍サイクル）が行われる。また、冷媒回路（17）において、四方切換弁（25）が第２状態のときには、室外熱交換器（27）が放熱器（蒸発器）として機能し、室内熱交換器（37）が凝縮器として機能する冷凍サイクル（冷媒が図２の破線矢印の方向に流れる冷凍サイクル）が行われる。
【００４１】
<換気装置>
換気装置（7）は、例えば、室内の壁面や天井に取り付けられる。図１に示す換気装置（7）は、壁面に取り付けられる壁掛け式の装置である。換気装置（7）は、換気ファン（43）と、必要に応じてダクトとを有する。換気ファン（43）は、室内に外部の空気を取り入れて、室内空気を外部に排出する。換気ファン（43）は、換気ファンモータ（不図示）によって駆動される。
【００４２】
〈リモートコントローラ〉
リモートコントローラ（9）は、室内ユニット（5）とは別部品であって、在室者（101）が作業を行うデスク（103）上など、在室者（101）の付近に置かれることが多い。リモートコントローラ（9）は、在室者（101）が操作可能に構成されている。図示しないが、リモートコントローラ（9）は、在室者（101）が操作を行う操作部と、所定の情報を表示する表示部とを有する。リモートコントローラ（9）は、無線により制御部（11）に接続される。リモートコントローラ（9）は、操作信号を制御部（9）に出力する。
【００４３】
操作部では、空調システム（1）のオンおよびオフや、運転モードおよび制御モードの切り換え、後述の集中力維持モードでの覚醒強さの設定、後述の基準温度に関する補正情報の入力を行える。操作部は、これら各種の操作を行うための複数のボタンを有する。複数のボタンには、後述の集中力維持モードをオンおよびオフするための集中ボタン、覚醒強さを設定するための選択ボタンが含まれる。
【００４４】
集中力維持モードでの覚醒強さの設定としては、例えば「弱」、「中」および「強」の３パターンが用意されている。ここで、「覚醒強さ」とは、集中力維持モードでの在室者（101）への冷涼な刺激の強さの程度を表している。覚醒強さの設定の内容については、後に詳述する。
【００４５】
操作部にて入力される補正情報は、在室者（101）の個体差に関する情報である。補正情報は、在室者（101）の暑さや寒さの体感に関する情報（暑がりであるや寒がりであるなどの抽象的な情報）であってもよい。また、補正情報は、＋１．０℃や−１．０℃といった具体的な補正温度の情報であってもよい。また、補正情報は、在室者（101）の性別、年齢、代謝量、体脂肪率および血圧などといった温冷感に関係する個人パラメータであってもよい。
【００４６】
表示部には、設定温度（基準温度）や室内空気の湿度、運転モードの情報などが表示される。運転モードの情報としては、冷房運転であるか暖房運転であるか、さらに後述の集中力維持モードが実行中であるか、集中力維持モードでの覚醒強さがいずれに設定されているかなどが挙げられる。
【００４７】
〈センサ類〉
センサ類としては、内気温度センサ（45）、内気湿度センサ（47）、ＣＯ２濃度センサ（49）、照度センサ（51）、外気温度センサ（53）および外気湿度センサ（55）を備える。これら各センサ（45,47,49,51,53,55）は、有線または無線により制御部（11）に接続される。各センサ（45,47,49,51,53,55）は、検出信号を制御部（11）に出力する。ここで、室内温度センサ（47）は、内気温度検出部の一例である。ＣＯ２濃度センサ（49）は、二酸化炭素濃度検出部の一例である。
【００４８】
内気温度センサ（45）、内気湿度センサ（47）、ＣＯ２濃度センサ（49）および照度センサ（51）は、例えば室内ユニット（5）に設けられている。室内温度センサ（45）は、室内ユニット（5）に吸い込まれる室内空気の温度を検出する。室内湿度センサ（47）は、室内ユニット（5）に吸い込まれる室内空気の湿度を検出する。ＣＯ２濃度センサ（49）は、室内ユニット（5）に吸い込まれる室内空気のＣＯ２濃度（二酸化炭素濃度）を検出する。照度センサ（51）は、室内の明るさ（照度）を検出する。
【００４９】
外気温度センサ（53）および外気湿度センサ（55）は、例えば室外ユニット（3）に設けられている。外気温度センサ（53）は、室外ユニット（3）に吸い込まれる外気の温度を検出する。外気湿度センサ（55）は、室外ユニット（3）に吸い込まれる外気の湿度を検出する。
【００５０】
<制御部>
制御部（11）は、周知のマイクロコンピュータをベースとするコントローラである。図３に示すように、制御部（11）は、プログラムを実行する中央演算処理装置（Central Processing Unit：ＣＰＵ）（57）と、中央演算処理装置上で実行される各種のプログラムやデータを記憶する記憶部（59）とを有する。記憶部（59）は、ＲＯＭ（Read Only Memory）やＲＡＭ（Random Access Memory）などによって構成されている。制御部（11）は、例えば室内ユニット（5）に内蔵されている。
【００５１】
制御部（11）は、内気温度センサ（45）、内気湿度センサ（47）、ＣＯ２濃度センサ（49）、照度センサ（51）、外気温度センサ（53）および外気湿度センサ（55）の検知信号、リモートコントローラ（9）からの操作信号に基づいて、室外ユニット（3）（圧縮機（23）、四方切換弁（25）、膨張弁（29）、室外ファン（31））、室内ユニット（5）（室内ファン（39））および換気装置（7）（換気ファン（43））の制御量を計算する。制御部（11）は、計算した制御量に係る制御信号を室外ユニット（3）、室内ユニット（5）および換気装置（7）に出力する。
【００５２】
記憶部（59）には、室内空気の湿度、室内空気のＣＯ２濃度、室内の照度、外気温度および外気湿度のうち少なくとも１つと、在室者（101）が快適と感じる室内空気の快適温度との関係を示す関係情報が記憶されている。関係情報としては、例えば、アダプティブコンフォートモデル（Adaptive Comfort Model）などとして知られる熱的快適性の適応モデルの情報が用いられる。
【００５３】
在室者（101）の快適温度は、人の環境への適応能力により外気温度に応じて変動する。熱的快適性の適応モデルは、室内空気の温度と在室者（101）の温冷感の申告に基づいて統計情報から回帰分析によって得られるモデルであって、図４のグラフで表されるような外気温度と快適温度との関係を示す情報である。図４に示す熱的快適性の適応モデルでは、快適温度は、外気温度が高くなるほど高くなっている。図４において、上下の二点鎖線の間の範囲は、統計上９０％の人間が快適と感じる快適温度の範囲を示し、上下の一点鎖線の間の範囲は、統計上８０％の人間が快適と感じる快適温度の範囲を示している。
【００５４】
制御部（11）は、記憶部（59）に記憶された関係情報、この実施形態１では熱的快適性の適応モデルの情報を用い、外気温度センサ（53）によって検出される外気温度に基づいて、在室者（101）の快適温度を推定する。一般に、快適性に関する気温の概念として、人間にとって暑くもなく寒くもなく快適に感じる気温である中立温度という概念が知られている。図４に示す熱的快適性の適応モデルにおいては、快適温度の範囲の中の実線ＮＬで示した中間の温度を中立温度とみなすことができる。制御部（11）は、この熱的快適性の適応モデルにより外気温度から求められる中立温度を在室者（101）の快適温度と推定する。
【００５５】
制御部（11）は、推定した快適温度に基づいて基準温度を自動で設定する。制御部（11）は、リモートコントローラ（9）により基準温度に関する補正情報が入力されていない場合、推定した快適温度を基準温度に設定する。制御部（11）は、リモートコントローラ（9）により基準温度に関する補正情報が入力されている場合、当該補正情報に基づいて基準温度を補正する。
【００５６】
例えば、補正情報として、在室者（101）が暑がりとの情報が入力されている場合、基準温度を所定の温度だけ下げる補正を行い、在室者（101）が寒がりとの情報が入力されている場合、基準温度を所定の温度だけ上げる補正を行う。また、補正情報として、具体的な補正温度の情報が入力されている場合、当該補正温度に応じて基準温度を上げるまたは下げる補正を行う。また、補正情報として、温冷感に関係する個人パラメータが入力されている場合、当該個人パラメータに応じて決定される所定の温度だけ基準温度を上げるまたは下げる補正を行う。
【００５７】
なお、制御部（11）は、リモートコントローラ（9）からの操作信号に基づいて基準温度を設定可能になっていてもよい。基準温度は、在室者がリモートコントローラ（9）の操作することにより手動で設定されてもよい。
【００５８】
制御部（11）は、リモートコントローラ（9）からの操作信号に基づいて、指定された運転モード（冷房運転または暖房運転）で室外ユニット（3）および室内ユニット（5）の動作を制御し、上述した各種センサ（45,47,49,51,53,55）からの検出信号に基づいて、空調システム（1）の運転を制御する。
【００５９】
制御部（11）は、複数の制御モードを有し、リモートコントローラ（9）からの操作信号により設定された制御モードに応じて室外ユニット（3）、室内ユニット（5）および換気装置（7）の動作を制御する。制御部（11）は、制御モードとして、在室者（101）の集中力を高めるための集中力維持モードと、集中力維持モードがオフのときに遷移する通常運転モードとを有する。ここで、「在室者（101）の集中力を高める」とは、在室者（101）が眠気を感じずに快適に過ごせるようにすることを意味する。ここで、集中力維持モードは、第１モードの一例である。
【００６０】
また、制御部（11）は、ＣＯ２センサによって検出される室内空気のＣＯ２濃度に基づいて、換気装置（7）の動作を制御する。ＣＯ２濃度は、室内空気の質を評価する指標の１つである。室内空気のＣＯ２濃度が高いと、倦怠感や疲労度が増したり、眠気を招いたりする。このため、室内空気のＣＯ２濃度は、高くなり過ぎないようにすることが望ましい。
【００６１】
制御部（11）は、ＣＯ２濃度センサ（49）によって検出される室内のＣＯ２濃度が所定の第１基準値以上になったときに、換気装置（7）を運転する。第１基準値は、建築物の環境管理に関して定められている目安に従い、例えば１０００ｐｐｍに設定される。また、制御部（11）は、ＣＯ２濃度センサ（49）によって検出される室内空気のＣＯ２濃度が所定の第２基準値未満になったときに、換気装置（7）を停止する。第２基準値は、例えば９００ｐｐｍに設定される。
【００６２】
−空調システムの運転動作−
空調システム（1）は、リモートコントローラ（9）により設定される運転モードに従い、冷房運転と暖房運転とを切り換えて、室内空気の温度を調節する。集中力維持モードは、冷房運転時および暖房運転時のいずれにおいても、リモートコントローラ（9）で集中ボタンを押下する操作により実行し、集中ボタンの再操作により解除することが可能である。
【００６３】
<冷房運転>
冷房運転では、四方切換弁（25）を第１状態とする。圧縮機（23）により圧縮された冷媒は、放熱器として機能する室外熱交換器（27）により放熱（凝縮）する。放熱した冷媒は、膨張弁（29）により減圧された後に、蒸発器として機能する室内熱交換器（37）を流れる。室内熱交換器（37）では、冷媒が室内空気から吸熱して蒸発する。室内熱交換器（37）で冷却された室内空気は、室内ファン（39）により室内空間に送風される。蒸発した冷媒は圧縮機（23）に吸入される。冷房運転では、室内熱交換器（37）の付近で凝縮水が発生する。
【００６４】
冷房運転時においては、内気温度センサ（45）によって検出される温度が目標温度よりも所定の第１温度以上高くなったときに、圧縮機（23）を停止させることで冷媒回路（17）を冷媒が流れないようにして、室内熱交換器（37）を停止させる。このとき、室内ファン（39）は運転させたままとする。この実施形態１において、室内熱交換器（37）を停止させる基準となる第１温度（室内空気の温度と目標温度との温度差）は、例えば１．０℃に設定される。室内熱交換器（37）の運転は、内気温度センサ（45）によって検出される温度が目標温度に到達したときに再開される。
【００６５】
<暖房運転>
暖房運転では、四方切換弁（25）を第２状態とする。圧縮機（23）で圧縮された冷媒は、放熱器（凝縮器）として機能する室内熱交換器（37）を流れる。室内熱交換器（37）では、冷媒が室内空気に放熱して凝縮する。室内熱交換器（37）で加熱された室内空気は、室内ファン（39）により室内空間に送風される。凝縮した冷媒は、膨張弁（29）で減圧された後、室外熱交換器（27）で蒸発する。蒸発した冷媒は圧縮機（23）に吸入される。
【００６６】
暖房運転時においては、内気温度センサ（45）によって検出される温度が目標温度よりも所定の第２温度以上高くなったときに、圧縮機（23）を停止させることで冷媒回路（17）を冷媒が流れないようにして、室内熱交換器（37）を停止させる。このとき、室内ファン（39）は運転させたままとする。この実施形態１において、室内熱交換器（37）を停止させる基準となる第２温度（室内空気の温度と目標温度との温度差）は、例えば１．０℃に設定される。室内熱交換器（37）の運転は、内気温度センサ（45）によって検出される温度が目標温度に到達したときに再開される。
【００６７】
<通常運転モード>
通常運転モードでは、基準温度を目標温度に設定する。基準温度は、熱的快適性の適応モデルの情報を用いた推定制御に従い、外気温度センサ（53）によって検出される外気温度の変動に応じて変更されるので、目標温度は、外気温度の変動に応じて更新される。通常運転モードにおいては、内気温度センサ（45）によって検出される温度が目標温度に近づくように室内熱交換器（37）を制御する。
【００６８】
<集中力維持モード>
集中力維持モードでは、第１動作と第２動作とを順に少なくとも１回ずつ行う。第１動作は、目標温度を基準温度よりも低い第１目標温度に下げる動作である。第２動作は、目標温度を基準温度よりも高い第２目標温度に上げる動作である。第１動作において目標温度を第１目標温度に下げるまでの時間は、第２動作において目標温度を第２目標温度に上げるまでの時間よりも短い。このことは、後述する第１動作および第２動作での制御で明らかにする。
【００６９】
集中力維持モードにおいて、第１動作中は、内気温度センサ（45）によって検出される温度が第１目標温度に近づくように室内熱交換器（37）を制御し、第２動作中は、内気温度センサ（45）によって検出される温度が第２目標温度に近づくように室内熱交換器（37）を制御する。これら第１動作と第２動作とは、集中力維持モードを実行している間は、交互に繰り返し行われる。
【００７０】
第１目標温度および第２目標温度は、リモートコントローラ（9）によって設定された覚醒強さに応じて決定される。覚醒強さの設定は、基準温度からの第１目標温度の下げ幅と、基準温度からの第２目標温度の上げ幅に反映される。これら第１目標温度の下げ幅および第２目標温度の上げ幅は、例えば第１目標温度と第２目標温度との温度差が３℃以下になるように設定される。このようにしたのは、室内空気の温度の変動幅が３℃を越えると、在室者（101）の身体に負担がかかるからである。
【００７１】
覚醒強さ「弱」の設定は、例えば、基準温度からの第１目標温度の下げ幅を１．５℃とし、基準温度からの第２目標温度の上げ幅を１．５℃とする設定である。この設定の場合、第１目標温度は、基準温度よりも１．５℃だけ低い温度に設定され、第２目標温度は、基準温度よりも１．５℃だけ高い温度に設定される。このように、覚醒強さ「弱」の設定では、基準温度からの第１目標温度の下げ幅が比較的小さい。
【００７２】
覚醒強さ「中」の設定は、例えば、基準温度からの第１目標温度の下げ幅を２．０℃とし、基準温度からの第２目標温度の上げ幅を１．０℃とする設定である。この設定の場合、第１目標温度は、基準温度よりも２．０℃だけ低い温度に設定され、第２目標温度は、基準温度よりも１．０℃だけ高い温度に設定される。このように、覚醒強さ「中」の設定では、基準温度からの第１目標温度の下げ幅が覚醒強さ「弱」の設定に比べて大きい。
【００７３】
覚醒強さ「強」の設定は、例えば、基準温度からの第１目標温度の下げ幅を２．５℃とし、基準温度からの第２目標温度の上げ幅を０．５℃とする設定である。この設定の場合、第１目標温度は、基準温度よりも２．５℃だけ低い温度に設定され、第２目標温度は、基準温度よりも０．５℃だけ高い温度に設定される。このように、覚醒強さ「強」の設定では、基準温度からの第１目標温度の下げ幅が覚醒強さ「中」の設定に比べて大きい。
【００７４】
第１動作では、目標温度を開始後直ぐに第１目標温度に設定する。これに対し、第２動作では、目標温度を開始後直ぐに第２目標温度には設定せず、第１目標温度から第２目標温度にまで段階的に上げる。具体的には、目標温度を第１目標温度から第２目標温度にまで３０秒毎に０．５℃ずつ徐々に上げる。目標温度の段階的な上げ幅を０．５℃としたのは、室内熱交換器（37）を停止させる基準となる第１温度（室内空気の温度と目標温度との温度差）が１．０℃に設定されているからである。このような制御によれば、冷房運転時において、室内熱交換器（37）が停止されるのを抑制できる。
【００７５】
第１動作の実行時間と第２動作の実行時間とは、基準温度をＴａ、目標温度をＴｓとしたとき、第１動作を行っている一期間の基準温度Ｔａと目標温度Ｔｓとの温度差（Ｔａ−Ｔｓ）の積算値と、第２動作を行っている一期間の目標温度Ｔｓと基準温度Ｔａとの温度差（Ｔｓ−Ｔａ）の積算値とが等しくなるように設定される。
【００７６】
具体的には、第１動作の実行時間と第２動作の実行時間とは、基準温度をＴａ、第１目標温度をＴｓ１、第２目標温度をＴｓ２、第１動作の実行時間をΔＴＬ、第２動作の実行時間をΔＴＨ、第２動作での目標温度の段階的な上げ幅をΔＴｒとしたとき、以下の関係式（１）を満たすように設定される。
【数１】
2020176797.tif 000003
ここで、Ｎ＝（Ｔｓ２−Ｔｓ１）／ΔＴｒである。なお、Ｎ＞１である。
【００７７】
第１動作の実行時間ΔＴＬは、例えば４分以下に設定される。これは、室内空気の温度が冷涼な環境下において、在室者（101）の滞在する継続時間が４分を越えると寒さを感じやすいからである。この実施形態１において、第１動作の実行時間（ΔＴＬ）は、例えば４分に設定される。
【００７８】
第２動作の実行時間ΔＴＨは、上記関係式（１）に基づき、覚醒強さの設定に応じて設定される。
【００７９】
覚醒強さ「弱」の設定（基準温度Ｔａからの第１目標温度Ｔｓ１の下げ幅が１．５℃、基準温度Ｔａからの第２目標温度Ｔｓ２の上げ幅が１．５℃、第１動作の実行時間ΔＴＬが４分、第２動作での目標温度の段階的な上げ幅ΔＴｒが０．５分である場合）において、第２動作の実行時間ΔＴＨは、上記関係式（１）より６．５分に設定される。
【００８０】
覚醒強さ「中」の設定（基準温度Ｔａからの第１目標温度Ｔｓ１の下げ幅が２．０℃、基準温度Ｔａからの第２目標温度Ｔｓ２の上げ幅が１．０℃、第１動作の実行時間ΔＴＬが４分、第２動作での目標温度の段階的な上げ幅ΔＴｒが０．５分である場合）において、第２動作の実行時間ΔＴＨは、上記関係式（１）より１１．７５分に設定される。
【００８１】
覚醒強さ「強」の設定（基準温度Ｔａからの第１目標温度Ｔｓ１の下げ幅が２．５℃、基準温度Ｔａからの第２目標温度Ｔｓ２の上げ幅が０．５℃、第１動作の実行時間ΔＴＬが４分、第２動作での目標温度の段階的な上げ幅ΔＴｒが０．５分である場合）において、第２動作の実行時間ΔＴＨは、上記関係式（１）より２７．５分に設定される。
【００８２】
−冷房運転時の集中力維持モード−
空調システム（1）による冷房運転時の集中力維持モードは、図５に示すフローチャートに従って実行される。
【００８３】
図５に示すように、冷房運転において、まず、スタートアップ後のステップＣ−ＳＴ０１では、リモートコントローラ（9）からの操作信号に基づいて、集中ボタンが押下されたか否かを判定する。このステップＣ−ＳＴ０１で集中ボタンが押下されていないと判定した場合（ＮＯの場合）、リターンして当該ステップＣ−ＳＴ０１を繰り返し行い、集中ボタンが押下されるのを監視する。
【００８４】
また、このステップＣ−ＳＴ０１で集中ボタンが押下されたと判定した場合（ＹＥＳの場合）、次のステップＣ−ＳＴ０２に進む。ステップＣ−ＳＴ０２では、集中力維持モードの実行を開始する。次いで、ステップＣ−ＳＴ０３に進む。また、ステップＣ−ＳＴ０３以降のステップと同時に、後述する換気制御が実行される。
【００８５】
ステップＣ−ＳＴ０３では、各種センサ（45,47,49,51,53,55）の検出信号を読み込み、室内空気の温度、室内空気の湿度、室内の照度、外気温度および外気湿度といった室内および室外の環境情報を取得すると共に、リモートコントローラ（9）による設定情報を読み込み、基準温度に関する在室者（101）の補正情報および覚醒強さの設定情報などを取得する。次いで、ステップＣ−ＳＴ０４に進む。
【００８６】
ステップＣ−ＳＴ０４では、熱的快適性の適応モデルの情報を用い、ステップＣ−ＳＴ０３で取得した外気温度に基づいて、在室者（101）の快適温度（中立温度）を推定し、推定した快適温度を基準温度に設定する。このとき、リモートコントローラ（9）により基準温度に関する補正情報が設定されている場合には、その補正情報に基づいて基準温度を補正する。次いで、ステップＣ−ＳＴ０５に進む。
【００８７】
ステップＣ−ＳＴ０５では、ステップＣ−ＳＴ０４で設定した基準温度と、ステップＣ−ＳＴ０３で取得した覚醒強さの設定情報とに基づいて、第１目標温度および第２目標温度を設定する。なお、第１動作の実行時間ΔＴＬおよび第２動作の実行時間ΔＴＨは、ステップＣ−ＳＴ０３で取得した覚醒強さの設定情報に基づいて決定される。次いで、ステップＣ−ＳＴ０６に進む。
【００８８】
ステップＣ−ＳＴ０６では、第１動作の実行を開始し、目標温度を第１目標温度に設定する。これにより、室内空気の温度が速やかに下げられて基準温度よりも低くなるから、室内温度を在室者（101）が涼しさを感じる温度として、在室者（101）に覚醒強さの設定に応じた冷涼な刺激を与えられる。次いで、ステップＣ−ＳＴ０７に進む。
【００８９】
ステップＣ−ＳＴ０７では、リモートコントローラ（9）で集中ボタンが再度押下されて集中力維持モードが解除されたか否かを判定する。このステップＣ−ＳＴ０７で集中力維持モードが解除されたと判定した場合（ＹＥＳの場合）、集中力維持モードを終了し、通常運転モードに遷移する。このステップＣ−ＳＴ０７で集中力維持モードが解除されていないと判定した場合（ＮＯの場合）、ステップＣ−ＳＴ０８に進む。
【００９０】
ステップＣ−ＳＴ０８では、第１動作の実行時間（ΔＴＬ）が経過しているか否かを判定する。このステップＣ−ＳＴ０８で第１動作の実行時間（ΔＴＬ）が経過していないと判定した場合（ＮＯの場合）、ステップＣ−ＳＴ０７に戻り、集中力維持モードが解除されるかまたは第１動作の実行時間が経過するまでステップＣ−ＳＴ０７とステップＣ−ＳＴ０８とを繰り返し行う。また、ステップＣ−ＳＴ０８で第１動作の実行時間（ΔＴＬ）が経過していると判定した場合（ＹＥＳの場合）、ステップＣ−ＳＴ０９に進む。
【００９１】
ステップＣ−ＳＴ０９では、第１動作に代えて第２動作の実行を開始し、目標温度を第１目標温度から第２目標温度にまで段階的に上げる。
【００９２】
このとき、目標温度が内気温度センサ（45）によって検出される温度よりも第１温度（１．０℃）以上高く設定された場合、室内熱交換器（37）は停止されるが室内ファン（39）は運転する状態になる。そうなると、室内熱交換器（37）に付着した水分が送風によって室内に放たれるため、室内空気の湿度が上がり、在室者（101）に不快感を与え兼ねない。この実施形態１においては、上述の如く、目標温度を第１目標温度から第２目標温度にまで３０秒毎に０．５℃ずつ徐々に上げるので、内気温度センサ（45）により検出される温度が目標温度よりも第１温度（１．０℃）以上低くなり難く、室内熱交換器（37）が停止するのを抑制できる。
【００９３】
次いで、ステップＣ−ＳＴ１０では、リモートコントローラ（9）で集中ボタンが再度押下されて集中力維持モードが解除されたか否かを判定する。このステップＣ−ＳＴ１０で集中力維持モードが解除されたと判定した場合（ＹＥＳの場合）、集中力維持モードを終了し、通常運転モードに遷移する。このステップＣ−ＳＴ１０で集中力維持モードが解除されていないと判定した場合（ＮＯの場合）、ステップＣ−ＳＴ１１に進む。
【００９４】
ステップＣ−ＳＴ１１では、第２動作の実行時間（ΔＴＨ）が経過しているか否かを判定する。このステップＣ−ＳＴ１１で第２動作の実行時間（ΔＴＨ）が経過していないと判定した場合（ＮＯの場合）、ステップＣ−ＳＴ１０に戻り、集中力維持モードが解除されるかまたは第２動作の実行時間（ΔＴＨ）が経過するまでステップＣ−ＳＴ１０とステップＣ−ＳＴ１１とを繰り返し行う。ステップＣ−ＳＴ１１で第２動作の実行時間（ΔＴＨ）が経過していると判定した場合（ＹＥＳの場合）、ステップＣ−ＳＴ０６に戻り、第２動作に代えて第１動作の実行を開始する。
【００９５】
この冷房運転時の集中力維持モードでの第１動作および第２動作の繰り返し運転は、在室者（101）がリモートコントローラ（9）を操作して当該集中力維持モードを解除するまで実行される。この集中力維持モードの実行によれば、在室者に冷涼な刺激を周期的に与えながら、第１動作および第２動作を１回ずつ行う１サイクルでの総期間における室内空気の平均温度が快適温度に調整される。
【００９６】
−暖房運転時の集中力維持モード−
空調システム（1）による暖房運転時の集中力維持モードは、図６に示すフローチャートに従って実行される。
【００９７】
図６に示すように、暖房運転において、まず、スタートアップ後のステップＨ−ＳＴ０１では、リモートコントローラ（9）からの操作信号に基づいて、集中ボタンが押下されたか否かを判定する。このステップＨ−ＳＴ０１で集中ボタンが押下されていないと判定した場合（ＮＯの場合）、リターンして当該ステップＣ−ＳＴ０１を繰り返し行い、集中ボタンが押下されるのを監視する。
【００９８】
また、このステップＨ−ＳＴ０１で集中ボタンが押下されたと判定した場合（ＹＥＳの場合）、次のステップＨ−ＳＴ０２に進む。ステップＣ−ＳＴ０２では、集中力維持モードを開始する。次いで、ステップＨ−ＳＴ０３に進む。また、ステップＨ−ＳＴ０３以降のステップと同時に、後述する換気制御が実行される。
【００９９】
ステップＨ−ＳＴ０３では、各種センサ（45,47,49,51,53,55）の検出信号を読み込み、室内空気の温度、室内空気の湿度、室内の照度、外気温度および外気湿度といった室内および室外の環境情報を取得すると共に、リモートコントローラ（9）による設定情報を読み込み、基準温度に関する補正情報および覚醒強さの設定情報などを取得する。次いで、ステップＨ−ＳＴ０４に進む。
【０１００】
ステップＨ−ＳＴ０４では、熱的快適性の適応モデルの情報を用い、ステップＨ−ＳＴ０３で取得した外気温度に基づいて、在室者（101）の快適温度（中立温度）を推定し、推定した快適温度を基準温度に設定する。このとき、リモートコントローラ（9）により基準温度に関する補正情報が設定されている場合には、その補正情報に基づいて基準温度を補正する。
【０１０１】
次いで、ステップＨ−ＳＴ０５に進む。ステップＨ−ＳＴ０５では、ステップＨ−ＳＴ０４で設定した基準温度と、ステップＨ−ＳＴ０３で取得した覚醒強さの設定情報とに基づいて、第１目標温度および第２目標温度を設定する。なお、第１動作の実行時間ΔＴＬおよび第２動作の実行時間ΔＴＨは、ステップＣ−ＳＴ０３で取得した覚醒強さの設定情報に基づいて決定される。次いで、ステップＨ−ＳＴ０６に進む。
【０１０２】
ステップＨ−ＳＴ０６では、第１動作の実行を開始し、目標温度を第１目標温度に設定する。
【０１０３】
このとき、覚醒強さがいずれの強度設定とされていても、第１目標温度が基準温度よりも１．５℃以上低いので、第１動作の実行が開始されて直ぐに、内気温度センサ（45）によって検出される温度が第２目標温度よりも第１温度（１．０℃）以上高くなり、室内熱交換器（37）が停止される。それにより、室内空気の温度が速やかに下げられて基準温度よりも低くなるから、室内空気の温度を在室者（101）が涼しさを感じる温度として、在室者（101）に覚醒強さの設定に応じた冷涼な刺激を与えられる。この第１動作では、内気温度センサ（45）によって検出される温度が第１目標温度にまで到達したら室内熱交換器（37）の運転を再開させる。次いで、ステップＨ−ＳＴ０７に進む。
【０１０４】
ステップＨ−ＳＴ０７では、リモートコントローラ（9）で集中ボタンが押下されて集中力維持モードが解除されたか否かを判定する。このステップＨ−ＳＴ０７で集中力維持モードが解除されたと判定した場合（ＹＥＳの場合）、集中力維持モードを終了し、通常運転モードに遷移する。このステップＨ−ＳＴ０７で集中力維持モードが解除されていないと判定した場合（ＮＯの場合）、ステップＨ−ＳＴ０８に進む。
【０１０５】
ステップＨ−ＳＴ０８では、第１動作の実行時間（ΔＴＬ）が経過しているか否かを判定する。このステップＨ−ＳＴ０８で第１動作の実行時間（ΔＴＬ）が経過していないと判定した場合（ＮＯの場合）、ステップＨ−ＳＴ０７に戻り、集中力維持モードが解除されるかまたは第１動作の実行時間（ΔＴＬ）が経過するまでステップＨ−ＳＴ０７とステップＨ−ＳＴ０８とを繰り返し行う。ステップＨ−ＳＴ０８で第１動作の実行時間（ΔＴＬ）が経過していると判定した場合（ＹＥＳの場合）、ステップＨ−ＳＴ０９に進む。
【０１０６】
ステップＨ−ＳＴ０９では、第１動作に代えて第２動作の実行を開始し、目標温度を第１目標温度から第２目標温度にまで段階的に上げる。
【０１０７】
このとき、目標温度を第１目標温度から第２目標温度にまで急に上げた場合、空調システムの暖房運転により、室内空気の温度が急激に上昇する。室内空気の温度が急激に上昇すると、在室者（101）の血管が拡張されて、身体の放熱が促進されるため、深部体温が低下して、在室者（101）は眠気を感じ易くなる。この実施形態１においては、上述の如く、目標温度を第１目標温度から第２目標温度にまで３０秒毎に０．５℃ずつ徐々に上げるので、在室者（101）の血管が拡張するのが抑えられて、在室者（101）が眠気を感じ易くなるのを回避できる。
【０１０８】
次いで、ステップＨ−ＳＴ１０では、リモートコントローラ（9）で集中ボタンが再度押下されて集中力維持モードが解除されたか否かを判定する。このステップＨ−ＳＴ１０で集中力維持モードが解除されたと判定した場合（ＹＥＳの場合）、集中力維持モードを終了し、通常運転モードに遷移する。このステップＨ−ＳＴ１０で集中力維持モードが解除されていないと判定した場合（ＮＯの場合）、ステップＨ−ＳＴ１１に進む。
【０１０９】
ステップＨ−ＳＴ１２では、第２動作の実行時間（ΔＴＨ）が経過しているか否かを判定する。このステップＨ−ＳＴ１２で第２動作の実行時間（ΔＴＨ）が経過していないと判定した場合（ＮＯの場合）、ステップＨ−ＳＴ１１に戻り、集中力維持モードが解除されるかまたは第２動作の実行時間（ΔＴＨ）が経過するまでステップＣ−ＳＴ１１とステップＨ−ＳＴ１２とを繰り返し行う。ステップＨ−ＳＴ１２で第２動作の実行時間（ΔＴＨ）が経過していると判定した場合（ＹＥＳの場合）、ステップＨ−ＳＴ０６に戻り、第２動作に代えて第１動作の実行を開始する。
【０１１０】
この暖房運転時の集中力維持モードでの第１動作および第２動作の繰り返し運転は、在室者（101）がリモートコントローラ（9）を操作して当該集中力維持モードを解除するまで実行される。この集中力維持モードの実行によれば、在室者に冷涼な刺激を周期的に与えながら、第１動作および第２動作を１回ずつ行う１サイクルでの総期間における室内空気の平均温度が快適温度に調整される。
【０１１１】
以上のように、冷房運転時の集中力維持モードでの制御と、暖房運転時の集中力維持モードでの制御とは殆ど同じであるが、冷房運転時の集中力維持モードにおける第１動作は、室内熱交換器（37）を停止せずに行われるのに対し、暖房運転時の集中力維持モードにおける第１動作は、室内熱交換器（37）を停止させて行われる点、冷房運転時の集中力維持モードにおける第２動作は、室内熱交換器（37）の停止を回避するために目標温度を徐々に上げるのに対し、暖房運転時の集中力維持モードにおける第２動作は、在室者（101）が眠気を感じ易くなるのを回避するために目標温度を徐々に上げる点で異なる。
【０１１２】
<換気制御>
空調システム（1）による換気制御は、図７に示すフローチャートに従って実行される。
【０１１３】
図５〜図７に示すように、換気制御は、冷房運転時の集中力維持モードでのステップＣ−ＳＴ０２または暖房運転時の集中力維持モードでのステップＨ−ＳＴ０２で、集中力維持モードの実行が開始されると共に実行される。
【０１１４】
図７に示すように、まず、ステップＶ−ＳＴ０１では、リモートコントローラ（9）で集中ボタンが再度押下されて集中力維持モードが解除されたか否かを判定する。このステップＶ−ＳＴ０１で集中力維持モードが解除されたと判定した場合（ＹＥＳの場合）、集中力維持モードを終了し、通常運転モードに遷移する（図５および図６参照）。このステップＶ−ＳＴ０１で集中力維持モードが解除されていないと判定した場合（ＮＯの場合）、ステップＶ−ＳＴ０２に進む。
【０１１５】
ステップＶ−ＳＴ０２では、ＣＯ２濃度センサ（49）によって検出される室内空気のＣＯ２濃度を取得する。次いで、ステップＶ−ＳＴ０３に進む。
【０１１６】
ステップＶ−ＳＴ０３では、室内空気のＣＯ２濃度が第１基準値（１０００ｐｐｍ）以上であるか否かを判定する。このステップＶ−ＳＴ０３で室内空気のＣＯ２濃度が第１基準値（１０００ｐｐｍ）未満であると判定した場合（ＮＯの場合）、ステップＶ−ＳＴ０１に戻り、集中力維持モードが解除されるかまたは室内空気のＣＯ２濃度が第１基準値（１０００ｐｐｍ）以上になるまでステップＶ−ＳＴ０１〜ステップＶ−ＳＴ０３を繰り返し行う。
【０１１７】
また、ステップＶ−ＳＴ０３で室内空気のＣＯ２濃度が第１基準値（１０００ｐｐｍ）以上であると判定した場合（ＹＥＳの場合）、ステップＶ−ＳＴ０４に進む。ステップＣ−ＳＴ０４では、換気装置（7）の運転を開始する。次いで、ステップＶ−ＳＴ０５に進む。
【０１１８】
ステップＶ−ＳＴ０５では、リモートコントローラ（9）で集中ボタンが再度押下されて集中力維持モードが解除されたか否かを判定する。このステップＶ−ＳＴ０５で集中力維持モードが解除されたと判定した場合（ＹＥＳの場合）、集中力維持モードを終了し、通常運転モードに遷移する（図５および図６参照）。このステップＶ−ＳＴ０５で集中力維持モードが解除されていないと判定した場合（ＮＯの場合）、ステップＶ−ＳＴ０６に進む。
【０１１９】
ステップＶ−ＳＴ０６では、ＣＯ２濃度センサ（49）によって検出される室内空気のＣＯ２濃度を取得する。次いで、ステップＶ−ＳＴ０７に進む。
【０１２０】
ステップＶ−ＳＴ０７では、室内空気のＣＯ２濃度が第２基準値（９００ｐｐｍ）未満であるか否かを判定する。このステップＶ−ＳＴ０７で室内空気のＣＯ２濃度が第２基準値（９００ｐｐｍ）以上であると判定した場合（ＮＯの場合）、ステップＶ−ＳＴ０４に戻り、集中力維持モードが解除されるかまたは室内空気のＣＯ２濃度が第２基準値（９００ｐｐｍ）未満になるまでステップＶ−ＳＴ０４〜ステップＶ−ＳＴ０７を繰り返し行う。
【０１２１】
また、ステップＶ−ＳＴ０７で室内空気のＣＯ２濃度が第２基準値（９００ｐｐｍ）未満であると判定した場合（ＹＥＳの場合）、リターンしてステップＶ−ＳＴ０１以降のステップを再度行う。
【０１２２】
このように換気制御は、集中力維持モードが解除されるまで実行される。この換気制御の実行によれば、室内空気のＣＯ２濃度が第１基準値（１０００ｐｐｍ）以下に調整される。
【０１２３】
−実施形態１の効果−
この実施形態１の空調システム（1）では、第１動作において目標温度を相対的に短い時間で第１目標温度に下げる。そのことで、室内空気の温度が速やかに下げられて基準温度よりも低くなるから、室内温度を在室者（101）が涼しさを感じる温度にして、在室者（101）に冷涼な刺激を与えられる。これにより、在室者（101）が眠気を感じるのを防止することができる。
【０１２４】
また、この実施形態１の空調システム（1）では、第２動作において目標温度を相対的に長い時間をかけて段階的に第２目標温度に上げる。そのことで、室内空気の温度が緩やかに上げられて基準温度よりも高くなるから、温度変化によって在室者（101）にかかる負担を軽減しながら、第１動作を行っている期間と第２動作を行っている期間との総期間における室内空気の平均温度を在室者（101）が快適な温度とすることができる。これにより、在室者（101）が快適な室内環境を実現することができる。
【０１２５】
したがって、この実施形態１の空調システム（1）によれば、在室者が眠気を感じるのを防止することと、快適な室内環境を実現することとを両立することができる。その結果、在室者の集中力を維持して、在室者の作業効率が悪化するのを抑制することができる。
【０１２６】
また、この実施形態１の空調システム（1）では、冷房運転時において、内気温度センサ（45）により検出される温度が目標温度よりも所定の温度以上低くなったときに、室内熱交換器（37）を停止する。しかし、第２動作では、目標温度を第１目標温度から第２目標温度にまで段階的に上げるので、冷房運転時において、内気温度センサ（45）により検出される温度が目標温度よりも所定温度以上低くなり難くし、室内熱交換器（37）が停止されるのを抑制できる。これにより、室内空気の湿度が上がることに起因して在室者（101）に不快感を与えないようにできる。
【０１２７】
また、この実施形態１の空調システム（1）では、暖房運転時において、内気温度センサ（45）により検出される温度が目標温度よりも第１温度（１．０℃）以上高くなったときに、室内熱交換器（37）を停止する。第１動作では、目標温度を開始後直ぐに第１目標温度に下げるから、第１目標温度を内気温度センサ（45）によって検出される温度よりも第１温度（１．０℃）以上低く設定される。これにより、第１動作を開始した後に間もなく室内熱交換器（37）が停止されるので、室内空気の温度を速やかに下げるのに寄与する。
【０１２８】
また、この実施形態１の空調システム（1）では、快適温度と外気温度との関係を示す関係情報を用いて、外気温度センサ（45）により検出される外気温度から快適温度を推定し、推定した快適温度を基準温度として用いる。これによれば、一般的な快適温度を、在室者（101）が快適と感じる室内空気の温度として推定し、基準温度にすることができる。このことは、第１モードでの室内空気の温度制御により、不特定の在室者（101）が快適な室内環境を実現するのに好適である。
【０１２９】
また、この実施形態１の空調システム（1）では、在室者（101）の個体差に関する情報に基づいて基準温度を補正する。それにより、在室者（101）の個体差に関する情報が基準温度に反映されるので、在室者（101）が快適と感じる室内空気の温度を、精度良く基準温度として用いることができる。このことは、集中力維持モードでの室内空気の温度制御により、在室者（101）にとって快適な室内環境を実現するのに有利である。
【０１３０】
また、この実施形態１の空調システム（1）では、第１動作の目標温度および実行時間と第２動作の目標温度および実行時間が、上記関係式（１）に則り、第１動作を行っている一期間と第２動作を行っている一期間との総期間における室内空気の平均温度が基準温度となるように決定される。このことは、集中力維持モードでの室内空気の温度制御により、在室者（101）にとって快適な室内環境を実現するのに好適である。
【０１３１】
また、この実施形態１の空調システム（1）では、ＣＯ２濃度センサ（49）により検出される室内空気のＣＯ２濃度が第１基準値（１０００ｐｐｍ）以上になったときに、換気装置（7）を運転する。これによれば、必要に応じて室内空気が入れ替えられて室内のＣＯ２濃度が下がるので、在室者（101）にとって快適な室内環境を実現するのに好適である。
【０１３２】
《実施形態２》
実施形態２について説明する。
【０１３３】
実施形態２の空調システム（1）は、実施形態１の空調システム（1）において、基準温度の設定方法を変更したものである。ここでは、この実施形態２の空調システム（1）について、実施形態１の空調システム（1）とは異なる点を説明する。
【０１３４】
空調システム（1）は、人工知能（ＡＩ：Artificial Intelligence）を用いて、基準温度を設定するようになっている。
【０１３５】
空調システム（1）の記憶部（59）には、室内の温度、室内の湿度、室内の照度、外気の温度および外気の湿度の少なくとも１つを含む環境情報に関するパラメータと、在室者（101）の温冷感に関するパラメータとに基づいて生成された学習モデルが記憶されている。この実施形態２において、学習モデルの環境情報に関するパラメータには、室内の温度、室内の湿度、室内の照度、外気の温度および外気の湿度に関するパラメータを含む。
【０１３６】
学習モデルは、在室者（101）が空調システム（1）の利用時に、在室者（101）の温冷感の情報をリモートコントローラ（9）の操作で入力することにより、その情報入力時における内気温度センサ（45）、内気湿度センサ（47）、照度センサ（51）、外気温度センサ（53）および外気湿度センサ（55）の各検出値を環境情報のパラメータとして、在室者（101）の温冷感に関するパラメータと関連付けるスタンドアローンの学習により生成されてもよい。
【０１３７】
学習モデルは、ネットワークを介して複数の空調システム（1）と接続されたサーバにおいて、各空調システム（1）を利用する在室者（101）から収集した、内気温度センサ（45）、内気湿度センサ（47）、照度センサ（51）、外気温度センサ（53）および外気湿度センサ（55）の各検出値と、在室者（101）の温冷感に関する情報とを、それぞれ環境情報のパラメータとそれに対する在室者（101）の温冷感に関するパラメータとして関連付ける学習により生成されてもよい。
【０１３８】
制御部（11）は、上記学習モデルを用い、内気温度センサ（45）、内気湿度センサ（47）、照度センサ（49）、外気温度センサ（53）および外気湿度センサ（55）により検出される室内の温度、室内の湿度、室内の照度、外気の温度および外気の湿度に基づいて、快適温度を推定する。制御部（11）は、学習モデルにより推定した快適温度を基準温度に設定する。制御部（11）は、必要に応じて基準温度に関する補正情報に基づき、基準温度を補正する。
【０１３９】
−実施形態２の効果−
この実施形態２の空調システム（1）では、基準温度に用いる快適温度を、環境情報と在室者（101）の温冷感とを関連付けた学習モデルによって推定する。それにより、在室者（101）が快適と感じる室内空気の温度を、快適温度として精度良く推定し、基準温度にすることができる。このことは、集中力維持モードでの室内空気の温度制御により、在室者（101）にとって快適な室内環境を実現するのに有利である。
【０１４０】
《その他の実施形態》
上記実施形態１および上記実施形態２については、以下のような構成としてもよい。
【０１４１】
−第１変形例−
内気温度センサ（45）は、リモートコントローラ（9）に設けられていてもよい。このようにすれば、リモートコントローラ（9）は在室者（101）の近くに置かれることが多いので、在室者（101）の付近での室内空気の温度を検出することができる。このことは、集中力維持モードでの室内空気の温度制御により、在室者（101）にとって快適な室内環境を実現するのに有利である。
【０１４２】
なお、内気温度センサ（45）は、リモートコントローラ（9）でなくても、室内ユニット（5）とは別部品に設けられていてもよい。また、内気温度センサ（45）に限らず、内気湿度センサ（47）、照度センサ（49）、ＣＯ２濃度センサ（51）も、リモートコントローラ（9）などの、室内ユニット（5）とは別部品に設けられていてもよい。
【０１４３】
−第２変形例−
実施形態１の空調システム（1）において、基準温度の設定に利用する熱的快適性の適応モデルなどの関係情報や、実施形態２の空調システム（1）において、基準温度の設定に利用する学習モデルは、当該空調システム（1）とネットワークを介して接続されるサーバが保有していてもよい。この場合、空調システム（1）は、関係情報や学習モデルの情報をサーバに要求し、サーバから基準温度の設定に必要な情報を取得すればよい。
【０１４４】
以上、実施形態および変形例を説明したが、特許請求の範囲の趣旨および範囲から逸脱することなく、形態や詳細の多様な変更が可能なことが理解されるであろう。また、以上の実施形態および変形例は、本開示の対象の機能を損なわない限り、適宜組み合わせたり、置換したりしてもよい。
【０１４５】
例えば、空調システム（1）は、室外ユニット（3）と室内ユニット（5）とが一対一のペア式である場合を例に挙げて説明したが、これに限らない。空調システム（1）は、室外ユニット（3）に対して室内ユニット（5）が複数設けられるマルチ式であってもよい。
【０１４６】
集中力維持モードの第１動作では、目標温度を開始後直ぐに第１目標温度に下げるとしたが、これに限らない。集中力維持モードの第１動作では、目標温度を開始後直ぐに第１目標温度に下げなくてもよく、第１動作において目標温度を第１目標温度に下げるまでの時間が、第２動作において目標温度を第２目標温度に上げるまでの時間よりも短ければよい。
【０１４７】
集中力維持モードの実行時の換気制御では、換気装置（7）を運転させるＣＯ２濃度の第１基準値として１０００ｐｐｍを、換気装置（7）を停止させるＣＯ２濃度の第２基準値として９００ｐｐｍを例示したが、これに限らない。第１基準値を１０００ｐｐｍに設定すること、第２基準値を９００ｐｐｍに設定することは、換気制御を行うための設定の一例に過ぎず、これら第１基準値および第２基準値には、在室者にとって快適な室内環境を実現するのに好適であれば、任意の値を設定することが可能である。
【産業上の利用可能性】
【０１４８】
以上説明したように、本開示は、空調システムについて有用である。
【符号の説明】
【０１４９】
1    空調システム
3    室外ユニット
5    室内ユニット
7    換気装置
9    リモートコントローラ（入力部）
11    制御部
13    連絡配管
15    連絡配管
17    冷媒回路
19    室外回路
21    室内回路
23    圧縮機
25    四方切換弁
27    室外熱交換器
29    膨張弁
31    室外ファン
33    冷媒配管
35    室外ファンモータ
37    室内熱交換器（温度調節部）
39    室内ファン
41    室内ファンモータ
43    換気ファン
45    内気温度センサ（内気温度検出部）
47    内気湿度センサ
49    ＣＯ２濃度センサ（二酸化炭素濃度検出部）
51    照度センサ
53    外気温度センサ（外気温度検出部）
55    外気湿度センサ
57    中央演算処理装置
59    記憶部
101   在室者
103   デスク
【図１】
2020176797.tif 000004
【図２】
2020176797.tif 000005
【図３】
2020176797.tif 000006
【図４】
2020176797.tif 000007
【図５】
2020176797.tif 000008
【図６】
2020176797.tif 000009
【図７】
2020176797.tif 000010
【手続補正書】
【提出日】令和2年3月19日(2020.3.19)
【手続補正１】
【補正対象書類名】明細書
【補正対象項目名】全文
【補正方法】変更
【補正の内容】
【発明の詳細な説明】
【技術分野】
【０００１】
本開示は、空調システムに関するものである。
【背景技術】
【０００２】
従来から、空調システムにおいて、在室者の体感温度や温熱快適性に基づき、温度、湿度および風速などを制御することにより、室内環境の快適性を向上させる技術が提案されている（例えば、特許文献１参照）。在室者の体感温度を示す指標としてはＳＥＴ（Standard new Effective Temperature）が、在室者の温熱快適性を示す指標としてはＰＭＶ（Predicted Mean Vote）がそれぞれ知られている。
【先行技術文献】
【特許文献】
【０００３】
【特許文献１】特開２００９−１３３４９９号公報
【発明の概要】
【発明が解決しようとする課題】
【０００４】
空調システムによって実現される在室者が快適と感じる環境の中には、人が眠気を感じる環境条件が存在する。このため、オフィスや自習室などの作業環境においては、在室者が一定温度の快適な環境に滞在し続けると、集中力が低下して作業効率を悪化させるおそれがある。
【０００５】
本開示の目的は、在室者が眠気を感じるのを防止することと、快適な室内環境を実現することとを両立することにある。
【課題を解決するための手段】
【０００６】
本開示の第１の態様は、室内空気の温度を調節する温度調節部（37）と、室内空気の温度を検出する内気温度検出部（45）と、内気温度検出部（45）によって検出される温度が目標温度に近づくように温度調節部（37）を制御する制御部（11）とを備える空調システム（1）を対象とする。
【０００７】
制御部（11）は、目標温度を所定の基準温度よりも低い第１目標温度に下げる第１動作と、目標温度を基準温度よりも高い第２目標温度に上げる第２動作とを順に少なくとも１回ずつ行う第１モードを実行する。第２動作では、目標温度を第１目標温度から第２目標温度にまで徐々に上げる。第１動作において目標温度を第１目標温度に下げるまでの時間は、第２動作において目標温度を第２目標温度に上げるまでの時間よりも短い。
【０００８】
この第１の態様では、第１動作において目標温度を相対的に短い時間で第１目標温度に下げる。そのことで、室内空気の温度が速やかに下げられて基準温度よりも低くなるから、室内温度を在室者（101）が涼しさを感じる温度にして、在室者（101）に冷涼な刺激を与えられる。これにより、在室者（101）が眠気を感じるのを防止することができる。
【０００９】
また、この第１の態様では、第２動作において目標温度を相対的に長い時間をかけて徐々に第２目標温度に上げる。そのことで、室内空気の温度が緩やかに上げられて基準温度よりも高くなるので、温度変化によって在室者（101）にかかる負担を軽減しながら、第１動作を行っている期間と第２動作を行っている期間との総期間における室内空気の平均温度を在室者（101）が快適な温度とすることができる。これにより、在室者（101）にとって快適な室内環境を実現することができる。
【００１０】
本開示の第２の態様は、第１の態様の空調システム（1）において、温度調節部（37）が、冷媒回路（17）に接続される室内熱交換器（37）によって構成されている、空調システム（1）である。制御部（11）は、室内熱交換器（37）が蒸発器として機能する冷房運転時に第１モードを実行する。そして、制御部（11）は、内気温度検出部（45）によって検出される温度が目標温度よりも所定の温度以上低くなったときに、室内熱交換器（37）を停止させる。
【００１１】
この第２の態様では、冷房運転時において、内気温度検出部（45）により検出される温度が目標温度よりも所定の温度以上低くなったときに、室内熱交換器（37）を停止する。そのため、冷房運転時において、目標温度が内気温度検出部（45）によって検出される温度よりも所定の温度以上高く設定された場合、室内熱交換器（37）が停止されるが室内ファン（39）は運転する状態になり得る。そうなると、室内熱交換器（37）に付着した水分が送風によって室内に放たれるため、室内空気の湿度が上がり、在室者（101）に不快感を与えてしまう。
【００１２】
これに対し、この第２の態様においても、第２動作では、目標温度を第１目標温度から第２目標温度にまで徐々に上げるので、冷房運転時において、内気温度検出部（45）により検出される温度が目標温度よりも所定温度以上低くなり難くし、室内熱交換器（37）が停止されるのを抑制できる。これにより、室内空気の湿度が上がることに起因して在室者（101）に不快感を与えないようにできる。
【００１３】
本開示の第３の態様は、第１の態様の空調システム（1）において、温度調節部（37）が、冷媒回路（17）に接続される室内熱交換器（37）によって構成されている、空調システム（1）である。制御部（11）は、室内熱交換器（37）が放熱部として機能する暖房運転時に第１モードを実行する。そして、制御部（11）は、内気温度検出部（45）によって検出される温度が目標温度よりも所定の温度以上高くなったときに、室内熱交換器（37）を停止させる。
【００１４】
この第３の態様では、暖房運転時において、内気温度検出部（45）により検出される温度が目標温度よりも所定の温度以上高くなったときに、室内熱交換器（37）を停止する。第１動作では、目標温度を相対的に短い時間で第１目標温度に下げるから、第１目標温度が内気温度検出部（45）によって検出される温度よりも所定の温度以上低く設定され易い。このことは、第１動作を開始した後に間もなく室内熱交換器（37）を停止し、室内空気の温度を速やかに下げるのに寄与する。
【００１５】
本開示の第４の態様は、第１〜第３の態様のいずれか１つの空調システム（1）において、制御部（11）が、在室者（101）が快適と感じる室内空気の快適温度を推定する、空調システム（1）である。ここで、基準温度は、制御部（11）によって推定される快適温度である。
【００１６】
この第４の態様では、基準温度として制御部（11）により推定される快適温度を用いる。これによれば、第１動作を行っている期間と第２動作を行っている期間との総期間における室内空気の平均温度を在室者（101）が快適な温度とし易い。したがって、第１モードでの室内空気の温度制御により、在室者（101）にとって快適な室内環境を実現するのに好適である。
【００１７】
本開示の第５の態様は、第４の態様の空調システム（1）において、制御部（11）が、室内空気の温度、室内空気の湿度、室内の照度、外気の温度および外気の湿度の少なくとも１つを含む環境情報に関するパラメータと、在室者（101）の温冷感に関するパラメータとに基づいて生成された学習モデルにより、快適温度を推定する、空調システム（1）である。
【００１８】
この第５の態様では、基準温度に用いる快適温度を、環境情報と在室者（101）の温冷感とを関連付けた学習モデルによって推定する。それにより、在室者（101）が快適と感じる室内空気の温度を、快適温度として精度良く推定し、基準温度にすることができる。このことは、第１モードでの室内空気の温度制御により、在室者（101）にとって快適な室内環境を実現するのに有利である。
【００１９】
本開示の第６の態様は、第４の態様の空調システム（1）において、外気温度を検出する外気温度検出部（53）と、快適温度と外気温度との関係を示す関係情報を記憶した記憶部（59）とを備える、空調システム（1）である。制御部（11）は、記憶部（59）に記憶された関係情報を用い、外気温度検出部（53）により検出される外気温度に基づいて快適温度を推定する。
【００２０】
この第６の態様では、基準温度に用いる快適温度を、快適温度と外気温度との関係を示す関係情報を用いて、外気温度検出部（53）により検出される外気温度から推定する。それにより、一般的な快適温度を、在室者（101）が快適と感じる室内空気の温度として推定し、基準温度にすることができる。このことは、第１モードでの室内空気の温度制御により、在室者（101）にとって快適な室内環境を実現するのに有利である。
【００２１】
本開示の第７の態様は、第４〜第６の態様のいずれか１つの空調システム（1）において、在室者（101）の個体差に関する情報が入力される入力部（9）を備える、空調システム（1）である。制御部（11）は、入力部（9）に入力された情報に基づいて基準温度を補正する。
【００２２】
この第７の態様では、制御部（11）が在室者（101）の個体差に関する情報に基づいて基準温度を補正する。それにより、在室者（101）の個体差に関する情報が基準温度に反映されるので、在室者（101）が快適と感じる室内空気の温度を、精度良く基準温度として用いることができる。このことは、第１モードでの室内空気の温度制御により、在室者（101）にとって快適な室内環境を実現するのに有利である。
【００２３】
本開示の第８の態様は、第１〜第７の態様のいずれか１つの空調システム（1）において、温度調節部（37）を有する室内ユニット（5）を備える、空調システム（1）である。内気温度検出部（45）は、室内ユニット（5）とは別部品に設けられている。
【００２４】
この第８の態様では、内気温度検出部（45）が室内ユニット（5）とは別部品に設けられている。内気温度検出部（45）が設けられた別部品は、在室者（101）の近くに配置することが可能である。よって、在室者（101）の付近での室内空気の温度を内気温度検出部（45）により検出することができる。このことは、第１モードでの室内空気の温度制御により、在室者（101）にとって快適な室内環境を実現するのに好適である。
【００２５】
本開示の第９の態様は、第１〜第８の態様のいずれか１つの空調システム（1）において、基準温度をＴａ、目標温度をＴｓとしたとき、第１動作を行っている一期間の基準温度と目標温度との温度差（Ｔａ−Ｔｓ）の積算値と、第２動作を行っている一期間の目標温度と基準温度との温度差（Ｔｓ−Ｔａ）の積算値とが等しい、空調システム（1）である。
【００２６】
この第９の態様では、第１動作の目標温度および実行時間と第２動作の目標温度および実行時間が、第１動作を行っている一期間と第２動作を行っている一期間との総期間における室内空気の平均温度が基準温度となるように決定される。このことは、第１モードでの室内空気の温度制御により、在室者（101）にとって快適な室内環境を実現するのに好適である。
【００２７】
本開示の第１０の態様は、第１〜第９の態様のいずれか１つの空調システム（1）において、室内空気を換気する換気装置（7）と、室内の二酸化炭素濃度を検出する二酸化炭素濃度検出部（49）とを備える、空調システム（1）である。制御部（11）は、二酸化炭素濃度検出部（49）により検出される二酸化炭素濃度が所定値以上になったときに、換気装置（7）を運転する。
【００２８】
この第１０の態様では、二酸化炭素濃度検出部（49）により検出される室内の二酸化炭素濃度が所定値以上になったときに、換気装置（7）を運転する。室内の二酸化炭素濃度が高いと、倦怠感や疲労度が増したり、眠気を招いたりする。換気装置（7）を運転すれば、室内空気が入れ替えられて室内の二酸化炭素濃度が下がるので、在室者（101）にとって快適な室内環境を実現するのに好適である。
【図面の簡単な説明】
【００２９】
【図１】図１は、実施形態の空調システムを概略的に示す模式図である。
【図２】図２は、実施形態の空調システムを構成する冷媒回路を示す図である。
【図３】図３は、実施形態の空調システムの構成を示すブロック図である。
【図４】図４は、実施形態の空調システムで用いられる関係情報（熱的快適性の適応モデル）のイメージ図である。
【図５】図５は、実施形態の空調システムにおける冷房運転時の集中力維持モードのフローチャートである。
【図６】図６は、実施形態の空調システムにおける暖房運転時の集中力維持モードのフローチャートである。
【図７】図７は、実施形態の空調システムにおける集中力維持モードでの換気制御のフローチャートである。
【発明を実施するための形態】
【００３０】
《実施形態１》
実施形態１について説明する。
【００３１】
この実施形態１の空調システム（1）は、在室者（101）の作業に対する集中力を維持するのに寄与するシステムであって、オフィスや自習室などの在室者（101）が作業を行う室内を対象とした空調を行うのに使用される。
【００３２】
−空調システムの構成−
図１に示すように、空調システム（1）は、室外に設置される室外ユニット（3）と、室内に設置される室内ユニット（5）および換気装置（7）と、リモートコントローラ（9）と、各種のセンサ類（45,47,49,51,53,55）と、当該空調システム（1）の動作を総合的に制御する制御部（11）とを備える。
【００３３】
〈室外ユニット、室内ユニット〉
室外ユニット（3）と室内ユニット（5）とは、連絡配管（13,15）により接続されて、図２に示す冷媒回路（17）を構成している。冷媒回路（17）では、充填された冷媒が循環することにより、蒸気圧縮式の冷凍サイクルが行われる。冷媒には、例えばＲ３２冷媒が用いられる。冷媒回路（17）は、室外回路（19）と、室内回路（21）とを含む。
【００３４】
室外ユニット（3）は、例えば、建物の屋上や建物脇の地面上、ベランダなどの屋外に設置される。室外ユニット（3）は、圧縮機（23）と、四方切換弁（25）と、室外熱交換器（27）と、膨張弁（29）と、室外ファン（31）とを有する。圧縮機（23）、四方切換弁（25）、室外熱交換器（27）および膨張弁（29）は、この順に冷媒配管（33）で接続されて室外回路（19）を構成している。
【００３５】
圧縮機（23）は、吸入した冷媒を圧縮し、圧縮した冷媒を吐出する。圧縮機（23）は、例えば容量が可変なインバータ式に構成される。圧縮機（23）は、例えば回転式圧縮機である。室外ファン（31）は、室外熱交換器（27）の近傍に設置される。室外ファン（31）は、室外ファンモータ（35）によって駆動される。室外ファン（31）は、例えばプロペラファンによって構成される。室外ファン（31）は、外気を搬送し、室外熱交換器（27）に通過させる。
【００３６】
室外熱交換器（27）は、室外ファン（31）によって搬送される外気と内部に流れる冷媒とを熱交換させる。室外熱交換器（27）は、例えばフィンアンドチューブ式熱交換器によって構成される。膨張弁（29）は、開度が可変な制御弁である。膨張弁（29）は、内部に流れる冷媒を減圧する。膨張弁（29）は、例えば電子膨張弁により構成される。
【００３７】
四方切換弁（25）は、冷媒回路（17）における冷媒の流路を第１状態（図２の実線で示す状態）と第２状態（図２の破線で示す状態）とに切り替える。第１状態の四方切換弁（25）は、圧縮機（23）の吐出部と室外熱交換器（27）とを連通させ、圧縮機（23）の吸入部と室内熱交換器（37）とを連通させる。第２状態の四方切換弁（25）は、圧縮機（23）の吐出部と室内熱交換器（37）とを連通させ、圧縮機（23）の吸入部と室外熱交換器（27）とを連通させる。
【００３８】
室内ユニット（5）は、例えば、室内の壁面や天井に取り付けられる。図１に示す室内ユニット（5）は、壁面に取り付けられる壁掛け式のユニットである。室内ユニット（5）は、室内熱交換器（37）と、室内ファン（39）とを有する。室内熱交換器（37）は、室内回路（21）を構成している。室内ファン（39）は、室内熱交換器（37）の近傍に設置される。室内ファン（39）は、室内ファンモータ（41）によって駆動される。
【００３９】
室内ファン（39）は、例えばクロスフローファンによって構成される。室内ファン（39）は、室内空気を搬送し、室内熱交換器（37）に通過させる。室内熱交換器（37）は、室内ファン（39）によって搬送される室内空気と内部を流れる冷媒とを熱交換させる。室内熱交換器（37）は、例えばフィンアンドチューブ式熱交換器によって構成される。ここで、室内熱交換器（37）は、室内空気の温度を調節する温度調節部の一例である。
【００４０】
冷媒回路（17）において、四方切換弁（25）が第１状態のときには、室外熱交換器（27）が凝縮器として機能し、室内熱交換器（37）が放熱器（蒸発器）として機能する冷凍サイクル（冷媒が図２の実線矢印の方向に流れる冷凍サイクル）が行われる。また、冷媒回路（17）において、四方切換弁（25）が第２状態のときには、室外熱交換器（27）が放熱器（蒸発器）として機能し、室内熱交換器（37）が凝縮器として機能する冷凍サイクル（冷媒が図２の破線矢印の方向に流れる冷凍サイクル）が行われる。
【００４１】
<換気装置>
換気装置（7）は、例えば、室内の壁面や天井に取り付けられる。図１に示す換気装置（7）は、壁面に取り付けられる壁掛け式の装置である。換気装置（7）は、換気ファン（43）と、必要に応じてダクトとを有する。換気ファン（43）は、室内に外部の空気を取り入れて、室内空気を外部に排出する。換気ファン（43）は、換気ファンモータ（不図示）によって駆動される。
【００４２】
〈リモートコントローラ〉
リモートコントローラ（9）は、室内ユニット（5）とは別部品であって、在室者（101）が作業を行うデスク（103）上など、在室者（101）の付近に置かれることが多い。リモートコントローラ（9）は、在室者（101）が操作可能に構成されている。図示しないが、リモートコントローラ（9）は、在室者（101）が操作を行う操作部と、所定の情報を表示する表示部とを有する。リモートコントローラ（9）は、無線により制御部（11）に接続される。リモートコントローラ（9）は、操作信号を制御部（9）に出力する。
【００４３】
操作部では、空調システム（1）のオンおよびオフや、運転モードおよび制御モードの切り換え、後述の集中力維持モードでの覚醒強さの設定、後述の基準温度に関する補正情報の入力を行える。操作部は、これら各種の操作を行うための複数のボタンを有する。複数のボタンには、後述の集中力維持モードをオンおよびオフするための集中ボタン、覚醒強さを設定するための選択ボタンが含まれる。
【００４４】
集中力維持モードでの覚醒強さの設定としては、例えば「弱」、「中」および「強」の３パターンが用意されている。ここで、「覚醒強さ」とは、集中力維持モードでの在室者（101）への冷涼な刺激の強さの程度を表している。覚醒強さの設定の内容については、後に詳述する。
【００４５】
操作部にて入力される補正情報は、在室者（101）の個体差に関する情報である。補正情報は、在室者（101）の暑さや寒さの体感に関する情報（暑がりであるや寒がりであるなどの抽象的な情報）であってもよい。また、補正情報は、＋１．０℃や−１．０℃といった具体的な補正温度の情報であってもよい。また、補正情報は、在室者（101）の性別、年齢、代謝量、体脂肪率および血圧などといった温冷感に関係する個人パラメータであってもよい。
【００４６】
表示部には、設定温度（基準温度）や室内空気の湿度、運転モードの情報などが表示される。運転モードの情報としては、冷房運転であるか暖房運転であるか、さらに後述の集中力維持モードが実行中であるか、集中力維持モードでの覚醒強さがいずれに設定されているかなどが挙げられる。
【００４７】
〈センサ類〉
センサ類としては、内気温度センサ（45）、内気湿度センサ（47）、ＣＯ２濃度センサ（49）、照度センサ（51）、外気温度センサ（53）および外気湿度センサ（55）を備える。これら各センサ（45,47,49,51,53,55）は、有線または無線により制御部（11）に接続される。各センサ（45,47,49,51,53,55）は、検出信号を制御部（11）に出力する。ここで、室内温度センサ（47）は、内気温度検出部の一例である。ＣＯ２濃度センサ（49）は、二酸化炭素濃度検出部の一例である。
【００４８】
内気温度センサ（45）、内気湿度センサ（47）、ＣＯ２濃度センサ（49）および照度センサ（51）は、例えば室内ユニット（5）に設けられている。室内温度センサ（45）は、室内ユニット（5）に吸い込まれる室内空気の温度を検出する。室内湿度センサ（47）は、室内ユニット（5）に吸い込まれる室内空気の湿度を検出する。ＣＯ２濃度センサ（49）は、室内ユニット（5）に吸い込まれる室内空気のＣＯ２濃度（二酸化炭素濃度）を検出する。照度センサ（51）は、室内の明るさ（照度）を検出する。
【００４９】
外気温度センサ（53）および外気湿度センサ（55）は、例えば室外ユニット（3）に設けられている。外気温度センサ（53）は、室外ユニット（3）に吸い込まれる外気の温度を検出する。外気湿度センサ（55）は、室外ユニット（3）に吸い込まれる外気の湿度を検出する。
【００５０】
<制御部>
制御部（11）は、周知のマイクロコンピュータをベースとするコントローラである。図３に示すように、制御部（11）は、プログラムを実行する中央演算処理装置（Central Processing Unit：ＣＰＵ）（57）と、中央演算処理装置上で実行される各種のプログラムやデータを記憶する記憶部（59）とを有する。記憶部（59）は、ＲＯＭ（Read Only Memory）やＲＡＭ（Random Access Memory）などによって構成されている。制御部（11）は、例えば室内ユニット（5）に内蔵されている。
【００５１】
制御部（11）は、内気温度センサ（45）、内気湿度センサ（47）、ＣＯ２濃度センサ（49）、照度センサ（51）、外気温度センサ（53）および外気湿度センサ（55）の検知信号、リモートコントローラ（9）からの操作信号に基づいて、室外ユニット（3）（圧縮機（23）、四方切換弁（25）、膨張弁（29）、室外ファン（31））、室内ユニット（5）（室内ファン（39））および換気装置（7）（換気ファン（43））の制御量を計算する。制御部（11）は、計算した制御量に係る制御信号を室外ユニット（3）、室内ユニット（5）および換気装置（7）に出力する。
【００５２】
記憶部（59）には、室内空気の湿度、室内空気のＣＯ２濃度、室内の照度、外気温度および外気湿度のうち少なくとも１つと、在室者（101）が快適と感じる室内空気の快適温度との関係を示す関係情報が記憶されている。関係情報としては、例えば、アダプティブコンフォートモデル（Adaptive Comfort Model）などとして知られる熱的快適性の適応モデルの情報が用いられる。
【００５３】
在室者（101）の快適温度は、人の環境への適応能力により外気温度に応じて変動する。熱的快適性の適応モデルは、室内空気の温度と在室者（101）の温冷感の申告に基づいて統計情報から回帰分析によって得られるモデルであって、図４のグラフで表されるような外気温度と快適温度との関係を示す情報である。図４に示す熱的快適性の適応モデルでは、快適温度は、外気温度が高くなるほど高くなっている。図４において、上下の二点鎖線の間の範囲は、統計上９０％の人間が快適と感じる快適温度の範囲を示し、上下の一点鎖線の間の範囲は、統計上８０％の人間が快適と感じる快適温度の範囲を示している。
【００５４】
制御部（11）は、記憶部（59）に記憶された関係情報、この実施形態１では熱的快適性の適応モデルの情報を用い、外気温度センサ（53）によって検出される外気温度に基づいて、在室者（101）の快適温度を推定する。一般に、快適性に関する気温の概念として、人間にとって暑くもなく寒くもなく快適に感じる気温である中立温度という概念が知られている。図４に示す熱的快適性の適応モデルにおいては、快適温度の範囲の中の実線ＮＬで示した中間の温度を中立温度とみなすことができる。制御部（11）は、この熱的快適性の適応モデルにより外気温度から求められる中立温度を在室者（101）の快適温度と推定する。
【００５５】
制御部（11）は、推定した快適温度に基づいて基準温度を自動で設定する。制御部（11）は、リモートコントローラ（9）により基準温度に関する補正情報が入力されていない場合、推定した快適温度を基準温度に設定する。制御部（11）は、リモートコントローラ（9）により基準温度に関する補正情報が入力されている場合、当該補正情報に基づいて基準温度を補正する。
【００５６】
例えば、補正情報として、在室者（101）が暑がりとの情報が入力されている場合、基準温度を所定の温度だけ下げる補正を行い、在室者（101）が寒がりとの情報が入力されている場合、基準温度を所定の温度だけ上げる補正を行う。また、補正情報として、具体的な補正温度の情報が入力されている場合、当該補正温度に応じて基準温度を上げるまたは下げる補正を行う。また、補正情報として、温冷感に関係する個人パラメータが入力されている場合、当該個人パラメータに応じて決定される所定の温度だけ基準温度を上げるまたは下げる補正を行う。
【００５７】
なお、制御部（11）は、リモートコントローラ（9）からの操作信号に基づいて基準温度を設定可能になっていてもよい。基準温度は、在室者がリモートコントローラ（9）の操作することにより手動で設定されてもよい。
【００５８】
制御部（11）は、リモートコントローラ（9）からの操作信号に基づいて、指定された運転モード（冷房運転または暖房運転）で室外ユニット（3）および室内ユニット（5）の動作を制御し、上述した各種センサ（45,47,49,51,53,55）からの検出信号に基づいて、空調システム（1）の運転を制御する。
【００５９】
制御部（11）は、複数の制御モードを有し、リモートコントローラ（9）からの操作信号により設定された制御モードに応じて室外ユニット（3）、室内ユニット（5）および換気装置（7）の動作を制御する。制御部（11）は、制御モードとして、在室者（101）の集中力を高めるための集中力維持モードと、集中力維持モードがオフのときに遷移する通常運転モードとを有する。ここで、「在室者（101）の集中力を高める」とは、在室者（101）が眠気を感じずに快適に過ごせるようにすることを意味する。ここで、集中力維持モードは、第１モードの一例である。
【００６０】
また、制御部（11）は、ＣＯ２センサによって検出される室内空気のＣＯ２濃度に基づいて、換気装置（7）の動作を制御する。ＣＯ２濃度は、室内空気の質を評価する指標の１つである。室内空気のＣＯ２濃度が高いと、倦怠感や疲労度が増したり、眠気を招いたりする。このため、室内空気のＣＯ２濃度は、高くなり過ぎないようにすることが望ましい。
【００６１】
制御部（11）は、ＣＯ２濃度センサ（49）によって検出される室内のＣＯ２濃度が所定の第１基準値以上になったときに、換気装置（7）を運転する。第１基準値は、建築物の環境管理に関して定められている目安に従い、例えば１０００ｐｐｍに設定される。また、制御部（11）は、ＣＯ２濃度センサ（49）によって検出される室内空気のＣＯ２濃度が所定の第２基準値未満になったときに、換気装置（7）を停止する。第２基準値は、例えば９００ｐｐｍに設定される。
【００６２】
−空調システムの運転動作−
空調システム（1）は、リモートコントローラ（9）により設定される運転モードに従い、冷房運転と暖房運転とを切り換えて、室内空気の温度を調節する。集中力維持モードは、冷房運転時および暖房運転時のいずれにおいても、リモートコントローラ（9）で集中ボタンを押下する操作により実行し、集中ボタンの再操作により解除することが可能である。
【００６３】
<冷房運転>
冷房運転では、四方切換弁（25）を第１状態とする。圧縮機（23）により圧縮された冷媒は、放熱器として機能する室外熱交換器（27）により放熱（凝縮）する。放熱した冷媒は、膨張弁（29）により減圧された後に、蒸発器として機能する室内熱交換器（37）を流れる。室内熱交換器（37）では、冷媒が室内空気から吸熱して蒸発する。室内熱交換器（37）で冷却された室内空気は、室内ファン（39）により室内空間に送風される。蒸発した冷媒は圧縮機（23）に吸入される。冷房運転では、室内熱交換器（37）の付近で凝縮水が発生する。
【００６４】
冷房運転時においては、内気温度センサ（45）によって検出される温度が目標温度よりも所定の第１温度以上高くなったときに、圧縮機（23）を停止させることで冷媒回路（17）を冷媒が流れないようにして、室内熱交換器（37）を停止させる。このとき、室内ファン（39）は運転させたままとする。この実施形態１において、室内熱交換器（37）を停止させる基準となる第１温度（室内空気の温度と目標温度との温度差）は、例えば１．０℃に設定される。室内熱交換器（37）の運転は、内気温度センサ（45）によって検出される温度が目標温度に到達したときに再開される。
【００６５】
<暖房運転>
暖房運転では、四方切換弁（25）を第２状態とする。圧縮機（23）で圧縮された冷媒は、放熱器（凝縮器）として機能する室内熱交換器（37）を流れる。室内熱交換器（37）では、冷媒が室内空気に放熱して凝縮する。室内熱交換器（37）で加熱された室内空気は、室内ファン（39）により室内空間に送風される。凝縮した冷媒は、膨張弁（29）で減圧された後、室外熱交換器（27）で蒸発する。蒸発した冷媒は圧縮機（23）に吸入される。
【００６６】
暖房運転時においては、内気温度センサ（45）によって検出される温度が目標温度よりも所定の第２温度以上高くなったときに、圧縮機（23）を停止させることで冷媒回路（17）を冷媒が流れないようにして、室内熱交換器（37）を停止させる。このとき、室内ファン（39）は運転させたままとする。この実施形態１において、室内熱交換器（37）を停止させる基準となる第２温度（室内空気の温度と目標温度との温度差）は、例えば１．０℃に設定される。室内熱交換器（37）の運転は、内気温度センサ（45）によって検出される温度が目標温度に到達したときに再開される。
【００６７】
<通常運転モード>
通常運転モードでは、基準温度を目標温度に設定する。基準温度は、熱的快適性の適応モデルの情報を用いた推定制御に従い、外気温度センサ（53）によって検出される外気温度の変動に応じて変更されるので、目標温度は、外気温度の変動に応じて更新される。通常運転モードにおいては、内気温度センサ（45）によって検出される温度が目標温度に近づくように室内熱交換器（37）を制御する。
【００６８】
<集中力維持モード>
集中力維持モードでは、第１動作と第２動作とを順に少なくとも１回ずつ行う。第１動作は、目標温度を基準温度よりも低い第１目標温度に下げる動作である。第２動作は、目標温度を基準温度よりも高い第２目標温度に上げる動作である。第１動作において目標温度を第１目標温度に下げるまでの時間は、第２動作において目標温度を第２目標温度に上げるまでの時間よりも短い。このことは、後述する第１動作および第２動作での制御で明らかにする。
【００６９】
集中力維持モードにおいて、第１動作中は、内気温度センサ（45）によって検出される温度が第１目標温度に近づくように室内熱交換器（37）を制御し、第２動作中は、内気温度センサ（45）によって検出される温度が第２目標温度に近づくように室内熱交換器（37）を制御する。これら第１動作と第２動作とは、集中力維持モードを実行している間は、交互に繰り返し行われる。
【００７０】
第１目標温度および第２目標温度は、リモートコントローラ（9）によって設定された覚醒強さに応じて決定される。覚醒強さの設定は、基準温度からの第１目標温度の下げ幅と、基準温度からの第２目標温度の上げ幅に反映される。これら第１目標温度の下げ幅および第２目標温度の上げ幅は、例えば第１目標温度と第２目標温度との温度差が３℃以下になるように設定される。このようにしたのは、室内空気の温度の変動幅が３℃を越えると、在室者（101）の身体に負担がかかるからである。
【００７１】
覚醒強さ「弱」の設定は、例えば、基準温度からの第１目標温度の下げ幅を１．５℃とし、基準温度からの第２目標温度の上げ幅を１．５℃とする設定である。この設定の場合、第１目標温度は、基準温度よりも１．５℃だけ低い温度に設定され、第２目標温度は、基準温度よりも１．５℃だけ高い温度に設定される。このように、覚醒強さ「弱」の設定では、基準温度からの第１目標温度の下げ幅が比較的小さい。
【００７２】
覚醒強さ「中」の設定は、例えば、基準温度からの第１目標温度の下げ幅を２．０℃とし、基準温度からの第２目標温度の上げ幅を１．０℃とする設定である。この設定の場合、第１目標温度は、基準温度よりも２．０℃だけ低い温度に設定され、第２目標温度は、基準温度よりも１．０℃だけ高い温度に設定される。このように、覚醒強さ「中」の設定では、基準温度からの第１目標温度の下げ幅が覚醒強さ「弱」の設定に比べて大きい。
【００７３】
覚醒強さ「強」の設定は、例えば、基準温度からの第１目標温度の下げ幅を２．５℃とし、基準温度からの第２目標温度の上げ幅を０．５℃とする設定である。この設定の場合、第１目標温度は、基準温度よりも２．５℃だけ低い温度に設定され、第２目標温度は、基準温度よりも０．５℃だけ高い温度に設定される。このように、覚醒強さ「強」の設定では、基準温度からの第１目標温度の下げ幅が覚醒強さ「中」の設定に比べて大きい。
【００７４】
第１動作では、目標温度を開始後直ぐに第１目標温度に設定する。これに対し、第２動作では、目標温度を開始後直ぐに第２目標温度には設定せず、第１目標温度から第２目標温度にまで段階的に上げる。具体的には、目標温度を第１目標温度から第２目標温度にまで３０秒毎に０．５℃ずつ徐々に上げる。目標温度の段階的な上げ幅を０．５℃としたのは、室内熱交換器（37）を停止させる基準となる第１温度（室内空気の温度と目標温度との温度差）が１．０℃に設定されているからである。このような制御によれば、冷房運転時において、室内熱交換器（37）が停止されるのを抑制できる。
【００７５】
第１動作の実行時間と第２動作の実行時間とは、基準温度をＴａ、目標温度をＴｓとしたとき、第１動作を行っている一期間の基準温度Ｔａと目標温度Ｔｓとの温度差（Ｔａ−Ｔｓ）の積算値と、第２動作を行っている一期間の目標温度Ｔｓと基準温度Ｔａとの温度差（Ｔｓ−Ｔａ）の積算値とが等しくなるように設定される。
【００７６】
具体的には、第１動作の実行時間と第２動作の実行時間とは、基準温度をＴａ、第１目標温度をＴｓ１、第２目標温度をＴｓ２、第１動作の実行時間をΔＴＬ、第２動作の実行時間をΔＴＨ、第２動作での目標温度の段階的な上げ幅をΔＴｒとしたとき、以下の関係式（１）を満たすように設定される。
【００７７】
【数１】
2020176797.tif 000011
【００７８】
ここで、Ｎ＝（Ｔｓ２−Ｔｓ１）／ΔＴｒである。なお、Ｎ＞１である。
【００７９】
第１動作の実行時間ΔＴＬは、例えば４分以下に設定される。これは、室内空気の温度が冷涼な環境下において、在室者（101）の滞在する継続時間が４分を越えると寒さを感じやすいからである。この実施形態１において、第１動作の実行時間（ΔＴＬ）は、例えば４分に設定される。
【００８０】
第２動作の実行時間ΔＴＨは、上記関係式（１）に基づき、覚醒強さの設定に応じて設定される。
【００８１】
覚醒強さ「弱」の設定（基準温度Ｔａからの第１目標温度Ｔｓ１の下げ幅が１．５℃、基準温度Ｔａからの第２目標温度Ｔｓ２の上げ幅が１．５℃、第１動作の実行時間ΔＴＬが４分、第２動作での目標温度の段階的な上げ幅ΔＴｒが０．５分である場合）において、第２動作の実行時間ΔＴＨは、上記関係式（１）より６．５分に設定される。
【００８２】
覚醒強さ「中」の設定（基準温度Ｔａからの第１目標温度Ｔｓ１の下げ幅が２．０℃、基準温度Ｔａからの第２目標温度Ｔｓ２の上げ幅が１．０℃、第１動作の実行時間ΔＴＬが４分、第２動作での目標温度の段階的な上げ幅ΔＴｒが０．５分である場合）において、第２動作の実行時間ΔＴＨは、上記関係式（１）より１１．７５分に設定される。
【００８３】
覚醒強さ「強」の設定（基準温度Ｔａからの第１目標温度Ｔｓ１の下げ幅が２．５℃、基準温度Ｔａからの第２目標温度Ｔｓ２の上げ幅が０．５℃、第１動作の実行時間ΔＴＬが４分、第２動作での目標温度の段階的な上げ幅ΔＴｒが０．５分である場合）において、第２動作の実行時間ΔＴＨは、上記関係式（１）より２７．５分に設定される。
【００８４】
−冷房運転時の集中力維持モード−
空調システム（1）による冷房運転時の集中力維持モードは、図５に示すフローチャートに従って実行される。
【００８５】
図５に示すように、冷房運転において、まず、スタートアップ後のステップＣ−ＳＴ０１では、リモートコントローラ（9）からの操作信号に基づいて、集中ボタンが押下されたか否かを判定する。このステップＣ−ＳＴ０１で集中ボタンが押下されていないと判定した場合（ＮＯの場合）、リターンして当該ステップＣ−ＳＴ０１を繰り返し行い、集中ボタンが押下されるのを監視する。
【００８６】
また、このステップＣ−ＳＴ０１で集中ボタンが押下されたと判定した場合（ＹＥＳの場合）、次のステップＣ−ＳＴ０２に進む。ステップＣ−ＳＴ０２では、集中力維持モードの実行を開始する。次いで、ステップＣ−ＳＴ０３に進む。また、ステップＣ−ＳＴ０３以降のステップと同時に、後述する換気制御が実行される。
【００８７】
ステップＣ−ＳＴ０３では、各種センサ（45,47,49,51,53,55）の検出信号を読み込み、室内空気の温度、室内空気の湿度、室内の照度、外気温度および外気湿度といった室内および室外の環境情報を取得すると共に、リモートコントローラ（9）による設定情報を読み込み、基準温度に関する在室者（101）の補正情報および覚醒強さの設定情報などを取得する。次いで、ステップＣ−ＳＴ０４に進む。
【００８８】
ステップＣ−ＳＴ０４では、熱的快適性の適応モデルの情報を用い、ステップＣ−ＳＴ０３で取得した外気温度に基づいて、在室者（101）の快適温度（中立温度）を推定し、推定した快適温度を基準温度に設定する。このとき、リモートコントローラ（9）により基準温度に関する補正情報が設定されている場合には、その補正情報に基づいて基準温度を補正する。次いで、ステップＣ−ＳＴ０５に進む。
【００８９】
ステップＣ−ＳＴ０５では、ステップＣ−ＳＴ０４で設定した基準温度と、ステップＣ−ＳＴ０３で取得した覚醒強さの設定情報とに基づいて、第１目標温度および第２目標温度を設定する。なお、第１動作の実行時間ΔＴＬおよび第２動作の実行時間ΔＴＨは、ステップＣ−ＳＴ０３で取得した覚醒強さの設定情報に基づいて決定される。次いで、ステップＣ−ＳＴ０６に進む。
【００９０】
ステップＣ−ＳＴ０６では、第１動作の実行を開始し、目標温度を第１目標温度に設定する。これにより、室内空気の温度が速やかに下げられて基準温度よりも低くなるから、室内温度を在室者（101）が涼しさを感じる温度として、在室者（101）に覚醒強さの設定に応じた冷涼な刺激を与えられる。次いで、ステップＣ−ＳＴ０７に進む。
【００９１】
ステップＣ−ＳＴ０７では、リモートコントローラ（9）で集中ボタンが再度押下されて集中力維持モードが解除されたか否かを判定する。このステップＣ−ＳＴ０７で集中力維持モードが解除されたと判定した場合（ＹＥＳの場合）、集中力維持モードを終了し、通常運転モードに遷移する。このステップＣ−ＳＴ０７で集中力維持モードが解除されていないと判定した場合（ＮＯの場合）、ステップＣ−ＳＴ０８に進む。
【００９２】
ステップＣ−ＳＴ０８では、第１動作の実行時間（ΔＴＬ）が経過しているか否かを判定する。このステップＣ−ＳＴ０８で第１動作の実行時間（ΔＴＬ）が経過していないと判定した場合（ＮＯの場合）、ステップＣ−ＳＴ０７に戻り、集中力維持モードが解除されるかまたは第１動作の実行時間が経過するまでステップＣ−ＳＴ０７とステップＣ−ＳＴ０８とを繰り返し行う。また、ステップＣ−ＳＴ０８で第１動作の実行時間（ΔＴＬ）が経過していると判定した場合（ＹＥＳの場合）、ステップＣ−ＳＴ０９に進む。
【００９３】
ステップＣ−ＳＴ０９では、第１動作に代えて第２動作の実行を開始し、目標温度を第１目標温度から第２目標温度にまで段階的に上げる。
【００９４】
このとき、目標温度が内気温度センサ（45）によって検出される温度よりも第１温度（１．０℃）以上高く設定された場合、室内熱交換器（37）は停止されるが室内ファン（39）は運転する状態になる。そうなると、室内熱交換器（37）に付着した水分が送風によって室内に放たれるため、室内空気の湿度が上がり、在室者（101）に不快感を与え兼ねない。この実施形態１においては、上述の如く、目標温度を第１目標温度から第２目標温度にまで３０秒毎に０．５℃ずつ徐々に上げるので、内気温度センサ（45）により検出される温度が目標温度よりも第１温度（１．０℃）以上低くなり難く、室内熱交換器（37）が停止するのを抑制できる。
【００９５】
次いで、ステップＣ−ＳＴ１０では、リモートコントローラ（9）で集中ボタンが再度押下されて集中力維持モードが解除されたか否かを判定する。このステップＣ−ＳＴ１０で集中力維持モードが解除されたと判定した場合（ＹＥＳの場合）、集中力維持モードを終了し、通常運転モードに遷移する。このステップＣ−ＳＴ１０で集中力維持モードが解除されていないと判定した場合（ＮＯの場合）、ステップＣ−ＳＴ１１に進む。
【００９６】
ステップＣ−ＳＴ１１では、第２動作の実行時間（ΔＴＨ）が経過しているか否かを判定する。このステップＣ−ＳＴ１１で第２動作の実行時間（ΔＴＨ）が経過していないと判定した場合（ＮＯの場合）、ステップＣ−ＳＴ１０に戻り、集中力維持モードが解除されるかまたは第２動作の実行時間（ΔＴＨ）が経過するまでステップＣ−ＳＴ１０とステップＣ−ＳＴ１１とを繰り返し行う。ステップＣ−ＳＴ１１で第２動作の実行時間（ΔＴＨ）が経過していると判定した場合（ＹＥＳの場合）、ステップＣ−ＳＴ０６に戻り、第２動作に代えて第１動作の実行を開始する。
【００９７】
この冷房運転時の集中力維持モードでの第１動作および第２動作の繰り返し運転は、在室者（101）がリモートコントローラ（9）を操作して当該集中力維持モードを解除するまで実行される。この集中力維持モードの実行によれば、在室者に冷涼な刺激を周期的に与えながら、第１動作および第２動作を１回ずつ行う１サイクルでの総期間における室内空気の平均温度が快適温度に調整される。
【００９８】
−暖房運転時の集中力維持モード−
空調システム（1）による暖房運転時の集中力維持モードは、図６に示すフローチャートに従って実行される。
【００９９】
図６に示すように、暖房運転において、まず、スタートアップ後のステップＨ−ＳＴ０１では、リモートコントローラ（9）からの操作信号に基づいて、集中ボタンが押下されたか否かを判定する。このステップＨ−ＳＴ０１で集中ボタンが押下されていないと判定した場合（ＮＯの場合）、リターンして当該ステップＣ−ＳＴ０１を繰り返し行い、集中ボタンが押下されるのを監視する。
【０１００】
また、このステップＨ−ＳＴ０１で集中ボタンが押下されたと判定した場合（ＹＥＳの場合）、次のステップＨ−ＳＴ０２に進む。ステップＣ−ＳＴ０２では、集中力維持モードを開始する。次いで、ステップＨ−ＳＴ０３に進む。また、ステップＨ−ＳＴ０３以降のステップと同時に、後述する換気制御が実行される。
【０１０１】
ステップＨ−ＳＴ０３では、各種センサ（45,47,49,51,53,55）の検出信号を読み込み、室内空気の温度、室内空気の湿度、室内の照度、外気温度および外気湿度といった室内および室外の環境情報を取得すると共に、リモートコントローラ（9）による設定情報を読み込み、基準温度に関する補正情報および覚醒強さの設定情報などを取得する。次いで、ステップＨ−ＳＴ０４に進む。
【０１０２】
ステップＨ−ＳＴ０４では、熱的快適性の適応モデルの情報を用い、ステップＨ−ＳＴ０３で取得した外気温度に基づいて、在室者（101）の快適温度（中立温度）を推定し、推定した快適温度を基準温度に設定する。このとき、リモートコントローラ（9）により基準温度に関する補正情報が設定されている場合には、その補正情報に基づいて基準温度を補正する。
【０１０３】
次いで、ステップＨ−ＳＴ０５に進む。ステップＨ−ＳＴ０５では、ステップＨ−ＳＴ０４で設定した基準温度と、ステップＨ−ＳＴ０３で取得した覚醒強さの設定情報とに基づいて、第１目標温度および第２目標温度を設定する。なお、第１動作の実行時間ΔＴＬおよび第２動作の実行時間ΔＴＨは、ステップＣ−ＳＴ０３で取得した覚醒強さの設定情報に基づいて決定される。次いで、ステップＨ−ＳＴ０６に進む。
【０１０４】
ステップＨ−ＳＴ０６では、第１動作の実行を開始し、目標温度を第１目標温度に設定する。
【０１０５】
このとき、覚醒強さがいずれの強度設定とされていても、第１目標温度が基準温度よりも１．５℃以上低いので、第１動作の実行が開始されて直ぐに、内気温度センサ（45）によって検出される温度が第２目標温度よりも第１温度（１．０℃）以上高くなり、室内熱交換器（37）が停止される。それにより、室内空気の温度が速やかに下げられて基準温度よりも低くなるから、室内空気の温度を在室者（101）が涼しさを感じる温度として、在室者（101）に覚醒強さの設定に応じた冷涼な刺激を与えられる。この第１動作では、内気温度センサ（45）によって検出される温度が第１目標温度にまで到達したら室内熱交換器（37）の運転を再開させる。次いで、ステップＨ−ＳＴ０７に進む。
【０１０６】
ステップＨ−ＳＴ０７では、リモートコントローラ（9）で集中ボタンが押下されて集中力維持モードが解除されたか否かを判定する。このステップＨ−ＳＴ０７で集中力維持モードが解除されたと判定した場合（ＹＥＳの場合）、集中力維持モードを終了し、通常運転モードに遷移する。このステップＨ−ＳＴ０７で集中力維持モードが解除されていないと判定した場合（ＮＯの場合）、ステップＨ−ＳＴ０８に進む。
【０１０７】
ステップＨ−ＳＴ０８では、第１動作の実行時間（ΔＴＬ）が経過しているか否かを判定する。このステップＨ−ＳＴ０８で第１動作の実行時間（ΔＴＬ）が経過していないと判定した場合（ＮＯの場合）、ステップＨ−ＳＴ０７に戻り、集中力維持モードが解除されるかまたは第１動作の実行時間（ΔＴＬ）が経過するまでステップＨ−ＳＴ０７とステップＨ−ＳＴ０８とを繰り返し行う。ステップＨ−ＳＴ０８で第１動作の実行時間（ΔＴＬ）が経過していると判定した場合（ＹＥＳの場合）、ステップＨ−ＳＴ０９に進む。
【０１０８】
ステップＨ−ＳＴ０９では、第１動作に代えて第２動作の実行を開始し、目標温度を第１目標温度から第２目標温度にまで段階的に上げる。
【０１０９】
このとき、目標温度を第１目標温度から第２目標温度にまで急に上げた場合、空調システムの暖房運転により、室内空気の温度が急激に上昇する。室内空気の温度が急激に上昇すると、在室者（101）の血管が拡張されて、身体の放熱が促進されるため、深部体温が低下して、在室者（101）は眠気を感じ易くなる。この実施形態１においては、上述の如く、目標温度を第１目標温度から第２目標温度にまで３０秒毎に０．５℃ずつ徐々に上げるので、在室者（101）の血管が拡張するのが抑えられて、在室者（101）が眠気を感じ易くなるのを回避できる。
【０１１０】
次いで、ステップＨ−ＳＴ１０では、リモートコントローラ（9）で集中ボタンが再度押下されて集中力維持モードが解除されたか否かを判定する。このステップＨ−ＳＴ１０で集中力維持モードが解除されたと判定した場合（ＹＥＳの場合）、集中力維持モードを終了し、通常運転モードに遷移する。このステップＨ−ＳＴ１０で集中力維持モードが解除されていないと判定した場合（ＮＯの場合）、ステップＨ−ＳＴ１１に進む。
【０１１１】
ステップＨ−ＳＴ１２では、第２動作の実行時間（ΔＴＨ）が経過しているか否かを判定する。このステップＨ−ＳＴ１２で第２動作の実行時間（ΔＴＨ）が経過していないと判定した場合（ＮＯの場合）、ステップＨ−ＳＴ１１に戻り、集中力維持モードが解除されるかまたは第２動作の実行時間（ΔＴＨ）が経過するまでステップＣ−ＳＴ１１とステップＨ−ＳＴ１２とを繰り返し行う。ステップＨ−ＳＴ１２で第２動作の実行時間（ΔＴＨ）が経過していると判定した場合（ＹＥＳの場合）、ステップＨ−ＳＴ０６に戻り、第２動作に代えて第１動作の実行を開始する。
【０１１２】
この暖房運転時の集中力維持モードでの第１動作および第２動作の繰り返し運転は、在室者（101）がリモートコントローラ（9）を操作して当該集中力維持モードを解除するまで実行される。この集中力維持モードの実行によれば、在室者に冷涼な刺激を周期的に与えながら、第１動作および第２動作を１回ずつ行う１サイクルでの総期間における室内空気の平均温度が快適温度に調整される。
【０１１３】
以上のように、冷房運転時の集中力維持モードでの制御と、暖房運転時の集中力維持モードでの制御とは殆ど同じであるが、冷房運転時の集中力維持モードにおける第１動作は、室内熱交換器（37）を停止せずに行われるのに対し、暖房運転時の集中力維持モードにおける第１動作は、室内熱交換器（37）を停止させて行われる点、冷房運転時の集中力維持モードにおける第２動作は、室内熱交換器（37）の停止を回避するために目標温度を徐々に上げるのに対し、暖房運転時の集中力維持モードにおける第２動作は、在室者（101）が眠気を感じ易くなるのを回避するために目標温度を徐々に上げる点で異なる。
【０１１４】
<換気制御>
空調システム（1）による換気制御は、図７に示すフローチャートに従って実行される。
【０１１５】
図５〜図７に示すように、換気制御は、冷房運転時の集中力維持モードでのステップＣ−ＳＴ０２または暖房運転時の集中力維持モードでのステップＨ−ＳＴ０２で、集中力維持モードの実行が開始されると共に実行される。
【０１１６】
図７に示すように、まず、ステップＶ−ＳＴ０１では、リモートコントローラ（9）で集中ボタンが再度押下されて集中力維持モードが解除されたか否かを判定する。このステップＶ−ＳＴ０１で集中力維持モードが解除されたと判定した場合（ＹＥＳの場合）、集中力維持モードを終了し、通常運転モードに遷移する（図５および図６参照）。このステップＶ−ＳＴ０１で集中力維持モードが解除されていないと判定した場合（ＮＯの場合）、ステップＶ−ＳＴ０２に進む。
【０１１７】
ステップＶ−ＳＴ０２では、ＣＯ２濃度センサ（49）によって検出される室内空気のＣＯ２濃度を取得する。次いで、ステップＶ−ＳＴ０３に進む。
【０１１８】
ステップＶ−ＳＴ０３では、室内空気のＣＯ２濃度が第１基準値（１０００ｐｐｍ）以上であるか否かを判定する。このステップＶ−ＳＴ０３で室内空気のＣＯ２濃度が第１基準値（１０００ｐｐｍ）未満であると判定した場合（ＮＯの場合）、ステップＶ−ＳＴ０１に戻り、集中力維持モードが解除されるかまたは室内空気のＣＯ２濃度が第１基準値（１０００ｐｐｍ）以上になるまでステップＶ−ＳＴ０１〜ステップＶ−ＳＴ０３を繰り返し行う。
【０１１９】
また、ステップＶ−ＳＴ０３で室内空気のＣＯ２濃度が第１基準値（１０００ｐｐｍ）以上であると判定した場合（ＹＥＳの場合）、ステップＶ−ＳＴ０４に進む。ステップＣ−ＳＴ０４では、換気装置（7）の運転を開始する。次いで、ステップＶ−ＳＴ０５に進む。
【０１２０】
ステップＶ−ＳＴ０５では、リモートコントローラ（9）で集中ボタンが再度押下されて集中力維持モードが解除されたか否かを判定する。このステップＶ−ＳＴ０５で集中力維持モードが解除されたと判定した場合（ＹＥＳの場合）、集中力維持モードを終了し、通常運転モードに遷移する（図５および図６参照）。このステップＶ−ＳＴ０５で集中力維持モードが解除されていないと判定した場合（ＮＯの場合）、ステップＶ−ＳＴ０６に進む。
【０１２１】
ステップＶ−ＳＴ０６では、ＣＯ２濃度センサ（49）によって検出される室内空気のＣＯ２濃度を取得する。次いで、ステップＶ−ＳＴ０７に進む。
【０１２２】
ステップＶ−ＳＴ０７では、室内空気のＣＯ２濃度が第２基準値（９００ｐｐｍ）未満であるか否かを判定する。このステップＶ−ＳＴ０７で室内空気のＣＯ２濃度が第２基準値（９００ｐｐｍ）以上であると判定した場合（ＮＯの場合）、ステップＶ−ＳＴ０４に戻り、集中力維持モードが解除されるかまたは室内空気のＣＯ２濃度が第２基準値（９００ｐｐｍ）未満になるまでステップＶ−ＳＴ０４〜ステップＶ−ＳＴ０７を繰り返し行う。
【０１２３】
また、ステップＶ−ＳＴ０７で室内空気のＣＯ２濃度が第２基準値（９００ｐｐｍ）未満であると判定した場合（ＹＥＳの場合）、リターンしてステップＶ−ＳＴ０１以降のステップを再度行う。
【０１２４】
このように換気制御は、集中力維持モードが解除されるまで実行される。この換気制御の実行によれば、室内空気のＣＯ２濃度が第１基準値（１０００ｐｐｍ）以下に調整される。
【０１２５】
−実施形態１の効果−
この実施形態１の空調システム（1）では、第１動作において目標温度を相対的に短い時間で第１目標温度に下げる。そのことで、室内空気の温度が速やかに下げられて基準温度よりも低くなるから、室内温度を在室者（101）が涼しさを感じる温度にして、在室者（101）に冷涼な刺激を与えられる。これにより、在室者（101）が眠気を感じるのを防止することができる。
【０１２６】
また、この実施形態１の空調システム（1）では、第２動作において目標温度を相対的に長い時間をかけて段階的に第２目標温度に上げる。そのことで、室内空気の温度が緩やかに上げられて基準温度よりも高くなるから、温度変化によって在室者（101）にかかる負担を軽減しながら、第１動作を行っている期間と第２動作を行っている期間との総期間における室内空気の平均温度を在室者（101）が快適な温度とすることができる。これにより、在室者（101）が快適な室内環境を実現することができる。
【０１２７】
したがって、この実施形態１の空調システム（1）によれば、在室者が眠気を感じるのを防止することと、快適な室内環境を実現することとを両立することができる。その結果、在室者の集中力を維持して、在室者の作業効率が悪化するのを抑制することができる。
【０１２８】
また、この実施形態１の空調システム（1）では、冷房運転時において、内気温度センサ（45）により検出される温度が目標温度よりも所定の温度以上低くなったときに、室内熱交換器（37）を停止する。しかし、第２動作では、目標温度を第１目標温度から第２目標温度にまで段階的に上げるので、冷房運転時において、内気温度センサ（45）により検出される温度が目標温度よりも所定温度以上低くなり難くし、室内熱交換器（37）が停止されるのを抑制できる。これにより、室内空気の湿度が上がることに起因して在室者（101）に不快感を与えないようにできる。
【０１２９】
また、この実施形態１の空調システム（1）では、暖房運転時において、内気温度センサ（45）により検出される温度が目標温度よりも第１温度（１．０℃）以上高くなったときに、室内熱交換器（37）を停止する。第１動作では、目標温度を開始後直ぐに第１目標温度に下げるから、第１目標温度を内気温度センサ（45）によって検出される温度よりも第１温度（１．０℃）以上低く設定される。これにより、第１動作を開始した後に間もなく室内熱交換器（37）が停止されるので、室内空気の温度を速やかに下げるのに寄与する。
【０１３０】
また、この実施形態１の空調システム（1）では、快適温度と外気温度との関係を示す関係情報を用いて、外気温度センサ（45）により検出される外気温度から快適温度を推定し、推定した快適温度を基準温度として用いる。これによれば、一般的な快適温度を、在室者（101）が快適と感じる室内空気の温度として推定し、基準温度にすることができる。このことは、第１モードでの室内空気の温度制御により、不特定の在室者（101）が快適な室内環境を実現するのに好適である。
【０１３１】
また、この実施形態１の空調システム（1）では、在室者（101）の個体差に関する情報に基づいて基準温度を補正する。それにより、在室者（101）の個体差に関する情報が基準温度に反映されるので、在室者（101）が快適と感じる室内空気の温度を、精度良く基準温度として用いることができる。このことは、集中力維持モードでの室内空気の温度制御により、在室者（101）にとって快適な室内環境を実現するのに有利である。
【０１３２】
また、この実施形態１の空調システム（1）では、第１動作の目標温度および実行時間と第２動作の目標温度および実行時間が、上記関係式（１）に則り、第１動作を行っている一期間と第２動作を行っている一期間との総期間における室内空気の平均温度が基準温度となるように決定される。このことは、集中力維持モードでの室内空気の温度制御により、在室者（101）にとって快適な室内環境を実現するのに好適である。
【０１３３】
また、この実施形態１の空調システム（1）では、ＣＯ２濃度センサ（49）により検出される室内空気のＣＯ２濃度が第１基準値（１０００ｐｐｍ）以上になったときに、換気装置（7）を運転する。これによれば、必要に応じて室内空気が入れ替えられて室内のＣＯ２濃度が下がるので、在室者（101）にとって快適な室内環境を実現するのに好適である。
【０１３４】
《実施形態２》
実施形態２について説明する。
【０１３５】
実施形態２の空調システム（1）は、実施形態１の空調システム（1）において、基準温度の設定方法を変更したものである。ここでは、この実施形態２の空調システム（1）について、実施形態１の空調システム（1）とは異なる点を説明する。
【０１３６】
空調システム（1）は、人工知能（ＡＩ：Artificial Intelligence）を用いて、基準温度を設定するようになっている。
【０１３７】
空調システム（1）の記憶部（59）には、室内の温度、室内の湿度、室内の照度、外気の温度および外気の湿度の少なくとも１つを含む環境情報に関するパラメータと、在室者（101）の温冷感に関するパラメータとに基づいて生成された学習モデルが記憶されている。この実施形態２において、学習モデルの環境情報に関するパラメータには、室内の温度、室内の湿度、室内の照度、外気の温度および外気の湿度に関するパラメータを含む。
【０１３８】
学習モデルは、在室者（101）が空調システム（1）の利用時に、在室者（101）の温冷感の情報をリモートコントローラ（9）の操作で入力することにより、その情報入力時における内気温度センサ（45）、内気湿度センサ（47）、照度センサ（51）、外気温度センサ（53）および外気湿度センサ（55）の各検出値を環境情報のパラメータとして、在室者（101）の温冷感に関するパラメータと関連付けるスタンドアローンの学習により生成されてもよい。
【０１３９】
学習モデルは、ネットワークを介して複数の空調システム（1）と接続されたサーバにおいて、各空調システム（1）を利用する在室者（101）から収集した、内気温度センサ（45）、内気湿度センサ（47）、照度センサ（51）、外気温度センサ（53）および外気湿度センサ（55）の各検出値と、在室者（101）の温冷感に関する情報とを、それぞれ環境情報のパラメータとそれに対する在室者（101）の温冷感に関するパラメータとして関連付ける学習により生成されてもよい。
【０１４０】
制御部（11）は、上記学習モデルを用い、内気温度センサ（45）、内気湿度センサ（47）、照度センサ（49）、外気温度センサ（53）および外気湿度センサ（55）により検出される室内の温度、室内の湿度、室内の照度、外気の温度および外気の湿度に基づいて、快適温度を推定する。制御部（11）は、学習モデルにより推定した快適温度を基準温度に設定する。制御部（11）は、必要に応じて基準温度に関する補正情報に基づき、基準温度を補正する。
【０１４１】
−実施形態２の効果−
この実施形態２の空調システム（1）では、基準温度に用いる快適温度を、環境情報と在室者（101）の温冷感とを関連付けた学習モデルによって推定する。それにより、在室者（101）が快適と感じる室内空気の温度を、快適温度として精度良く推定し、基準温度にすることができる。このことは、集中力維持モードでの室内空気の温度制御により、在室者（101）にとって快適な室内環境を実現するのに有利である。
【０１４２】
《その他の実施形態》
上記実施形態１および上記実施形態２については、以下のような構成としてもよい。
【０１４３】
−第１変形例−
内気温度センサ（45）は、リモートコントローラ（9）に設けられていてもよい。このようにすれば、リモートコントローラ（9）は在室者（101）の近くに置かれることが多いので、在室者（101）の付近での室内空気の温度を検出することができる。このことは、集中力維持モードでの室内空気の温度制御により、在室者（101）にとって快適な室内環境を実現するのに有利である。
【０１４４】
なお、内気温度センサ（45）は、リモートコントローラ（9）でなくても、室内ユニット（5）とは別部品に設けられていてもよい。また、内気温度センサ（45）に限らず、内気湿度センサ（47）、照度センサ（49）、ＣＯ２濃度センサ（51）も、リモートコントローラ（9）などの、室内ユニット（5）とは別部品に設けられていてもよい。
【０１４５】
−第２変形例−
実施形態１の空調システム（1）において、基準温度の設定に利用する熱的快適性の適応モデルなどの関係情報や、実施形態２の空調システム（1）において、基準温度の設定に利用する学習モデルは、当該空調システム（1）とネットワークを介して接続されるサーバが保有していてもよい。この場合、空調システム（1）は、関係情報や学習モデルの情報をサーバに要求し、サーバから基準温度の設定に必要な情報を取得すればよい。
【０１４６】
以上、実施形態および変形例を説明したが、特許請求の範囲の趣旨および範囲から逸脱することなく、形態や詳細の多様な変更が可能なことが理解されるであろう。また、以上の実施形態および変形例は、本開示の対象の機能を損なわない限り、適宜組み合わせたり、置換したりしてもよい。
【０１４７】
例えば、空調システム（1）は、室外ユニット（3）と室内ユニット（5）とが一対一のペア式である場合を例に挙げて説明したが、これに限らない。空調システム（1）は、室外ユニット（3）に対して室内ユニット（5）が複数設けられるマルチ式であってもよい。
【０１４８】
集中力維持モードの第１動作では、目標温度を開始後直ぐに第１目標温度に下げるとしたが、これに限らない。集中力維持モードの第１動作では、目標温度を開始後直ぐに第１目標温度に下げなくてもよく、第１動作において目標温度を第１目標温度に下げるまでの時間が、第２動作において目標温度を第２目標温度に上げるまでの時間よりも短ければよい。
【０１４９】
集中力維持モードの実行時の換気制御では、換気装置（7）を運転させるＣＯ２濃度の第１基準値として１０００ｐｐｍを、換気装置（7）を停止させるＣＯ２濃度の第２基準値として９００ｐｐｍを例示したが、これに限らない。第１基準値を１０００ｐｐｍに設定すること、第２基準値を９００ｐｐｍに設定することは、換気制御を行うための設定の一例に過ぎず、これら第１基準値および第２基準値には、在室者にとって快適な室内環境を実現するのに好適であれば、任意の値を設定することが可能である。
【産業上の利用可能性】
【０１５０】
以上説明したように、本開示は、空調システムについて有用である。
【符号の説明】
【０１５１】
1    空調システム
3    室外ユニット
5    室内ユニット
7    換気装置
9    リモートコントローラ（入力部）
11    制御部
13    連絡配管
15    連絡配管
17    冷媒回路
19    室外回路
21    室内回路
23    圧縮機
25    四方切換弁
27    室外熱交換器
29    膨張弁
31    室外ファン
33    冷媒配管
35    室外ファンモータ
37    室内熱交換器（温度調節部）
39    室内ファン
41    室内ファンモータ
43    換気ファン
45    内気温度センサ（内気温度検出部）
47    内気湿度センサ
49    ＣＯ２濃度センサ（二酸化炭素濃度検出部）
51    照度センサ
53    外気温度センサ（外気温度検出部）
55    外気湿度センサ
57    中央演算処理装置
59    記憶部
101   在室者
103   デスク
【手続補正２】
【補正対象書類名】特許請求の範囲
【補正対象項目名】全文
【補正方法】変更
【補正の内容】
【特許請求の範囲】
【請求項１】
室内空気の温度を調節する温度調節部（37）と、
室内空気の温度を検出する内気温度検出部（45）と、
前記内気温度検出部（45）によって検出される温度が目標温度に近づくように前記温度調節部（37）を制御する制御部（11）と、を備える空調システムであって、
前記制御部（11）は、前記目標温度を所定の基準温度よりも低い第１目標温度に下げる第１動作と、前記目標温度を前記基準温度よりも高い第２目標温度に上げる第２動作とを順に少なくとも１回ずつ行う第１モードを実行し、
前記第２動作では、前記目標温度を前記第１目標温度から前記第２目標温度にまで徐々に上げ、
前記第１動作において前記目標温度を前記第１目標温度に下げるまでの時間が、前記第２動作において前記目標温度を前記第２目標温度に上げるまでの時間よりも短い
ことを特徴とする空調システム。
【請求項２】
請求項１に記載された空調システムにおいて、
前記温度調節部（37）は、冷媒回路（17）に接続される室内熱交換器（37）によって構成され、
前記制御部（11）は、
前記室内熱交換器（37）が蒸発器として機能する冷房運転時に前記第１モードを実行し、
前記内気温度検出部（45）によって検出される温度が前記目標温度よりも所定の温度以上低くなったときに、前記室内熱交換器（37）を停止させる
ことを特徴とする空調システム。
【請求項３】
請求項１に記載された空調システムにおいて、
前記温度調節部（37）は、冷媒回路（17）に接続される室内熱交換器（37）によって構成され、
前記制御部（11）は、
前記室内熱交換器（37）が放熱部として機能する暖房運転時に前記第１モードを実行し、
前記内気温度検出部（45）によって検出される温度が前記目標温度よりも所定の温度以上高くなったときに、前記室内熱交換器（37）を停止させる
ことを特徴とする空調システム。
【請求項４】
請求項１〜３のいずれか１項に記載された空調システムにおいて、
前記制御部（11）は、在室者（101）が快適と感じる室内空気の快適温度を推定し、
前記基準温度は、前記制御部（11）によって推定される前記快適温度である
ことを特徴とする空調システム。
【請求項５】
請求項４に記載された空調システムにおいて、
前記制御部（11）は、室内の温度、室内の湿度、室内の照度、外気の温度および外気の湿度の少なくとも１つを含む環境情報に関するパラメータと、在室者（101）の温冷感に関するパラメータとに基づいて生成された学習モデルにより、前記快適温度を推定する
ことを特徴とする空調システム。
【請求項６】
請求項４に記載された空調システムにおいて、
外気温度を検出する外気温度検出部（53）と、
前記快適温度と外気温度との関係を示す関係情報を記憶した記憶部（59）と、を備え、
前記制御部（11）は、前記記憶部（59）に記憶された前記関係情報を用い、前記外気温度検出部（53）により検出される外気温度に基づいて前記快適温度を推定する
ことを特徴とする空調システム。
【請求項７】
請求項４〜６のいずれか１項に記載された空調システムにおいて、
在室者（101）の個体差に関する情報が入力される入力部（9）を備え、
前記制御部（11）は、前記入力部（9）に入力された情報に基づいて前記基準温度を補正する
ことを特徴とする空調システム。
【請求項８】
請求項１〜７のいずれか１項に記載された空調システムにおいて、
前記温度調節部（37）を有する室内ユニット（5）を備え、
前記内気温度検出部（45）は、前記室内ユニット（5）とは別部品に設けられている
ことを特徴とする空調システム。
【請求項９】
請求項１〜８のいずれか１項に記載された空調システムにおいて、
前記基準温度をＴａ、前記目標温度をＴｓとしたとき、
前記第１動作を行っている一期間の前記基準温度と前記目標温度との温度差（Ｔａ−Ｔｓ）の積算値と、前記第２動作を行っている一期間の前記目標温度と前記基準温度との温度差（Ｔｓ−Ｔａ）の積算値とが等しい
ことを特徴とする空調システム。
【請求項１０】
請求項１〜９のいずれか１項に記載された空調システムにおいて、
室内空気を換気する換気装置（7）と、
室内の二酸化炭素濃度を検出する二酸化炭素濃度検出部（49）と、を備え、
前記制御部（11）は、前記二酸化炭素濃度検出部（49）により検出される二酸化炭素濃度が所定値以上になったときに、前記換気装置（7）を運転する
ことを特徴とする空調システム。
【手続補正書】
【提出日】令和2年8月7日(2020.8.7)
【手続補正１】
【補正対象書類名】明細書
【補正対象項目名】全文
【補正方法】変更
【補正の内容】
【発明の詳細な説明】
【技術分野】
【０００１】
本開示は、空調システムに関するものである。
【背景技術】
【０００２】
従来から、空調システムにおいて、在室者の体感温度や温熱快適性に基づき、温度、湿度および風速などを制御することにより、室内環境の快適性を向上させる技術が提案されている（例えば、特許文献１参照）。在室者の体感温度を示す指標としてはＳＥＴ（Standard new Effective Temperature）が、在室者の温熱快適性を示す指標としてはＰＭＶ（Predicted Mean Vote）がそれぞれ知られている。
【先行技術文献】
【特許文献】
【０００３】
【特許文献１】特開２００９−１３３４９９号公報
【発明の概要】
【発明が解決しようとする課題】
【０００４】
空調システムによって実現される在室者が快適と感じる環境の中には、人が眠気を感じる環境条件が存在する。このため、オフィスや自習室などの作業環境においては、在室者が一定温度の快適な環境に滞在し続けると、集中力が低下して作業効率を悪化させるおそれがある。
【０００５】
本開示の目的は、在室者が眠気を感じるのを防止することと、快適な室内環境を実現することとを両立することにある。
【課題を解決するための手段】
【０００６】
本開示の第１の態様は、室内空気の温度を調節する温度調節部（37）と、室内空気の温度を検出する内気温度検出部（45）と、内気温度検出部（45）によって検出される温度が目標温度に近づくように温度調節部（37）を制御する制御部（11）とを備える空調システム（1）を対象とする。
【０００７】
制御部（11）は、目標温度を所定の基準温度よりも低い第１目標温度に下げる第１動作と、目標温度を基準温度よりも高い第２目標温度に上げる第２動作とを順に少なくとも１回ずつ行う第１モードを実行する。第２動作では、目標温度を第１目標温度から第２目標温度にまで段階的に上げる。第１動作において目標温度を第１目標温度に下げるまでの時間は、第２動作において目標温度を第２目標温度に上げるまでの時間よりも短い。
【０００８】
この第１の態様では、第１動作において目標温度を相対的に短い時間で第１目標温度に下げる。そのことで、室内空気の温度が速やかに下げられて基準温度よりも低くなるから、室内温度を在室者（101）が涼しさを感じる温度にして、在室者（101）に冷涼な刺激を与えられる。これにより、在室者（101）が眠気を感じるのを防止することができる。
【０００９】
また、この第１の態様では、第２動作において目標温度を相対的に長い時間をかけて段階的に第２目標温度に上げる。そのことで、室内空気の温度が緩やかに上げられて基準温度よりも高くなるので、温度変化によって在室者（101）にかかる負担を軽減しながら、第１動作を行っている期間と第２動作を行っている期間との総期間における室内空気の平均温度を在室者（101）が快適な温度とすることができる。これにより、在室者（101）にとって快適な室内環境を実現することができる。
【００１０】
本開示の第２の態様は、第１の態様の空調システム（1）において、温度調節部（37）が、冷媒回路（17）に接続される室内熱交換器（37）によって構成されている、空調システム（1）である。当該空調システム（1）は、室内空気を搬送し、室内熱交換器（37）に通過させるファン（39）をさらに備える。制御部（11）は、室内熱交換器（37）が蒸発器として機能する冷房運転時に第１モードを実行する。そして、制御部（11）は、冷房運転時において、内気温度検出部（45）によって検出される温度が目標温度よりも所定の温度以上低くなったときに、室内熱交換器（37）を停止させると共に、ファン（39）を継続して運転させる。
【００１１】
この第２の態様では、冷房運転時において、内気温度検出部（45）により検出される温度が目標温度よりも所定の温度以上低くなったときに、室内熱交換器（37）を停止すると共に、ファン（39）が継続して運転する。そのため、冷房運転時において、目標温度が内気温度検出部（45）によって検出される温度よりも所定の温度以上高く設定された場合、室内熱交換器（37）が停止されるが室内ファン（39）は運転する。そうなると、室内熱交換器（37）に付着した水分が送風によって室内に放たれるため、室内空気の湿度が上がり、在室者（101）に不快感を与えてしまう。
【００１２】
これに対し、この第２の態様においても、第２動作では、目標温度を第１目標温度から第２目標温度にまで段階的に上げるので、冷房運転時において、内気温度検出部（45）により検出される温度が目標温度よりも所定温度以上低くなり難くし、室内熱交換器（37）が停止されるのを抑制できる。これにより、室内空気の湿度が上がることに起因して在室者（101）に不快感を与えないようにできる。
【００１３】
本開示の第３の態様は、第２の態様の空調システム（1）において、第２動作での目標温度の上げ幅が、前記所定の温度未満の温度である、空調システム（1）である。
【００１４】
本開示の第４の態様は、第１の態様の空調システム（1）において、温度調節部（37）が、冷媒回路（17）に接続される室内熱交換器（37）によって構成されている、空調システム（1）である。当該空調システム（1）は、室内空気を搬送し、室内熱交換器（37）に通過させるファン（39）をさらに備える。制御部（11）は、室内熱交換器（37）が放熱部として機能する暖房運転時に第１モードを実行する。そして、制御部（11）は、暖房運転時において、内気温度検出部（45）によって検出される温度が目標温度よりも所定の温度以上高くなったときに、室内熱交換器（37）を停止させると共に、ファン（39）を継続して運転させる。
【００１５】
この第４の態様では、暖房運転時において、内気温度検出部（45）により検出される温度が目標温度よりも所定の温度以上高くなったときに、室内熱交換器（37）を停止すると共に、ファン（39）が継続して運転する。第１動作では、目標温度を相対的に短い時間で第１目標温度に下げるから、第１目標温度が内気温度検出部（45）によって検出される温度よりも所定の温度以上低く設定され易い。このことは、第１動作を開始した後に間もなくファン（39）が運転したまま室内熱交換器（37）を停止し、室内空気の温度を速やかに下げるのに寄与する。
【００１６】
本開示の第５の態様は、第４の態様の空調システム（1）において、第１動作での前記目標温度の下げ幅が、前記所定の温度以上の温度である、空調システム（1）である。
【００１７】
本開示の第６の態様は、第１〜第５の態様のいずれか１つの空調システム（1）において、制御部（11）が、在室者（101）が快適と感じる室内空気の快適温度を推定する、空調システム（1）である。ここで、基準温度は、制御部（11）によって推定される快適温度である。
【００１８】
この第６の態様では、基準温度として制御部（11）により推定される快適温度を用いる。これによれば、第１動作を行っている期間と第２動作を行っている期間との総期間における室内空気の平均温度を在室者（101）が快適な温度とし易い。したがって、第１モードでの室内空気の温度制御により、在室者（101）にとって快適な室内環境を実現するのに好適である。
【００１９】
本開示の第７の態様は、第６の態様の空調システム（1）において、制御部（11）が、室内空気の温度、室内空気の湿度、室内の照度、外気の温度および外気の湿度の少なくとも１つを含む環境情報に関するパラメータと、在室者（101）の温冷感に関するパラメータとに基づいて生成された学習モデルにより、快適温度を推定する、空調システム（1）である。
【００２０】
この第７の態様では、基準温度に用いる快適温度を、環境情報と在室者（101）の温冷感とを関連付けた学習モデルによって推定する。それにより、在室者（101）が快適と感じる室内空気の温度を、快適温度として精度良く推定し、基準温度にすることができる。このことは、第１モードでの室内空気の温度制御により、在室者（101）にとって快適な室内環境を実現するのに有利である。
【００２１】
本開示の第８の態様は、第６の態様の空調システム（1）において、外気温度を検出する外気温度検出部（53）と、快適温度と外気温度との関係を示す関係情報を記憶した記憶部（59）とを備える、空調システム（1）である。制御部（11）は、記憶部（59）に記憶された関係情報を用い、外気温度検出部（53）により検出される外気温度に基づいて快適温度を推定する。
【００２２】
この第８の態様では、基準温度に用いる快適温度を、快適温度と外気温度との関係を示す関係情報を用いて、外気温度検出部（53）により検出される外気温度から推定する。それにより、一般的な快適温度を、在室者（101）が快適と感じる室内空気の温度として推定し、基準温度にすることができる。このことは、第１モードでの室内空気の温度制御により、在室者（101）にとって快適な室内環境を実現するのに有利である。
【００２３】
本開示の第９の態様は、第６〜第８の態様のいずれか１つの空調システム（1）において、在室者（101）の個体差に関する情報が入力される入力部（9）を備える、空調システム（1）である。制御部（11）は、入力部（9）に入力された情報に基づいて基準温度を補正する。
【００２４】
この第９の態様では、制御部（11）が在室者（101）の個体差に関する情報に基づいて基準温度を補正する。それにより、在室者（101）の個体差に関する情報が基準温度に反映されるので、在室者（101）が快適と感じる室内空気の温度を、精度良く基準温度として用いることができる。このことは、第１モードでの室内空気の温度制御により、在室者（101）にとって快適な室内環境を実現するのに有利である。
【００２５】
本開示の第１０の態様は、第１〜第９の態様のいずれか１つの空調システム（1）において、温度調節部（37）を有する室内ユニット（5）を備える、空調システム（1）である。内気温度検出部（45）は、室内ユニット（5）とは別部品に設けられている。
【００２６】
この第１０の態様では、内気温度検出部（45）が室内ユニット（5）とは別部品に設けられている。内気温度検出部（45）が設けられた別部品は、在室者（101）の近くに配置することが可能である。よって、在室者（101）の付近での室内空気の温度を内気温度検出部（45）により検出することができる。このことは、第１モードでの室内空気の温度制御により、在室者（101）にとって快適な室内環境を実現するのに好適である。
【００２７】
本開示の第１１の態様は、第１〜第１０の態様のいずれか１つの空調システム（1）において、基準温度をＴａ、目標温度をＴｓとしたとき、第１動作を行っている一期間の基準温度と目標温度との温度差（Ｔａ−Ｔｓ）の積算値と、第２動作を行っている一期間の目標温度と基準温度との温度差（Ｔｓ−Ｔａ）の積算値とが等しい、空調システム（1）である。
【００２８】
この第１１の態様では、第１動作の目標温度および実行時間と第２動作の目標温度および実行時間が、第１動作を行っている一期間と第２動作を行っている一期間との総期間における室内空気の平均温度が基準温度となるように決定される。このことは、第１モードでの室内空気の温度制御により、在室者（101）にとって快適な室内環境を実現するのに好適である。
【００２９】
本開示の第１２の態様は、第１〜第１１の態様のいずれか１つの空調システム（1）において、室内空気を換気する換気装置（7）と、室内の二酸化炭素濃度を検出する二酸化炭素濃度検出部（49）とを備える、空調システム（1）である。制御部（11）は、二酸化炭素濃度検出部（49）により検出される二酸化炭素濃度が所定値以上になったときに、換気装置（7）を運転する。
【００３０】
この第１２の態様では、二酸化炭素濃度検出部（49）により検出される室内の二酸化炭素濃度が所定値以上になったときに、換気装置（7）を運転する。室内の二酸化炭素濃度が高いと、倦怠感や疲労度が増したり、眠気を招いたりする。換気装置（7）を運転すれば、室内空気が入れ替えられて室内の二酸化炭素濃度が下がるので、在室者（101）にとって快適な室内環境を実現するのに好適である。
【図面の簡単な説明】
【００３１】
【図１】図１は、実施形態の空調システムを概略的に示す模式図である。
【図２】図２は、実施形態の空調システムを構成する冷媒回路を示す図である。
【図３】図３は、実施形態の空調システムの構成を示すブロック図である。
【図４】図４は、実施形態の空調システムで用いられる関係情報（熱的快適性の適応モデル）のイメージ図である。
【図５】図５は、実施形態の空調システムにおける冷房運転時の集中力維持モードのフローチャートである。
【図６】図６は、実施形態の空調システムにおける暖房運転時の集中力維持モードのフローチャートである。
【図７】図７は、実施形態の空調システムにおける集中力維持モードでの換気制御のフローチャートである。
【発明を実施するための形態】
【００３２】
《実施形態１》
実施形態１について説明する。
【００３３】
この実施形態１の空調システム（1）は、在室者（101）の作業に対する集中力を維持するのに寄与するシステムであって、オフィスや自習室などの在室者（101）が作業を行う室内を対象とした空調を行うのに使用される。
【００３４】
−空調システムの構成−
図１に示すように、空調システム（1）は、室外に設置される室外ユニット（3）と、室内に設置される室内ユニット（5）および換気装置（7）と、リモートコントローラ（9）と、各種のセンサ類（45,47,49,51,53,55）と、当該空調システム（1）の動作を総合的に制御する制御部（11）とを備える。
【００３５】
〈室外ユニット、室内ユニット〉
室外ユニット（3）と室内ユニット（5）とは、連絡配管（13,15）により接続されて、図２に示す冷媒回路（17）を構成している。冷媒回路（17）では、充填された冷媒が循環することにより、蒸気圧縮式の冷凍サイクルが行われる。冷媒には、例えばＲ３２冷媒が用いられる。冷媒回路（17）は、室外回路（19）と、室内回路（21）とを含む。
【００３６】
室外ユニット（3）は、例えば、建物の屋上や建物脇の地面上、ベランダなどの屋外に設置される。室外ユニット（3）は、圧縮機（23）と、四方切換弁（25）と、室外熱交換器（27）と、膨張弁（29）と、室外ファン（31）とを有する。圧縮機（23）、四方切換弁（25）、室外熱交換器（27）および膨張弁（29）は、この順に冷媒配管（33）で接続されて室外回路（19）を構成している。
【００３７】
圧縮機（23）は、吸入した冷媒を圧縮し、圧縮した冷媒を吐出する。圧縮機（23）は、例えば容量が可変なインバータ式に構成される。圧縮機（23）は、例えば回転式圧縮機である。室外ファン（31）は、室外熱交換器（27）の近傍に設置される。室外ファン（31）は、室外ファンモータ（35）によって駆動される。室外ファン（31）は、例えばプロペラファンによって構成される。室外ファン（31）は、外気を搬送し、室外熱交換器（27）に通過させる。
【００３８】
室外熱交換器（27）は、室外ファン（31）によって搬送される外気と内部に流れる冷媒とを熱交換させる。室外熱交換器（27）は、例えばフィンアンドチューブ式熱交換器によって構成される。膨張弁（29）は、開度が可変な制御弁である。膨張弁（29）は、内部に流れる冷媒を減圧する。膨張弁（29）は、例えば電子膨張弁により構成される。
【００３９】
四方切換弁（25）は、冷媒回路（17）における冷媒の流路を第１状態（図２の実線で示す状態）と第２状態（図２の破線で示す状態）とに切り替える。第１状態の四方切換弁（25）は、圧縮機（23）の吐出部と室外熱交換器（27）とを連通させ、圧縮機（23）の吸入部と室内熱交換器（37）とを連通させる。第２状態の四方切換弁（25）は、圧縮機（23）の吐出部と室内熱交換器（37）とを連通させ、圧縮機（23）の吸入部と室外熱交換器（27）とを連通させる。
【００４０】
室内ユニット（5）は、例えば、室内の壁面や天井に取り付けられる。図１に示す室内ユニット（5）は、壁面に取り付けられる壁掛け式のユニットである。室内ユニット（5）は、室内熱交換器（37）と、室内ファン（39）とを有する。室内熱交換器（37）は、室内回路（21）を構成している。室内ファン（39）は、室内熱交換器（37）の近傍に設置される。室内ファン（39）は、室内ファンモータ（41）によって駆動される。
【００４１】
室内ファン（39）は、例えばクロスフローファンによって構成される。室内ファン（39）は、室内空気を搬送し、室内熱交換器（37）に通過させる。室内熱交換器（37）は、室内ファン（39）によって搬送される室内空気と内部を流れる冷媒とを熱交換させる。室内熱交換器（37）は、例えばフィンアンドチューブ式熱交換器によって構成される。ここで、室内熱交換器（37）は、室内空気の温度を調節する温度調節部の一例である。
【００４２】
冷媒回路（17）において、四方切換弁（25）が第１状態のときには、室外熱交換器（27）が凝縮器として機能し、室内熱交換器（37）が放熱器（蒸発器）として機能する冷凍サイクル（冷媒が図２の実線矢印の方向に流れる冷凍サイクル）が行われる。また、冷媒回路（17）において、四方切換弁（25）が第２状態のときには、室外熱交換器（27）が放熱器（蒸発器）として機能し、室内熱交換器（37）が凝縮器として機能する冷凍サイクル（冷媒が図２の破線矢印の方向に流れる冷凍サイクル）が行われる。
【００４３】
<換気装置>
換気装置（7）は、例えば、室内の壁面や天井に取り付けられる。図１に示す換気装置（7）は、壁面に取り付けられる壁掛け式の装置である。換気装置（7）は、換気ファン（43）と、必要に応じてダクトとを有する。換気ファン（43）は、室内に外部の空気を取り入れて、室内空気を外部に排出する。換気ファン（43）は、換気ファンモータ（不図示）によって駆動される。
【００４４】
〈リモートコントローラ〉
リモートコントローラ（9）は、室内ユニット（5）とは別部品であって、在室者（101）が作業を行うデスク（103）上など、在室者（101）の付近に置かれることが多い。リモートコントローラ（9）は、在室者（101）が操作可能に構成されている。図示しないが、リモートコントローラ（9）は、在室者（101）が操作を行う操作部と、所定の情報を表示する表示部とを有する。リモートコントローラ（9）は、無線により制御部（11）に接続される。リモートコントローラ（9）は、操作信号を制御部（11）に出力する。
【００４５】
操作部では、空調システム（1）のオンおよびオフや、運転モードおよび制御モードの切り換え、後述の集中力維持モードでの覚醒強さの設定、後述の基準温度に関する補正情報の入力を行える。操作部は、これら各種の操作を行うための複数のボタンを有する。複数のボタンには、後述の集中力維持モードをオンおよびオフするための集中ボタン、覚醒強さを設定するための選択ボタンが含まれる。
【００４６】
集中力維持モードでの覚醒強さの設定としては、例えば「弱」、「中」および「強」の３パターンが用意されている。ここで、「覚醒強さ」とは、集中力維持モードでの在室者（101）への冷涼な刺激の強さの程度を表している。覚醒強さの設定の内容については、後に詳述する。
【００４７】
操作部にて入力される補正情報は、在室者（101）の個体差に関する情報である。補正情報は、在室者（101）の暑さや寒さの体感に関する情報（暑がりであるや寒がりであるなどの抽象的な情報）であってもよい。また、補正情報は、＋１．０℃や−１．０℃といった具体的な補正温度の情報であってもよい。また、補正情報は、在室者（101）の性別、年齢、代謝量、体脂肪率および血圧などといった温冷感に関係する個人パラメータであってもよい。
【００４８】
表示部には、設定温度（基準温度）や室内空気の湿度、運転モードの情報などが表示される。運転モードの情報としては、冷房運転であるか暖房運転であるか、さらに後述の集中力維持モードが実行中であるか、集中力維持モードでの覚醒強さがいずれに設定されているかなどが挙げられる。
【００４９】
〈センサ類〉
センサ類としては、内気温度センサ（45）、内気湿度センサ（47）、ＣＯ２濃度センサ（49）、照度センサ（51）、外気温度センサ（53）および外気湿度センサ（55）を備える。これら各センサ（45,47,49,51,53,55）は、有線または無線により制御部（11）に接続される。各センサ（45,47,49,51,53,55）は、検出信号を制御部（11）に出力する。ここで、室内温度センサ（47）は、内気温度検出部の一例である。ＣＯ２濃度センサ（49）は、二酸化炭素濃度検出部の一例である。
【００５０】
内気温度センサ（45）、内気湿度センサ（47）、ＣＯ２濃度センサ（49）および照度センサ（51）は、例えば室内ユニット（5）に設けられている。室内温度センサ（45）は、室内ユニット（5）に吸い込まれる室内空気の温度を検出する。室内湿度センサ（47）は、室内ユニット（5）に吸い込まれる室内空気の湿度を検出する。ＣＯ２濃度センサ（49）は、室内ユニット（5）に吸い込まれる室内空気のＣＯ２濃度（二酸化炭素濃度）を検出する。照度センサ（51）は、室内の明るさ（照度）を検出する。
【００５１】
外気温度センサ（53）および外気湿度センサ（55）は、例えば室外ユニット（3）に設けられている。外気温度センサ（53）は、室外ユニット（3）に吸い込まれる外気の温度を検出する。外気湿度センサ（55）は、室外ユニット（3）に吸い込まれる外気の湿度を検出する。
【００５２】
<制御部>
制御部（11）は、周知のマイクロコンピュータをベースとするコントローラである。図３に示すように、制御部（11）は、プログラムを実行する中央演算処理装置（Central Processing Unit：ＣＰＵ）（57）と、中央演算処理装置上で実行される各種のプログラムやデータを記憶する記憶部（59）とを有する。記憶部（59）は、ＲＯＭ（Read Only Memory）やＲＡＭ（Random Access Memory）などによって構成されている。制御部（11）は、例えば室内ユニット（5）に内蔵されている。
【００５３】
制御部（11）は、内気温度センサ（45）、内気湿度センサ（47）、ＣＯ２濃度センサ（49）、照度センサ（51）、外気温度センサ（53）および外気湿度センサ（55）の検知信号、リモートコントローラ（9）からの操作信号に基づいて、室外ユニット（3）（圧縮機（23）、四方切換弁（25）、膨張弁（29）、室外ファン（31））、室内ユニット（5）（室内ファン（39））および換気装置（7）（換気ファン（43））の制御量を計算する。制御部（11）は、計算した制御量に係る制御信号を室外ユニット（3）、室内ユニット（5）および換気装置（7）に出力する。
【００５４】
記憶部（59）には、室内空気の湿度、室内空気のＣＯ２濃度、室内の照度、外気温度および外気湿度のうち少なくとも１つと、在室者（101）が快適と感じる室内空気の快適温度との関係を示す関係情報が記憶されている。関係情報としては、例えば、アダプティブコンフォートモデル（Adaptive Comfort Model）などとして知られる熱的快適性の適応モデルの情報が用いられる。
【００５５】
在室者（101）の快適温度は、人の環境への適応能力により外気温度に応じて変動する。熱的快適性の適応モデルは、室内空気の温度と在室者（101）の温冷感の申告に基づいて統計情報から回帰分析によって得られるモデルであって、図４のグラフで表されるような外気温度と快適温度との関係を示す情報である。図４に示す熱的快適性の適応モデルでは、快適温度は、外気温度が高くなるほど高くなっている。図４において、上下の二点鎖線の間の範囲は、統計上９０％の人間が快適と感じる快適温度の範囲を示し、上下の一点鎖線の間の範囲は、統計上８０％の人間が快適と感じる快適温度の範囲を示している。
【００５６】
制御部（11）は、記憶部（59）に記憶された関係情報、この実施形態１では熱的快適性の適応モデルの情報を用い、外気温度センサ（53）によって検出される外気温度に基づいて、在室者（101）の快適温度を推定する。一般に、快適性に関する気温の概念として、人間にとって暑くもなく寒くもなく快適に感じる気温である中立温度という概念が知られている。図４に示す熱的快適性の適応モデルにおいては、快適温度の範囲の中の実線ＮＬで示した中間の温度を中立温度とみなすことができる。制御部（11）は、この熱的快適性の適応モデルにより外気温度から求められる中立温度を在室者（101）の快適温度と推定する。
【００５７】
制御部（11）は、推定した快適温度に基づいて基準温度を自動で設定する。制御部（11）は、リモートコントローラ（9）により基準温度に関する補正情報が入力されていない場合、推定した快適温度を基準温度に設定する。制御部（11）は、リモートコントローラ（9）により基準温度に関する補正情報が入力されている場合、当該補正情報に基づいて基準温度を補正する。
【００５８】
例えば、補正情報として、在室者（101）が暑がりとの情報が入力されている場合、基準温度を所定の温度だけ下げる補正を行い、在室者（101）が寒がりとの情報が入力されている場合、基準温度を所定の温度だけ上げる補正を行う。また、補正情報として、具体的な補正温度の情報が入力されている場合、当該補正温度に応じて基準温度を上げるまたは下げる補正を行う。また、補正情報として、温冷感に関係する個人パラメータが入力されている場合、当該個人パラメータに応じて決定される所定の温度だけ基準温度を上げるまたは下げる補正を行う。
【００５９】
なお、制御部（11）は、リモートコントローラ（9）からの操作信号に基づいて基準温度を設定可能になっていてもよい。基準温度は、在室者がリモートコントローラ（9）を操作することにより手動で設定されてもよい。
【００６０】
制御部（11）は、リモートコントローラ（9）からの操作信号に基づいて、指定された運転モード（冷房運転または暖房運転）で室外ユニット（3）および室内ユニット（5）の動作を制御し、上述した各種センサ（45,47,49,51,53,55）からの検出信号に基づいて、空調システム（1）の運転を制御する。
【００６１】
制御部（11）は、複数の制御モードを有し、リモートコントローラ（9）からの操作信号により設定された制御モードに応じて室外ユニット（3）、室内ユニット（5）および換気装置（7）の動作を制御する。制御部（11）は、制御モードとして、在室者（101）の集中力を高めるための集中力維持モードと、集中力維持モードがオフのときに遷移する通常運転モードとを有する。ここで、「在室者（101）の集中力を高める」とは、在室者（101）が眠気を感じずに快適に過ごせるようにすることを意味する。ここで、集中力維持モードは、第１モードの一例である。
【００６２】
また、制御部（11）は、ＣＯ２センサによって検出される室内空気のＣＯ２濃度に基づいて、換気装置（7）の動作を制御する。ＣＯ２濃度は、室内空気の質を評価する指標の１つである。室内空気のＣＯ２濃度が高いと、倦怠感や疲労度が増したり、眠気を招いたりする。このため、室内空気のＣＯ２濃度は、高くなり過ぎないようにすることが望ましい。
【００６３】
制御部（11）は、ＣＯ２濃度センサ（49）によって検出される室内のＣＯ２濃度が所定の第１基準値以上になったときに、換気装置（7）を運転する。第１基準値は、建築物の環境管理に関して定められている目安に従い、例えば１０００ｐｐｍに設定される。また、制御部（11）は、ＣＯ２濃度センサ（49）によって検出される室内空気のＣＯ２濃度が所定の第２基準値未満になったときに、換気装置（7）を停止する。第２基準値は、例えば９００ｐｐｍに設定される。
【００６４】
−空調システムの運転動作−
空調システム（1）は、リモートコントローラ（9）により設定される運転モードに従い、冷房運転と暖房運転とを切り換えて、室内空気の温度を調節する。集中力維持モードは、冷房運転時および暖房運転時のいずれにおいても、リモートコントローラ（9）で集中ボタンを押下する操作により実行し、集中ボタンの再操作により解除することが可能である。
【００６５】
<冷房運転>
冷房運転では、四方切換弁（25）を第１状態とする。圧縮機（23）により圧縮された冷媒は、放熱器として機能する室外熱交換器（27）により放熱（凝縮）する。放熱した冷媒は、膨張弁（29）により減圧された後に、蒸発器として機能する室内熱交換器（37）を流れる。室内熱交換器（37）では、冷媒が室内空気から吸熱して蒸発する。室内熱交換器（37）で冷却された室内空気は、室内ファン（39）により室内空間に送風される。蒸発した冷媒は圧縮機（23）に吸入される。冷房運転では、室内熱交換器（37）の付近で凝縮水が発生する。
【００６６】
冷房運転時においては、内気温度センサ（45）によって検出される温度が目標温度よりも所定の第１温度以上低くなったときに、圧縮機（23）を停止させることで冷媒回路（17）を冷媒が流れないようにして、室内熱交換器（37）を停止させる。このとき、室内ファン（39）は運転させたままとする。この実施形態１において、室内熱交換器（37）を停止させる基準となる第１温度（室内空気の温度と目標温度との温度差）は、例えば１．０℃に設定される。室内熱交換器（37）の運転は、内気温度センサ（45）によって検出される温度が目標温度に到達したときに再開される。
【００６７】
<暖房運転>
暖房運転では、四方切換弁（25）を第２状態とする。圧縮機（23）で圧縮された冷媒は、放熱器（凝縮器）として機能する室内熱交換器（37）を流れる。室内熱交換器（37）では、冷媒が室内空気に放熱して凝縮する。室内熱交換器（37）で加熱された室内空気は、室内ファン（39）により室内空間に送風される。凝縮した冷媒は、膨張弁（29）で減圧された後、室外熱交換器（27）で蒸発する。蒸発した冷媒は圧縮機（23）に吸入される。
【００６８】
暖房運転時においては、内気温度センサ（45）によって検出される温度が目標温度よりも所定の第２温度以上高くなったときに、圧縮機（23）を停止させることで冷媒回路（17）を冷媒が流れないようにして、室内熱交換器（37）を停止させる。このとき、室内ファン（39）は運転させたままとする。この実施形態１において、室内熱交換器（37）を停止させる基準となる第２温度（室内空気の温度と目標温度との温度差）は、例えば１．０℃に設定される。室内熱交換器（37）の運転は、内気温度センサ（45）によって検出される温度が目標温度に到達したときに再開される。
【００６９】
<通常運転モード>
通常運転モードでは、基準温度を目標温度に設定する。基準温度は、熱的快適性の適応モデルの情報を用いた推定制御に従い、外気温度センサ（53）によって検出される外気温度の変動に応じて変更されるので、目標温度は、外気温度の変動に応じて更新される。通常運転モードにおいては、内気温度センサ（45）によって検出される温度が目標温度に近づくように室内熱交換器（37）を制御する。
【００７０】
<集中力維持モード>
集中力維持モードでは、第１動作と第２動作とを順に少なくとも１回ずつ行う。第１動作は、目標温度を基準温度よりも低い第１目標温度に下げる動作である。第２動作は、目標温度を基準温度よりも高い第２目標温度に上げる動作である。第１動作において目標温度を第１目標温度に下げるまでの時間は、第２動作において目標温度を第２目標温度に上げるまでの時間よりも短い。このことは、後述する第１動作および第２動作での制御で明らかにする。
【００７１】
集中力維持モードにおいて、第１動作中は、内気温度センサ（45）によって検出される温度が第１目標温度に近づくように室内熱交換器（37）を制御し、第２動作中は、内気温度センサ（45）によって検出される温度が第２目標温度に近づくように室内熱交換器（37）を制御する。これら第１動作と第２動作とは、集中力維持モードを実行している間は、交互に繰り返し行われる。
【００７２】
第１目標温度および第２目標温度は、リモートコントローラ（9）によって設定された覚醒強さに応じて決定される。覚醒強さの設定は、基準温度からの第１目標温度の下げ幅と、基準温度からの第２目標温度の上げ幅に反映される。これら第１目標温度の下げ幅および第２目標温度の上げ幅は、例えば第１目標温度と第２目標温度との温度差が３℃以下になるように設定される。このようにしたのは、室内空気の温度の変動幅が３℃を越えると、在室者（101）の身体に負担がかかるからである。
【００７３】
覚醒強さ「弱」の設定は、例えば、基準温度からの第１目標温度の下げ幅を１．５℃とし、基準温度からの第２目標温度の上げ幅を１．５℃とする設定である。この設定の場合、第１目標温度は、基準温度よりも１．５℃だけ低い温度に設定され、第２目標温度は、基準温度よりも１．５℃だけ高い温度に設定される。このように、覚醒強さ「弱」の設定では、基準温度からの第１目標温度の下げ幅が比較的小さい。
【００７４】
覚醒強さ「中」の設定は、例えば、基準温度からの第１目標温度の下げ幅を２．０℃とし、基準温度からの第２目標温度の上げ幅を１．０℃とする設定である。この設定の場合、第１目標温度は、基準温度よりも２．０℃だけ低い温度に設定され、第２目標温度は、基準温度よりも１．０℃だけ高い温度に設定される。このように、覚醒強さ「中」の設定では、基準温度からの第１目標温度の下げ幅が覚醒強さ「弱」の設定に比べて大きい。
【００７５】
覚醒強さ「強」の設定は、例えば、基準温度からの第１目標温度の下げ幅を２．５℃とし、基準温度からの第２目標温度の上げ幅を０．５℃とする設定である。この設定の場合、第１目標温度は、基準温度よりも２．５℃だけ低い温度に設定され、第２目標温度は、基準温度よりも０．５℃だけ高い温度に設定される。このように、覚醒強さ「強」の設定では、基準温度からの第１目標温度の下げ幅が覚醒強さ「中」の設定に比べて大きい。
【００７６】
第１動作では、目標温度を開始後直ぐに第１目標温度に設定する。これに対し、第２動作では、目標温度を開始後直ぐに第２目標温度には設定せず、第１目標温度から第２目標温度にまで段階的に上げる。具体的には、目標温度を第１目標温度から第２目標温度にまで３０秒毎に０．５℃ずつ徐々に上げる。目標温度の段階的な上げ幅を０．５℃としたのは、室内熱交換器（37）を停止させる基準となる第１温度（室内空気の温度と目標温度との温度差）が１．０℃に設定されているからである。このような制御によれば、冷房運転時において、室内熱交換器（37）が停止されるのを抑制できる。
【００７７】
第１動作の実行時間と第２動作の実行時間とは、基準温度をＴａ、目標温度をＴｓとしたとき、第１動作を行っている一期間の基準温度Ｔａと目標温度Ｔｓとの温度差（Ｔａ−Ｔｓ）の積算値と、第２動作を行っている一期間の目標温度Ｔｓと基準温度Ｔａとの温度差（Ｔｓ−Ｔａ）の積算値とが等しくなるように設定される。
【００７８】
具体的には、第１動作の実行時間と第２動作の実行時間とは、基準温度をＴａ、第１目標温度をＴｓ１、第２目標温度をＴｓ２、第１動作の実行時間をΔＴＬ、第２動作の実行時間をΔＴＨ、第２動作での目標温度の段階的な上げ幅をΔＴｒとしたとき、以下の関係式（１）を満たすように設定される。
【００７９】
【数１】
2020176797.tif 000012
【００８０】
ここで、Ｎ＝（Ｔｓ２−Ｔｓ１）／ΔＴｒである。なお、Ｎ＞１である。
【００８１】
第１動作の実行時間ΔＴＬは、例えば４分以下に設定される。これは、室内空気の温度が冷涼な環境下において、在室者（101）の滞在する継続時間が４分を越えると寒さを感じやすいからである。この実施形態１において、第１動作の実行時間（ΔＴＬ）は、例えば４分に設定される。
【００８２】
第２動作の実行時間ΔＴＨは、上記関係式（１）に基づき、覚醒強さの設定に応じて設定される。
【００８３】
覚醒強さ「弱」の設定（基準温度Ｔａからの第１目標温度Ｔｓ１の下げ幅が１．５℃、基準温度Ｔａからの第２目標温度Ｔｓ２の上げ幅が１．５℃、第１動作の実行時間ΔＴＬが４分、第２動作での目標温度の段階的な上げ幅ΔＴｒが０．５分である場合）において、第２動作の実行時間ΔＴＨは、上記関係式（１）より６．５分に設定される。
【００８４】
覚醒強さ「中」の設定（基準温度Ｔａからの第１目標温度Ｔｓ１の下げ幅が２．０℃、基準温度Ｔａからの第２目標温度Ｔｓ２の上げ幅が１．０℃、第１動作の実行時間ΔＴＬが４分、第２動作での目標温度の段階的な上げ幅ΔＴｒが０．５分である場合）において、第２動作の実行時間ΔＴＨは、上記関係式（１）より１１．７５分に設定される。
【００８５】
覚醒強さ「強」の設定（基準温度Ｔａからの第１目標温度Ｔｓ１の下げ幅が２．５℃、基準温度Ｔａからの第２目標温度Ｔｓ２の上げ幅が０．５℃、第１動作の実行時間ΔＴＬが４分、第２動作での目標温度の段階的な上げ幅ΔＴｒが０．５分である場合）において、第２動作の実行時間ΔＴＨは、上記関係式（１）より２７．５分に設定される。
【００８６】
−冷房運転時の集中力維持モード−
空調システム（1）による冷房運転時の集中力維持モードは、図５に示すフローチャートに従って実行される。
【００８７】
図５に示すように、冷房運転において、まず、スタートアップ後のステップＣ−ＳＴ０１では、リモートコントローラ（9）からの操作信号に基づいて、集中ボタンが押下されたか否かを判定する。このステップＣ−ＳＴ０１で集中ボタンが押下されていないと判定した場合（ＮＯの場合）、リターンして当該ステップＣ−ＳＴ０１を繰り返し行い、集中ボタンが押下されるのを監視する。
【００８８】
また、このステップＣ−ＳＴ０１で集中ボタンが押下されたと判定した場合（ＹＥＳの場合）、次のステップＣ−ＳＴ０２に進む。ステップＣ−ＳＴ０２では、集中力維持モードの実行を開始する。次いで、ステップＣ−ＳＴ０３に進む。また、ステップＣ−ＳＴ０３以降のステップと同時に、後述する換気制御が実行される。
【００８９】
ステップＣ−ＳＴ０３では、各種センサ（45,47,49,51,53,55）の検出信号を読み込み、室内空気の温度、室内空気の湿度、室内の照度、外気温度および外気湿度といった室内および室外の環境情報を取得すると共に、リモートコントローラ（9）による設定情報を読み込み、基準温度に関する在室者（101）の補正情報および覚醒強さの設定情報などを取得する。次いで、ステップＣ−ＳＴ０４に進む。
【００９０】
ステップＣ−ＳＴ０４では、熱的快適性の適応モデルの情報を用い、ステップＣ−ＳＴ０３で取得した外気温度に基づいて、在室者（101）の快適温度（中立温度）を推定し、推定した快適温度を基準温度に設定する。このとき、リモートコントローラ（9）により基準温度に関する補正情報が設定されている場合には、その補正情報に基づいて基準温度を補正する。次いで、ステップＣ−ＳＴ０５に進む。
【００９１】
ステップＣ−ＳＴ０５では、ステップＣ−ＳＴ０４で設定した基準温度と、ステップＣ−ＳＴ０３で取得した覚醒強さの設定情報とに基づいて、第１目標温度および第２目標温度を設定する。なお、第１動作の実行時間ΔＴＬおよび第２動作の実行時間ΔＴＨは、ステップＣ−ＳＴ０３で取得した覚醒強さの設定情報に基づいて決定される。次いで、ステップＣ−ＳＴ０６に進む。
【００９２】
ステップＣ−ＳＴ０６では、第１動作の実行を開始し、目標温度を第１目標温度に設定する。これにより、室内空気の温度が速やかに下げられて基準温度よりも低くなるから、室内温度を在室者（101）が涼しさを感じる温度として、在室者（101）に覚醒強さの設定に応じた冷涼な刺激を与えられる。次いで、ステップＣ−ＳＴ０７に進む。
【００９３】
ステップＣ−ＳＴ０７では、リモートコントローラ（9）で集中ボタンが再度押下されて集中力維持モードが解除されたか否かを判定する。このステップＣ−ＳＴ０７で集中力維持モードが解除されたと判定した場合（ＹＥＳの場合）、集中力維持モードを終了し、通常運転モードに遷移する。このステップＣ−ＳＴ０７で集中力維持モードが解除されていないと判定した場合（ＮＯの場合）、ステップＣ−ＳＴ０８に進む。
【００９４】
ステップＣ−ＳＴ０８では、第１動作の実行時間（ΔＴＬ）が経過しているか否かを判定する。このステップＣ−ＳＴ０８で第１動作の実行時間（ΔＴＬ）が経過していないと判定した場合（ＮＯの場合）、ステップＣ−ＳＴ０７に戻り、集中力維持モードが解除されるかまたは第１動作の実行時間が経過するまでステップＣ−ＳＴ０７とステップＣ−ＳＴ０８とを繰り返し行う。また、ステップＣ−ＳＴ０８で第１動作の実行時間（ΔＴＬ）が経過していると判定した場合（ＹＥＳの場合）、ステップＣ−ＳＴ０９に進む。
【００９５】
ステップＣ−ＳＴ０９では、第１動作に代えて第２動作の実行を開始し、目標温度を第１目標温度から第２目標温度にまで段階的に上げる。
【００９６】
このとき、目標温度が内気温度センサ（45）によって検出される温度よりも第１温度（１．０℃）以上高く設定された場合、室内熱交換器（37）は停止されるが室内ファン（39）は運転する状態になる。そうなると、室内熱交換器（37）に付着した水分が送風によって室内に放たれるため、室内空気の湿度が上がり、在室者（101）に不快感を与え兼ねない。この実施形態１においては、上述の如く、目標温度を第１目標温度から第２目標温度にまで３０秒毎に０．５℃ずつ徐々に上げるので、内気温度センサ（45）により検出される温度が目標温度よりも第１温度（１．０℃）以上低くなり難く、室内熱交換器（37）が停止するのを抑制できる。
【００９７】
次いで、ステップＣ−ＳＴ１０では、リモートコントローラ（9）で集中ボタンが再度押下されて集中力維持モードが解除されたか否かを判定する。このステップＣ−ＳＴ１０で集中力維持モードが解除されたと判定した場合（ＹＥＳの場合）、集中力維持モードを終了し、通常運転モードに遷移する。このステップＣ−ＳＴ１０で集中力維持モードが解除されていないと判定した場合（ＮＯの場合）、ステップＣ−ＳＴ１１に進む。
【００９８】
ステップＣ−ＳＴ１１では、第２動作の実行時間（ΔＴＨ）が経過しているか否かを判定する。このステップＣ−ＳＴ１１で第２動作の実行時間（ΔＴＨ）が経過していないと判定した場合（ＮＯの場合）、ステップＣ−ＳＴ１０に戻り、集中力維持モードが解除されるかまたは第２動作の実行時間（ΔＴＨ）が経過するまでステップＣ−ＳＴ１０とステップＣ−ＳＴ１１とを繰り返し行う。ステップＣ−ＳＴ１１で第２動作の実行時間（ΔＴＨ）が経過していると判定した場合（ＹＥＳの場合）、ステップＣ−ＳＴ０６に戻り、第２動作に代えて第１動作の実行を開始する。
【００９９】
この冷房運転時の集中力維持モードでの第１動作および第２動作の繰り返し運転は、在室者（101）がリモートコントローラ（9）を操作して当該集中力維持モードを解除するまで実行される。この集中力維持モードの実行によれば、在室者に冷涼な刺激を周期的に与えながら、第１動作および第２動作を１回ずつ行う１サイクルでの総期間における室内空気の平均温度が快適温度に調整される。
【０１００】
−暖房運転時の集中力維持モード−
空調システム（1）による暖房運転時の集中力維持モードは、図６に示すフローチャートに従って実行される。
【０１０１】
図６に示すように、暖房運転において、まず、スタートアップ後のステップＨ−ＳＴ０１では、リモートコントローラ（9）からの操作信号に基づいて、集中ボタンが押下されたか否かを判定する。このステップＨ−ＳＴ０１で集中ボタンが押下されていないと判定した場合（ＮＯの場合）、リターンして当該ステップＣ−ＳＴ０１を繰り返し行い、集中ボタンが押下されるのを監視する。
【０１０２】
また、このステップＨ−ＳＴ０１で集中ボタンが押下されたと判定した場合（ＹＥＳの場合）、次のステップＨ−ＳＴ０２に進む。ステップＣ−ＳＴ０２では、集中力維持モードを開始する。次いで、ステップＨ−ＳＴ０３に進む。また、ステップＨ−ＳＴ０３以降のステップと同時に、後述する換気制御が実行される。
【０１０３】
ステップＨ−ＳＴ０３では、各種センサ（45,47,49,51,53,55）の検出信号を読み込み、室内空気の温度、室内空気の湿度、室内の照度、外気温度および外気湿度といった室内および室外の環境情報を取得すると共に、リモートコントローラ（9）による設定情報を読み込み、基準温度に関する補正情報および覚醒強さの設定情報などを取得する。次いで、ステップＨ−ＳＴ０４に進む。
【０１０４】
ステップＨ−ＳＴ０４では、熱的快適性の適応モデルの情報を用い、ステップＨ−ＳＴ０３で取得した外気温度に基づいて、在室者（101）の快適温度（中立温度）を推定し、推定した快適温度を基準温度に設定する。このとき、リモートコントローラ（9）により基準温度に関する補正情報が設定されている場合には、その補正情報に基づいて基準温度を補正する。
【０１０５】
次いで、ステップＨ−ＳＴ０５に進む。ステップＨ−ＳＴ０５では、ステップＨ−ＳＴ０４で設定した基準温度と、ステップＨ−ＳＴ０３で取得した覚醒強さの設定情報とに基づいて、第１目標温度および第２目標温度を設定する。なお、第１動作の実行時間ΔＴＬおよび第２動作の実行時間ΔＴＨは、ステップＣ−ＳＴ０３で取得した覚醒強さの設定情報に基づいて決定される。次いで、ステップＨ−ＳＴ０６に進む。
【０１０６】
ステップＨ−ＳＴ０６では、第１動作の実行を開始し、目標温度を第１目標温度に設定する。
【０１０７】
このとき、覚醒強さがいずれの強度設定とされていても、第１目標温度が基準温度よりも１．５℃以上低いので、第１動作の実行が開始されて直ぐに、内気温度センサ（45）によって検出される温度が第２目標温度よりも第１温度（１．０℃）以上高くなり、室内熱交換器（37）が停止される。それにより、室内空気の温度が速やかに下げられて基準温度よりも低くなるから、室内空気の温度を在室者（101）が涼しさを感じる温度として、在室者（101）に覚醒強さの設定に応じた冷涼な刺激を与えられる。この第１動作では、内気温度センサ（45）によって検出される温度が第１目標温度にまで到達したら室内熱交換器（37）の運転を再開させる。次いで、ステップＨ−ＳＴ０７に進む。
【０１０８】
ステップＨ−ＳＴ０７では、リモートコントローラ（9）で集中ボタンが押下されて集中力維持モードが解除されたか否かを判定する。このステップＨ−ＳＴ０７で集中力維持モードが解除されたと判定した場合（ＹＥＳの場合）、集中力維持モードを終了し、通常運転モードに遷移する。このステップＨ−ＳＴ０７で集中力維持モードが解除されていないと判定した場合（ＮＯの場合）、ステップＨ−ＳＴ０８に進む。
【０１０９】
ステップＨ−ＳＴ０８では、第１動作の実行時間（ΔＴＬ）が経過しているか否かを判定する。このステップＨ−ＳＴ０８で第１動作の実行時間（ΔＴＬ）が経過していないと判定した場合（ＮＯの場合）、ステップＨ−ＳＴ０７に戻り、集中力維持モードが解除されるかまたは第１動作の実行時間（ΔＴＬ）が経過するまでステップＨ−ＳＴ０７とステップＨ−ＳＴ０８とを繰り返し行う。ステップＨ−ＳＴ０８で第１動作の実行時間（ΔＴＬ）が経過していると判定した場合（ＹＥＳの場合）、ステップＨ−ＳＴ０９に進む。
【０１１０】
ステップＨ−ＳＴ０９では、第１動作に代えて第２動作の実行を開始し、目標温度を第１目標温度から第２目標温度にまで段階的に上げる。
【０１１１】
このとき、目標温度を第１目標温度から第２目標温度にまで急に上げた場合、空調システムの暖房運転により、室内空気の温度が急激に上昇する。室内空気の温度が急激に上昇すると、在室者（101）の血管が拡張されて、身体の放熱が促進されるため、深部体温が低下して、在室者（101）は眠気を感じ易くなる。この実施形態１においては、上述の如く、目標温度を第１目標温度から第２目標温度にまで３０秒毎に０．５℃ずつ徐々に上げるので、在室者（101）の血管が拡張するのが抑えられて、在室者（101）が眠気を感じ易くなるのを回避できる。
【０１１２】
次いで、ステップＨ−ＳＴ１０では、リモートコントローラ（9）で集中ボタンが再度押下されて集中力維持モードが解除されたか否かを判定する。このステップＨ−ＳＴ１０で集中力維持モードが解除されたと判定した場合（ＹＥＳの場合）、集中力維持モードを終了し、通常運転モードに遷移する。このステップＨ−ＳＴ１０で集中力維持モードが解除されていないと判定した場合（ＮＯの場合）、ステップＨ−ＳＴ１１に進む。
【０１１３】
ステップＨ−ＳＴ１２では、第２動作の実行時間（ΔＴＨ）が経過しているか否かを判定する。このステップＨ−ＳＴ１２で第２動作の実行時間（ΔＴＨ）が経過していないと判定した場合（ＮＯの場合）、ステップＨ−ＳＴ１１に戻り、集中力維持モードが解除されるかまたは第２動作の実行時間（ΔＴＨ）が経過するまでステップＣ−ＳＴ１１とステップＨ−ＳＴ１２とを繰り返し行う。ステップＨ−ＳＴ１２で第２動作の実行時間（ΔＴＨ）が経過していると判定した場合（ＹＥＳの場合）、ステップＨ−ＳＴ０６に戻り、第２動作に代えて第１動作の実行を開始する。
【０１１４】
この暖房運転時の集中力維持モードでの第１動作および第２動作の繰り返し運転は、在室者（101）がリモートコントローラ（9）を操作して当該集中力維持モードを解除するまで実行される。この集中力維持モードの実行によれば、在室者に冷涼な刺激を周期的に与えながら、第１動作および第２動作を１回ずつ行う１サイクルでの総期間における室内空気の平均温度が快適温度に調整される。
【０１１５】
以上のように、冷房運転時の集中力維持モードでの制御と、暖房運転時の集中力維持モードでの制御とは殆ど同じであるが、冷房運転時の集中力維持モードにおける第１動作は、室内熱交換器（37）を停止せずに行われるのに対し、暖房運転時の集中力維持モードにおける第１動作は、室内熱交換器（37）を停止させて行われる点、冷房運転時の集中力維持モードにおける第２動作は、室内熱交換器（37）の停止を回避するために目標温度を徐々に上げるのに対し、暖房運転時の集中力維持モードにおける第２動作は、在室者（101）が眠気を感じ易くなるのを回避するために目標温度を徐々に上げる点で異なる。
【０１１６】
<換気制御>
空調システム（1）による換気制御は、図７に示すフローチャートに従って実行される。
【０１１７】
図５〜図７に示すように、換気制御は、冷房運転時の集中力維持モードでのステップＣ−ＳＴ０２または暖房運転時の集中力維持モードでのステップＨ−ＳＴ０２で、集中力維持モードの実行が開始されると共に実行される。
【０１１８】
図７に示すように、まず、ステップＶ−ＳＴ０１では、リモートコントローラ（9）で集中ボタンが再度押下されて集中力維持モードが解除されたか否かを判定する。このステップＶ−ＳＴ０１で集中力維持モードが解除されたと判定した場合（ＹＥＳの場合）、集中力維持モードを終了し、通常運転モードに遷移する（図５および図６参照）。このステップＶ−ＳＴ０１で集中力維持モードが解除されていないと判定した場合（ＮＯの場合）、ステップＶ−ＳＴ０２に進む。
【０１１９】
ステップＶ−ＳＴ０２では、ＣＯ２濃度センサ（49）によって検出される室内空気のＣＯ２濃度を取得する。次いで、ステップＶ−ＳＴ０３に進む。
【０１２０】
ステップＶ−ＳＴ０３では、室内空気のＣＯ２濃度が第１基準値（１０００ｐｐｍ）以上であるか否かを判定する。このステップＶ−ＳＴ０３で室内空気のＣＯ２濃度が第１基準値（１０００ｐｐｍ）未満であると判定した場合（ＮＯの場合）、ステップＶ−ＳＴ０１に戻り、集中力維持モードが解除されるかまたは室内空気のＣＯ２濃度が第１基準値（１０００ｐｐｍ）以上になるまでステップＶ−ＳＴ０１〜ステップＶ−ＳＴ０３を繰り返し行う。
【０１２１】
また、ステップＶ−ＳＴ０３で室内空気のＣＯ２濃度が第１基準値（１０００ｐｐｍ）以上であると判定した場合（ＹＥＳの場合）、ステップＶ−ＳＴ０４に進む。ステップＣ−ＳＴ０４では、換気装置（7）の運転を開始する。次いで、ステップＶ−ＳＴ０５に進む。
【０１２２】
ステップＶ−ＳＴ０５では、リモートコントローラ（9）で集中ボタンが再度押下されて集中力維持モードが解除されたか否かを判定する。このステップＶ−ＳＴ０５で集中力維持モードが解除されたと判定した場合（ＹＥＳの場合）、集中力維持モードを終了し、通常運転モードに遷移する（図５および図６参照）。このステップＶ−ＳＴ０５で集中力維持モードが解除されていないと判定した場合（ＮＯの場合）、ステップＶ−ＳＴ０６に進む。
【０１２３】
ステップＶ−ＳＴ０６では、ＣＯ２濃度センサ（49）によって検出される室内空気のＣＯ２濃度を取得する。次いで、ステップＶ−ＳＴ０７に進む。
【０１２４】
ステップＶ−ＳＴ０７では、室内空気のＣＯ２濃度が第２基準値（９００ｐｐｍ）未満であるか否かを判定する。このステップＶ−ＳＴ０７で室内空気のＣＯ２濃度が第２基準値（９００ｐｐｍ）以上であると判定した場合（ＮＯの場合）、ステップＶ−ＳＴ０４に戻り、集中力維持モードが解除されるかまたは室内空気のＣＯ２濃度が第２基準値（９００ｐｐｍ）未満になるまでステップＶ−ＳＴ０４〜ステップＶ−ＳＴ０７を繰り返し行う。
【０１２５】
また、ステップＶ−ＳＴ０７で室内空気のＣＯ２濃度が第２基準値（９００ｐｐｍ）未満であると判定した場合（ＹＥＳの場合）、リターンしてステップＶ−ＳＴ０１以降のステップを再度行う。
【０１２６】
このように換気制御は、集中力維持モードが解除されるまで実行される。この換気制御の実行によれば、室内空気のＣＯ２濃度が第１基準値（１０００ｐｐｍ）以下に調整される。
【０１２７】
−実施形態１の効果−
この実施形態１の空調システム（1）では、第１動作において目標温度を相対的に短い時間で第１目標温度に下げる。そのことで、室内空気の温度が速やかに下げられて基準温度よりも低くなるから、室内温度を在室者（101）が涼しさを感じる温度にして、在室者（101）に冷涼な刺激を与えられる。これにより、在室者（101）が眠気を感じるのを防止することができる。
【０１２８】
また、この実施形態１の空調システム（1）では、第２動作において目標温度を相対的に長い時間をかけて段階的に第２目標温度に上げる。そのことで、室内空気の温度が緩やかに上げられて基準温度よりも高くなるから、温度変化によって在室者（101）にかかる負担を軽減しながら、第１動作を行っている期間と第２動作を行っている期間との総期間における室内空気の平均温度を在室者（101）が快適な温度とすることができる。これにより、在室者（101）が快適な室内環境を実現することができる。
【０１２９】
したがって、この実施形態１の空調システム（1）によれば、在室者が眠気を感じるのを防止することと、快適な室内環境を実現することとを両立することができる。その結果、在室者の集中力を維持して、在室者の作業効率が悪化するのを抑制することができる。
【０１３０】
また、この実施形態１の空調システム（1）では、冷房運転時において、内気温度センサ（45）により検出される温度が目標温度よりも所定の温度以上低くなったときに、室内熱交換器（37）を停止する。しかし、第２動作では、目標温度を第１目標温度から第２目標温度にまで段階的に上げるので、冷房運転時において、内気温度センサ（45）により検出される温度が目標温度よりも所定温度以上低くなり難くし、室内熱交換器（37）が停止されるのを抑制できる。これにより、室内空気の湿度が上がることに起因して在室者（101）に不快感を与えないようにできる。
【０１３１】
また、この実施形態１の空調システム（1）では、暖房運転時において、内気温度センサ（45）により検出される温度が目標温度よりも第１温度（１．０℃）以上高くなったときに、室内熱交換器（37）を停止する。第１動作では、目標温度を開始後直ぐに第１目標温度に下げるから、第１目標温度を内気温度センサ（45）によって検出される温度よりも第１温度（１．０℃）以上低く設定される。これにより、第１動作を開始した後に間もなく室内熱交換器（37）が停止されるので、室内空気の温度を速やかに下げるのに寄与する。
【０１３２】
また、この実施形態１の空調システム（1）では、快適温度と外気温度との関係を示す関係情報を用いて、外気温度センサ（45）により検出される外気温度から快適温度を推定し、推定した快適温度を基準温度として用いる。これによれば、一般的な快適温度を、在室者（101）が快適と感じる室内空気の温度として推定し、基準温度にすることができる。このことは、第１モードでの室内空気の温度制御により、不特定の在室者（101）が快適な室内環境を実現するのに好適である。
【０１３３】
また、この実施形態１の空調システム（1）では、在室者（101）の個体差に関する情報に基づいて基準温度を補正する。それにより、在室者（101）の個体差に関する情報が基準温度に反映されるので、在室者（101）が快適と感じる室内空気の温度を、精度良く基準温度として用いることができる。このことは、集中力維持モードでの室内空気の温度制御により、在室者（101）にとって快適な室内環境を実現するのに有利である。
【０１３４】
また、この実施形態１の空調システム（1）では、第１動作の目標温度および実行時間と第２動作の目標温度および実行時間が、上記関係式（１）に則り、第１動作を行っている一期間と第２動作を行っている一期間との総期間における室内空気の平均温度が基準温度となるように決定される。このことは、集中力維持モードでの室内空気の温度制御により、在室者（101）にとって快適な室内環境を実現するのに好適である。
【０１３５】
また、この実施形態１の空調システム（1）では、ＣＯ２濃度センサ（49）により検出される室内空気のＣＯ２濃度が第１基準値（１０００ｐｐｍ）以上になったときに、換気装置（7）を運転する。これによれば、必要に応じて室内空気が入れ替えられて室内のＣＯ２濃度が下がるので、在室者（101）にとって快適な室内環境を実現するのに好適である。
【０１３６】
《実施形態２》
実施形態２について説明する。
【０１３７】
実施形態２の空調システム（1）は、実施形態１の空調システム（1）において、基準温度の設定方法を変更したものである。ここでは、この実施形態２の空調システム（1）について、実施形態１の空調システム（1）とは異なる点を説明する。
【０１３８】
空調システム（1）は、人工知能（ＡＩ：Artificial Intelligence）を用いて、基準温度を設定するようになっている。
【０１３９】
空調システム（1）の記憶部（59）には、室内の温度、室内の湿度、室内の照度、外気の温度および外気の湿度の少なくとも１つを含む環境情報に関するパラメータと、在室者（101）の温冷感に関するパラメータとに基づいて生成された学習モデルが記憶されている。この実施形態２において、学習モデルの環境情報に関するパラメータには、室内の温度、室内の湿度、室内の照度、外気の温度および外気の湿度に関するパラメータを含む。
【０１４０】
学習モデルは、在室者（101）が空調システム（1）の利用時に、在室者（101）の温冷感の情報をリモートコントローラ（9）の操作で入力することにより、その情報入力時における内気温度センサ（45）、内気湿度センサ（47）、照度センサ（51）、外気温度センサ（53）および外気湿度センサ（55）の各検出値を環境情報のパラメータとして、在室者（101）の温冷感に関するパラメータと関連付けるスタンドアローンの学習により生成されてもよい。
【０１４１】
学習モデルは、ネットワークを介して複数の空調システム（1）と接続されたサーバにおいて、各空調システム（1）を利用する在室者（101）から収集した、内気温度センサ（45）、内気湿度センサ（47）、照度センサ（51）、外気温度センサ（53）および外気湿度センサ（55）の各検出値と、在室者（101）の温冷感に関する情報とを、それぞれ環境情報のパラメータとそれに対する在室者（101）の温冷感に関するパラメータとして関連付ける学習により生成されてもよい。
【０１４２】
制御部（11）は、上記学習モデルを用い、内気温度センサ（45）、内気湿度センサ（47）、照度センサ（49）、外気温度センサ（53）および外気湿度センサ（55）により検出される室内の温度、室内の湿度、室内の照度、外気の温度および外気の湿度に基づいて、快適温度を推定する。制御部（11）は、学習モデルにより推定した快適温度を基準温度に設定する。制御部（11）は、必要に応じて基準温度に関する補正情報に基づき、基準温度を補正する。
【０１４３】
−実施形態２の効果−
この実施形態２の空調システム（1）では、基準温度に用いる快適温度を、環境情報と在室者（101）の温冷感とを関連付けた学習モデルによって推定する。それにより、在室者（101）が快適と感じる室内空気の温度を、快適温度として精度良く推定し、基準温度にすることができる。このことは、集中力維持モードでの室内空気の温度制御により、在室者（101）にとって快適な室内環境を実現するのに有利である。
【０１４４】
《その他の実施形態》
上記実施形態１および上記実施形態２については、以下のような構成としてもよい。
【０１４５】
−第１変形例−
内気温度センサ（45）は、リモートコントローラ（9）に設けられていてもよい。このようにすれば、リモートコントローラ（9）は在室者（101）の近くに置かれることが多いので、在室者（101）の付近での室内空気の温度を検出することができる。このことは、集中力維持モードでの室内空気の温度制御により、在室者（101）にとって快適な室内環境を実現するのに有利である。
【０１４６】
なお、内気温度センサ（45）は、リモートコントローラ（9）でなくても、室内ユニット（5）とは別部品に設けられていてもよい。また、内気温度センサ（45）に限らず、内気湿度センサ（47）、照度センサ（49）、ＣＯ２濃度センサ（51）も、リモートコントローラ（9）などの、室内ユニット（5）とは別部品に設けられていてもよい。
【０１４７】
−第２変形例−
実施形態１の空調システム（1）において、基準温度の設定に利用する熱的快適性の適応モデルなどの関係情報や、実施形態２の空調システム（1）において、基準温度の設定に利用する学習モデルは、当該空調システム（1）とネットワークを介して接続されるサーバが保有していてもよい。この場合、空調システム（1）は、関係情報や学習モデルの情報をサーバに要求し、サーバから基準温度の設定に必要な情報を取得すればよい。
【０１４８】
以上、実施形態および変形例を説明したが、特許請求の範囲の趣旨および範囲から逸脱することなく、形態や詳細の多様な変更が可能なことが理解されるであろう。また、以上の実施形態および変形例は、本開示の対象の機能を損なわない限り、適宜組み合わせたり、置換したりしてもよい。
【０１４９】
例えば、空調システム（1）は、室外ユニット（3）と室内ユニット（5）とが一対一のペア式である場合を例に挙げて説明したが、これに限らない。空調システム（1）は、室外ユニット（3）に対して室内ユニット（5）が複数設けられるマルチ式であってもよい。
【０１５０】
集中力維持モードの第１動作では、目標温度を開始後直ぐに第１目標温度に下げるとしたが、これに限らない。集中力維持モードの第１動作では、目標温度を開始後直ぐに第１目標温度に下げなくてもよく、第１動作において目標温度を第１目標温度に下げるまでの時間が、第２動作において目標温度を第２目標温度に上げるまでの時間よりも短ければよい。
【０１５１】
集中力維持モードの実行時の換気制御では、換気装置（7）を運転させるＣＯ２濃度の第１基準値として１０００ｐｐｍを、換気装置（7）を停止させるＣＯ２濃度の第２基準値として９００ｐｐｍを例示したが、これに限らない。第１基準値を１０００ｐｐｍに設定すること、第２基準値を９００ｐｐｍに設定することは、換気制御を行うための設定の一例に過ぎず、これら第１基準値および第２基準値には、在室者にとって快適な室内環境を実現するのに好適であれば、任意の値を設定することが可能である。
【産業上の利用可能性】
【０１５２】
以上説明したように、本開示は、空調システムについて有用である。
【符号の説明】
【０１５３】
1     空調システム
3     室外ユニット
5     室内ユニット
7     換気装置
9     リモートコントローラ（入力部）
11    制御部
13    連絡配管
15    連絡配管
17    冷媒回路
19    室外回路
21    室内回路
23    圧縮機
25    四方切換弁
27    室外熱交換器
29    膨張弁
31    室外ファン
33    冷媒配管
35    室外ファンモータ
37    室内熱交換器（温度調節部）
39    室内ファン
41    室内ファンモータ
43    換気ファン
45    内気温度センサ（内気温度検出部）
47    内気湿度センサ
49    ＣＯ２濃度センサ（二酸化炭素濃度検出部）
51    照度センサ
53    外気温度センサ（外気温度検出部）
55    外気湿度センサ
57    中央演算処理装置
59    記憶部
101   在室者
103   デスク
【手続補正２】
【補正対象書類名】特許請求の範囲
【補正対象項目名】全文
【補正方法】変更
【補正の内容】
【特許請求の範囲】
【請求項１】
室内空気の温度を調節する温度調節部（37）と、
室内空気の温度を検出する内気温度検出部（45）と、
前記内気温度検出部（45）によって検出される温度が目標温度に近づくように前記温度調節部（37）を制御する制御部（11）と、を備える空調システムであって、
前記制御部（11）は、前記目標温度を所定の基準温度よりも低い第１目標温度に下げる第１動作と、前記目標温度を前記基準温度よりも高い第２目標温度に上げる第２動作とを順に少なくとも１回ずつ行う第１モードを実行し、
前記第２動作では、前記目標温度を前記第１目標温度から前記第２目標温度にまで段階的に上げ、
前記第１動作において前記目標温度を前記第１目標温度に下げるまでの時間が、前記第２動作において前記目標温度を前記第２目標温度に上げるまでの時間よりも短い
ことを特徴とする空調システム。
【請求項２】
請求項１に記載された空調システムにおいて、
前記温度調節部（37）は、冷媒回路（17）に接続される室内熱交換器（37）によって構成され、
室内空気を搬送し、室内熱交換器（37）に通過させるファン（39）をさらに備え、
前記制御部（11）は、
前記室内熱交換器（37）が蒸発器として機能する冷房運転時に前記第１モードを実行し、
冷房運転時において、前記内気温度検出部（45）によって検出される温度が前記目標温度よりも所定の温度以上低くなったときに、前記室内熱交換器（37）を停止させると共に、前記ファン（39）を継続して運転させる
ことを特徴とする空調システム。
【請求項３】
請求項２に記載された空調システムにおいて、
前記第２動作での前記目標温度の上げ幅は、前記所定の温度未満の温度である
ことを特徴とする空調システム。
【請求項４】
請求項１に記載された空調システムにおいて、
前記温度調節部（37）は、冷媒回路（17）に接続される室内熱交換器（37）によって構成され、
室内空気を搬送し、室内熱交換器（37）に通過させるファン（39）をさらに備え、
前記制御部（11）は、
前記室内熱交換器（37）が放熱部として機能する暖房運転時に前記第１モードを実行し、
暖房運転時において、前記内気温度検出部（45）によって検出される温度が前記目標温度よりも所定の温度以上高くなったときに、前記室内熱交換器（37）を停止させると共に、前記ファン（39）を継続して運転させる
ことを特徴とする空調システム。
【請求項５】
請求項４に記載された空調システムにおいて、
前記第１動作での前記目標温度の下げ幅は、前記所定の温度以上の温度である
ことを特徴とする空調システム。
【請求項６】
請求項１〜５のいずれか１項に記載された空調システムにおいて、
前記制御部（11）は、在室者（101）が快適と感じる室内空気の快適温度を推定し、
前記基準温度は、前記制御部（11）によって推定される前記快適温度である
ことを特徴とする空調システム。
【請求項７】
請求項６に記載された空調システムにおいて、
前記制御部（11）は、室内の温度、室内の湿度、室内の照度、外気の温度および外気の湿度の少なくとも１つを含む環境情報に関するパラメータと、在室者（101）の温冷感に関するパラメータとに基づいて生成された学習モデルにより、前記快適温度を推定する
ことを特徴とする空調システム。
【請求項８】
請求項６に記載された空調システムにおいて、
外気温度を検出する外気温度検出部（53）と、
前記快適温度と外気温度との関係を示す関係情報を記憶した記憶部（59）と、を備え、
前記制御部（11）は、前記記憶部（59）に記憶された前記関係情報を用い、前記外気温度検出部（53）により検出される外気温度に基づいて前記快適温度を推定する
ことを特徴とする空調システム。
【請求項９】
請求項６〜８のいずれか１項に記載された空調システムにおいて、
在室者（101）の個体差に関する情報が入力される入力部（9）を備え、
前記制御部（11）は、前記入力部（9）に入力された情報に基づいて前記基準温度を補正する
ことを特徴とする空調システム。
【請求項１０】
請求項１〜９のいずれか１項に記載された空調システムにおいて、
前記温度調節部（37）を有する室内ユニット（5）を備え、
前記内気温度検出部（45）は、前記室内ユニット（5）とは別部品に設けられている
ことを特徴とする空調システム。
【請求項１１】
請求項１〜１０のいずれか１項に記載された空調システムにおいて、
前記基準温度をＴａ、前記目標温度をＴｓとしたとき、
前記第１動作を行っている一期間の前記基準温度と前記目標温度との温度差（Ｔａ−Ｔｓ）の積算値と、前記第２動作を行っている一期間の前記目標温度と前記基準温度との温度差（Ｔｓ−Ｔａ）の積算値とが等しい
ことを特徴とする空調システム。
【請求項１２】
請求項１〜１１のいずれか１項に記載された空調システムにおいて、
室内空気を換気する換気装置（7）と、
室内の二酸化炭素濃度を検出する二酸化炭素濃度検出部（49）と、を備え、
前記制御部（11）は、前記二酸化炭素濃度検出部（49）により検出される二酸化炭素濃度が所定値以上になったときに、前記換気装置（7）を運転する
ことを特徴とする空調システム。